(57)【要約】      （修正有）【課題】従来の化石燃料機関の原動力源媒体エネルギイー化石燃料使用を改革して、公害、汚染をなくし経済的、且つ効率良く使用する事ができる、重力をエネルギーとした、強出力の原動力源機関を提供する。【解決手段】重力エネルギーは、上段部第２タンク５は、自然界同環境の貯水タンク６を設け、その上段部密封圧力タンク２内部に内蔵する第１セクション１から第４セクション４に至る行程を経て、永続循環を行なう構成になっている。第１タンクに液水を満水充填し第２タンクも適宜充填して下段部、貯水タンク６の液水を、強出力で排斥押し揚げ上段部密封圧力タンク内に強制圧入し、その高速落下水流及び圧力水流を以って出力源水車を、強出力、高速回転して、永続循環を計る。【選択図】なし【特許請求の範囲】
【請求項１】
本項は本重力機関の総合統一機能側面総合機能その１、項、である。
本重力機関は、上段部に、任意適宜大の、第１、タンク、１、を設け、内部は密封圧力タンク、２、とし、液水を圧力充填できるようになっている。下段部、第２、タンク、５を設け、内部は自然界同環境の貯水タンク、６、ある。該、タンク、１と、該、タンク、５、を接続連結一体化した、プラントを作造施工し、各、タンク内には、システム構造装置が、各、セクション毎に、各々、特色ある、独自、個性、機能を発揮して、出力拡大を計る構造システムが、内蔵配備されているその第１、のセクション、（１）本機関の入力駆動原動力源、※▲１▼循環駆動機能力水車、１０、を設けてあり、本装置は、液水重力比重ポテンシャル、エネルギイーに数倍及び、十数倍の圧力増強水力、落下水流を該、水車羽根、１３、に受け入れ強力回転し、是れに伝達連結された本機関の第２、セクション、（２）、※▲２▼倍力伝達駆動装置、２５、を駆動すれば、該、倍力装置、２５、の構造システムに依って、水車羽根圧力、源力の十倍及び十五倍程度の出力に転換され、該、機関の第３、セクション、（３）、※▲３▼液水上昇排斥循環装置、４０、単体の同室内、同居、嵌合装置、８体を、該、倍力装置、２５、は１回転に同時駆動を行ない、８体をそれぞれストローク、コントロール長さ、順次サイクル４行程ストローク駆動を行なうのである。此の作用に依って※▲３▼液水上昇排斥循環装置、４０、は、下段部、該、貯水タンク、６、より液水を排斥上昇させ上段部、密封圧力タンク、２、に圧入する順次駆動、汲み揚げを行ない該、密封圧力タンク、２に、数倍、及び十数倍の水液比重圧力をかけ続けるのである。また、該往液水排斥装置、４０、は、“体積量”を“自重”で運ぶ“排斥搬送方式”落下時、径路時作用と、また、上昇時、復路作用には、浮力を受け易いフロート式体積棒、４３、を用い、貯水タンク、６、の深水部、液水比重圧力、復元力、浮力を利用する上昇時復路装置に依って、荷重搬送量に対する、入力エネルギイーの消費量は、極微でよい。むしろ駆動加速度抵抗は水液の場合は、“３乗倍定数値”であるのでその方が、エネルギイー消費量の対象に考えた方がよい。しかし、此の抵抗エネルギイー消費量においても、上記、倍率効果拡大構造システムに依って霜露に等しくなるのである。此の様に圧入された、密封圧力タンク、２、の底辺部、上、下、の上部底盤適処、２１、に密封定着水密固定された、該、機能力水車、１０、に１箇所の水車取入、流入口、１１、を設け、是れを、ただ１箇所の排水口、１２、として、水車羽根流速回転を行ない、円周順応流水道、１５、のみを排水道、１７、とし、該、円周順応流水道、１５、の後方出口、１６、から更に延びた、排水道、１７、の適処に適宜の調節バルブ、２０、が調着され、更に延びた、排水道、１７、は下段部の該、貯水タンク、６、に、放出口、１９、依り、放流落下放出するのである。入力調節において、流量調節バルブ、２０、を調節制御コントロールする事に依って入力駆動能力機能を調節する事ができる。自動永続循環原動力源、機関、総合統一機能側面、その１、の請求項１、重力機関である。
【請求項２】
本項は、上記、重力機関に続く、その２として、総合統一出力、仕事注出エネルギイー機能側面に関する請求項である。本機関、上段部に設けた該、第１、タンク、１、の内部、密封圧力タンク、２、の液水高圧充填タンク、２、の底辺部、下段最低盤、２２、に密封定着水密固定し、該、出力源機能水水車、５０、即ち、該、機関第４、セクション、（４）※▲４▼出力、仕事、注出エネルギイー、原動力源、水車、５０、となっている。本水車、５０、の液水取入口、５３、のみを、排出口、５４、として、液水は流入される。更に水流は水車羽根、５１、回転円周順応流水道、５５、の後方出口、５６、から更に延びた排水道、５７、の適処に適宜の調節バルブ、５８、が、調着されている。そして更に延びた排水道、５７、は下段部、自然界同環境の貯水タンク、６、に放流落下、放出口、５９、より放出するのである。また、本機関における、此の調節バルブ、５８、の特徴は、流入口、５３、の前部ではなく、水車排出口、５６、の後部に配置設定するという事、此の後方設置は上記、該、請求項、１、の入力駆動機能力調節バルブ、２０、も共通して言える事である。何故ならば発明範囲内の他機はともかく本機関においては此の流量調節バルブ、２０も５８、も倶に後方調節バルブにする事に依って水車羽根面積圧力を、変えないで流速回転だけを調節制御コントロールにする事ができ、出力、仕事、注出エネルギイー原動力源、機能を此の調節バルブ、５８、で流量調節すればよい事になるのである。以上が、総合統一出力、仕事、注出で、エネルギイー構造機能側面に関する、機能、その２、の請求項２、重力機関である。
【請求項３】
本項は、上記、重力機関の液水自動永続循環行程の請求項である。上記、該、重力機関の上段部該、密封圧力タンク、２、に液水を汲み込み圧入して充填し、また、一方下段部、該、貯水タンク、６、にも適宜量を満水して、入力駆動機能力、調節バルブ、２０、を適宜開放開孔すれば上段部、密封圧力タンク、２に、液水を汲み込み圧入すると該、タンク、２、の内部圧力は、需要と供給のバランス対比であり入力駆動能力機能を大きくすれば圧力はおのずと高くなる。圧力が高くなれば供給量が多くなる事と比例している。その大量に余る余饒容積量を上段部、最底盤に密封定着水密固定した圧力循環駆動、出力、仕事、原動力源水車、５０、の液水取入口、５３、がある。上記大量の余饒、液水容積量は、大量の循環液水量となり高圧力落下となる。その排出口は、液水取入口、５３、から、液水は、流入され水車羽根回転円周順応流水道、５５、を高速度水流となり水車羽根を強力圧力で押し進め高速回転で回転する此の時点の水車回転はその圧力、注入量をコントロールする調節バルブ、５８、に依って、変動、変化するものであるが、３倍圧から〜１０倍圧までは十分可能である。従って、入力駆動能力機能、調節バルブ、２０、を調節すれば圧入量及び圧力の強弱を調節する事ができ一方出力駆動能力機能調節バルブ、５８、の調節をすれば、出力量、及び回転速度の高、低及び回転速度の微調整をコントロールする事ができる。以上の構造システムで本機永続循環は、十分可能であるが、更に充実した未来動機関とする為には、密封圧力タンク、２、には１箇の（１）圧力比重計測計器、３９、を適処に１箇処設置する必要がある。また一方出力側には、１箇の（２）流速度計測計器、４９、を適処に１箇処設置する事と、出力回転軸適処には、１箇の（３）回転計測計器、５３、を設ける必要があるのである以上、重力機関のその３、の請求項３、である。本項は、液水自動永続循環行程の重力機関である。
【請求項４】
本項は、本重力機関の総合統一機関項である。請求項１、の自動永続循環原動力源総合統一機能側面その１、と、請求項、２、の総合統一出力、仕事、注出エネルギイー構造機能側面その２、と、請求項３、の液水自動永続循環行程とその附帯計器その３、を合せて、本重力機関の全体の自動永続循環原動力源、重力機関、無経費、無入力機関である。
【請求項５】
本項は本重力機関の利用、使用エネルギイーに関する、項である。本機関の使用エネルギイーは、その本源力は万有引力である。と言っても、重力エネルギイーである重力＝Ｇ（Ｇｒａｖｉｔｙグラビティー）と言っても液水の比重重力エネルギイーを利用して液水の重量エネルギイーのバランスの比例、反比例、重力、反重力、作用を包含容器（うつわ）＝容積搬送容器（うつわ）と、排斥容器（うつわ）＝体積量容器（うつわ）の容積、体積、二体は包含容器、排斥容器、の二体としてその搬送の働き変化作用は、反比例、反重力作用、を持ち、その重力作用は等量、重力同等であるが、その作用面は、“包含容器＝容積量搬送方法”である。その作用面は、（イ）、此の方式は、“運びたい物”を運ぶに当って“運びたい物”の他に“容器（うつわ）搬送容器”も倶に運び、いわゆる、風袋（フータイ）も運び更に“運びたい物”の“重量、自重＝Ｗ”（Ｗｅｉｇｈｔウエイト）  と風袋、の“重量、自重＝Ｗ”も倶に運びその双方の体積の合計の万有引力＝重力＝Ｇの全てを倶さに運ぶのである。またその一方、その作用面は、（ロ）“排斥容器＝体積量搬送方法”である。此の方式は、“運びたい物”を運ぶに当って、“運びたい物”だけを運ぶのである。その方法作用は、“自体の体積量”で運びたい物の“量”を決め、それを“運ぶ入力エネルギイー”は、“自体の自重、体積量”で此れを運ぶのである。従って世にも不思議なことであるが、（ロ）の“排斥容器＝体積量搬送方法”は、運びたい物だけを運びその自重に働く重力＝Ｇ，万有引力９．８Ｇ比例定数平均値は運ばないのである。運ばないというよりも、“自体の体重量”で一切の搬送物の自重を相殺して余りあるものとするのである。従って、（ロ）の搬送方法“排斥容器＝体積量排斥搬送方法”は地球上の万有引力の働くところ、全域をエネルギイ源として万有引力比例定数平均値９．８Ｇ＝重力エネルギイー、を百％利用できる方式なのである。以上、容器（うつわ）の作用に依る、搬送方法に関する、請求項５、である。
【請求項６】
本項は、重力エネルギイーの注出エネルギイーの有効率は最大驚威である、上記記載の百％利用という百％は無限度、無尽蔵に対する百％なのである。例えば、１例として１、ストローク４ｍ長さ／１ｍ３＝１立方メートル＝１０００ｋｇ＝１ｔ重の液水を本装置に依って、５０ｍ高さのある“海抜及び水抜”５０ｍ高層ビル、または、煙突状の高層タンクに汲み揚げ搬送するとしたならば、１、ストローク４ｍ長さ／１ｍ３＝１０００ｌ＝１０００ｋｇ＝１ｔ重と基本比例数値を定規し是れに見舞う比例数値、任意５０と仮定すると、内筒用、体積量排斥容器棒、４３、の体積量を上記と決めこの数値を５０としておくと、外筒用、容積量任意希望目的高さ搬送容器、４４、を５１とおくという事である此の二筒の構造物大小５０対５１を相互的挿遊入遊して内外一体化して双方の深水部先端に逆止弁適宜を装着して完成すると、５０対１の割合になるのである。従って４ｍを５０倍に引き延す事になるという事は、２００ｍ上昇高さになるのであるが、ところが、本例題高層タンク高さは５０ｍであるから５０対５１の割合のままヘッド、カットして５０ｍまでカット、ダウンしたら、５０ｍ高位において７５０ｌ＝７５０ｋｇ重の液水が“零れ落ちる”即ち、“汲み込み量”になる一方筒内残留水量は２５０ｌ＝２５０ｋｇ重である。従って此の搬送自重量は残留水量とおきかえ相殺する事ができる自重Ｗｅｉｇｈｔウエイト＝Ｗ＝２５０ｋｇ重である。従って、２５５ｋｇ重程度でよいのである。ところが、是れは最初の１、ストロークの搬送量であり２、ストローク目からは残留水が、筒内に満水充填してあるので次の２、ストローク目は完全に１０００ｌ＝１０００ｋｇ＝１ｔ重を５０ｍ上空高層タンクに汲み揚げ汲み込み仕事を完了し、入力エネルギイーは、万有引力＝重力＝Ｇ＝質量＝ｍ＝体積、容積＝体＝体積、容積二体の体重量＝Ｗ＝自重、体重なのである。その数量は、２５５ｋｇ重程度でよいのである。とは言っても此れは、地球が運んでくれた仕事である此れを、使用、利用する人類が負担するものではない。従って無料経費であり、無入力エネルギイーであり、無使用なのである。本項は、高層タンク、可能な限り高さに上昇汲み揚げ搬送するに当って本装置は、無料、無経費、無入力で運ぶという容器に関する請求項６、である。
【請求項７】
本項は、該、装置に依って、上昇汲み揚げられた液水のエネルギイーの効力、威力に関する請求項である。上記記載の高層タンク５０ｍ高さに満水充填  したとしたら此のタンクの最底辺底盤に働く重力比重は幾らでしょうか。１ｍ２＝１平方メートル単位当り５００００ｋｇ＝５０ｔ重である。１００ｃ／ｍ２＝１００平方センチメートル当たり、５００ｋｇであり１ｃ／ｍ２＝１平方センチメートル当たりに充当すれば５ｋｇ重の水圧比重がかかるのである。従って高層タンク上空補充量は２５５ｋｇ重程度の消費量で１０００ｋｇ＝１ｔ重の補充であるが、人類使用出力は、５０ｔ重／ｍ２、５００ｋｇ重／１００ｃ／ｍ２、５ｋｇ重／１ｃ／ｍ２の出力と変化して現れるのである。是れを知悉して是れを知る可し、発見、発明者の言うところの百％利用という、百％のその意は、無限度、無尽蔵と云う、その意味はここに究極し究盡するものである。従って、“歴史の中の重力壁”は、もう“壁”ではなく、“重力”は“重力”をもって征す“反重力作用”に依って取り払う事ができたのである。従って本重力機関のエネルギイーは、“液水及び流動性”のある物の重力比重の“効力威力”を利用する重力機関の請求項７、である。
【請求項８】
本項は、万有引力＝重力＝Ｇのエネルギイーを利用するその方法に関する請求項である。万有引力の地球上における基本定理は、南、北極の比例定数と、また一方、赤道円周の比例数値は多少は違いはあるが、その平均比例値定数は９．８Ｇ（Ｇａ  ｖｉｔｙグラビティー）である。是の基本定数の引っ張りに比例してあらゆる物質の質量＝（Ｍｏｓｓモス）ｍであり此の質量に容積量と体積量の二積量を持ち、此の二積の中には（Ｗｅｉｇｈｔウエイト）＝Ｗ＝重量または、体重、または、自重という事ができる殊に質量ｍには、容積と体積量の二積量と倶に重量Ｗも倶さに備わっているのである。然るに、質量は容積量と体積量とその双方に倶に備っている体、容二体の重量Ｗがあるという事は、誰もうたがうよちのない事である本発見、発明もまだ此の物理法則に根差した原理利用であり、矛盾するものではない。その中においてもう１歩立ち入った容積量と体量の二積の比例、反比例、包含、排斥、重力、反重力、の比例数値を見付け出す事に依って地球上に無尽蔵に存在する重力エネルギイーを手に入れる事ができるその手段比例数値を発見する事ができたのである。そしてその発見を基礎として本装置該、流水上昇循環装置４０を基軸として本重力機関の発明に達する事ができたのである。従って本項は、発見原理に基づく法則原理の利用方法について請求項である。従って本動力機関は、上記、記載及び下記記載に及ぶ仮定、実施、試作、等の例題の形態及びその他、円筒形態のみに集中していると見られるが、円筒形態のみにとらわれるのではなく、その形態容器（うつわ）形態に原因があり、本源力があるのではなく容器の容積及び体積量にエネルギイーの注出の本源力があり、従って本機関を製造するに当って形態にこだわる事なく、従っていかなる形態であろうともその基本基準は、容積量と体積量の二積の比例、反比例の比例数値をいかに定めるかに依って重力エネルギイーを手に入れる事ができる。しかも、容積、体積の二積の中でも特に体積にその本源力があり、ある事を発明者はここに明記する。何故ならばその訳は物理の法則に基づく容積容器（うつわ）と体積容器（うつわ）の両容器のその容、体、積量は同量であって自然界に存在するスペース体形には、何も変化を持たないのであるが、つまり、１ｍ３＝１立方メートルの体積量も、１ｍ３＝１立方メートル容積量も存在感は同じである。しかし、此の二積の容器を“何の変哲もない”と見るか、“大変な違い”と見るかに依って地球上の引力エネルギイーの１００％を一切の治政産業に無料で使用提供する事ができるのである。物理の法理に基づくと万有引力と言ってもここにおいては地球上に限って申し上げるのであるが、質量は容積と体積を持ち合わせているが、見る角度利用者の利用目的の見智から見ると大変な違いを見い出す事ができる容積容器搬送は、運びたいものを運ぶに当ってその入れる容器の重量、即ち、風袋（フータイ）をも運び地球上の引力も具さに運ぶのである。例えていえば貨物を運送するトラックに至るまでそうである。トラックや自動車、貨物搬送船、飛行機に至るまでフータイ（風袋）もろとも引力をも運んでいるのである。此の事は、ここで申すまでもないのである。一方体積容器は、排斥搬送方式であり���いかなる固体でも体積量のない物体はないのである。そこで体積容器搬送方法は、運びたい物質を運ぶに当って自身の質量ｍ即ち、体積量でその量を決め搬送方法は、排斥量で是れを運ぶのである。しかも運びたい物だけを運ぶのである。その移動入力エネルギイーは自身の自重であり、Ｗｅｉｇｈｔウエイト＝Ｗ体重で是れを運んでいるのである。従って地球上の万有引力＝重力Ｇで運ぶのである。従って自重、体重、排斥搬送方法は無経費、無入力エネルギイーでよいのである。何故ならば入力エネルギイーは、機能構造の中、体積内面に重力Ｇの入力エネルギイーを兼ね備えているからである。本重力機関においても此の基本原理の必要性を強調するため、また、もう１ツ結論として、重力エネルギイーを利用するに当って本原理を利用すれば全ての形態管器に普遍するものであり形態管器にこだわる事は、ないのである。従って本項は、液水及び流動性のある物質のある範囲に至るまで同原理方式方法に依って搬送する事ができる。重力、反重力の容器の応用とその基本原理に基づく方法論と実施、試作構造システム論である。以上の請求項８、である。
【請求項９】
本項は、その１ツの方法として比例数値の設定の数箇条をその基本定規として此々に示す請求項である。
上記、掲載のように本源力は、その形態にのみ、あるのではなくして、体積、容積とその自重、体重に基本をおくのである。その基本定数、数値は全ての形態に普遍して共通する原理であり、本機関の基本原理は物理定理に本源力をおくものである。その定理の中でも今だ誰人も利用応用しなかった分野の利用応用であり形態を一円する物理原則に依るものである。その原則原理はあまりにも幅広く重箱の角をつつくような幅の狭い分野ではない無限であるともいえるのである。然るに本重力機関はあらゆる形態をも含む形態にとらわれない重力機関の基本定理である。万有引力エネルギイーは重力＝Ｇと現れ、重力＝Ｇは、質量ｍの範囲に存在し容積、体積の二積と現れその二積の中でも体積の排斥搬送方式の威力、効力に依るものである。
１．任意のサイズ外筒容積量対、内筒用、体積量の比例数値の設定
２．任意の搬送高さは、幾ら高さが必要かの比例数値の設定
３．任意の搬送量は、幾ら量を必要とするか比例数値の設定
４．任意の１、ストロークの長さ、上記２、３、を基準とする比例数値の設定
５．任意の重力と浮力の対比往路、復路のバランス比例数値の設定
６．任意の循環仕事の量対比、余饒量エネルギイー比率比例数値の設定
以上の“比例数値”を基本として依り効率の高い重力エネルギイーの注出を計るのである。請求項９、は、法理物理原則に依る基本論であり反重力上昇汲みこみ圧入原理構造の原点である。従って、（※注、本請出願書も原則原理の項としてひな形をはみ出す部分のある事を御了承下さい）
以上のことわりを以って後に記述する数式計算の多いのも体積、容積を主役とした重力機関構造システムであるからである。然るに形態実施例や試作実施例題は、１ツのサンプルに過ぎないのである。従って本項は此の体積量排斥搬送方式に依る無入力搬送に関する請求項９である入力エネルギイーは引力＝重力＝Ｇ＝質量＝ｍ＝容積＝体積＝双方の体重＝Ｗ＝自重の中でも体積量と体積自重にその本源力が、存在するのである以上、方法原理に関する、請求項９である。
【請求項１０】
本重力機関の構造システム、第１、セクション（１）は、本機関の入力駆動原動力源、※▲１▼循環駆動機能力水車、１０、を配備設置し該、圧力タンク、２、の底辺部、上、下部の上部底盤、２１、に密封定着水密固定し、該、機能力水車、１０、に１箇処の水車流水取入口、１１、を設け、是れをただ１箇処の排水口、１２、とし水車羽根流速回転円周順応流水道、１５、のみを、排水道、１７、とし該、円周順応流水道、１５、の後方、出口、１６、から更に延びた排水道、１７、の適処に調節バルブ、２０、が、調着され更に延びた排水道、１７、は、下段部の該、貯水タンク、５、に放出口、１９、より放流落下放出する本機関は液水の重力比重エネルギイーに圧力比重をかけて流速落下エネルギイーを利用した重力機関であり入力調節において流量調節バルブ、２０、を調節制御コントロールする事に依って入力駆動能力機能を調節する事ができる。永続循環原動力源、機能側面の重力機関その１、の請求項１０である。
【請求項１１】
本項は上記、第１、セクション（１）※▲１▼循環駆動機能力水車、１０の型式についてである。本水車はフロート式胴体である。水車本体は、円筒適宜高さの胴体、１４、に遠心対角線上を基準線として水車羽根は回転方向前方斜め直進飛出羽根可動式１３−Ａ、として平鈑羽根の先端部適処、１３−Ｋ、を適度の角度に折りまげてくの字形、流水受羽根となる此の水車羽根を嵌合挿入可動するガイドレール、１８、を設け此の該、レール、１８、を円筒胴体軸芯円心中空部貫通孔、２３、適宜を設け、スプライン軸貫通孔、２３、とし円周胴体、１４、平面部全体を精巧妙密に仕上げ施工し、此の該、胴体、１４に上円盤と底円盤を両面から密封水密定着固定して胴体フロート、１４を形成し、水車軸芯には、円周６角度６方向インボリュート、２４、即ち、円周６等分インボリュート、または、円周８角度インボリュート即ち、円周８等分インボリュートを軸芯孔、２３、に埋め込み固定嵌合緊結すればあらゆる型式ユニット企画式水車型式として組み合せ対応ができる。従って組み合せ型式ユニット型式として軸シャフトは、スプライン軸シャフト、２６、型式円周６角度スプライン軸、或は、円周８角度方向スプライン軸、２６、で嵌合スライド挿入連結すれば水車を１段、２段、３段、と適宜重ね合せる事に依って方向性や羽根の数も出力への対応にも、幅広く対応できるのである。本項は、本機関の水車回転体胴体フロート式、１０、に関する請求項１１、である。
【請求項１２】
本項は、上記該、※▲１▼循環駆動機能力水車、１０の回転体胴体水車、１０、のハウジング、ケーシング、２７、に対する請求項である。本水車本体のケーシング、２７、には１段毎に独立した同型企画として上部入水口、１１、と下部排水口、１６、が設けてあり、上部入水口、１１、より入水した、流水は、水車羽根、１３、を押しながら、１回転させて排水口、１６、に依って排出される。２段重ねの場合は、排水口、１６、と上部入水口、１１、と嵌合固定水密二体を一体化に連結する。３段重ねの場合は三体を一体化連結、４段重ねの場合は、四体一体化連結４回転排出口、１６、に排出されるようにすればよいのである。つまり、上段１階から階下へ１回転、Ｂ１、からＢ２、へ２回転Ｂ２、からＢ３へ３回転、Ｂ３、からＢ４、へ４回転として各独立水車、重装置同位置方向同等入水流入口、１１、とし、また、排出口、１２、も同等に同位置方向同等排出口、１２、とする事である。流入口、１１、と、排水出口、１６、の位置関係はなるべく円周１回転の範囲内の出力効率と入流量及び出排量の効率の上に立ってその配置と孔径のサイズ形態を決めるのである。従って本水車のケーシング、２７、は、単１、独自も使用できるし、２重、でも使用、３重でも使用、４重でも使用できるフリーケーシング形式ユニット企画型水車ケーシング、２７、に関する請求項、１２、である。
【請求項１３】
本項は、上記、該、源動力水車のユニット企画、各種のサイズがある中の１種の仮定例題として記載するものである。水車の応用、使用範囲と形状型式組み合せ型体の１サイズに関する重力機関、第１、セクション（１）と第４、セクション（４）、の機能力源、入力源と出力源、圧力水流駆動水車、その他、流動物用にも対応使用できる実施例、試作例題、下記、例題、第１、表である、とともに請求項１３、でもあるのである。
【請求項１３】
2006016969.tif 000002
上記のその他を含め、ユニット企画、各種サイズの中の１、サイズについての型式である此の形式は各種サイズにおいても普遍して共通するものである。本項は循環駆動機能力水車、１０、の水車のユニット企画に関する型式のフロート胴体式請求項、１３、である。
【請求項１４】
本項は、本重力機関、内蔵装置、構造システム、第２、セクショヨン、（２）、※▲２▼倍力伝達駆動装置、２５、である。本装置は上記、第１、セクション、（１）の源動力水車伝達軸シャフト、２６−Ｆ、に調着されたピエオンギヤー２８より入力Ｘエネルギイーを、受けて、倍力伝達及び、ストローク駆動を行なう装置、２５、である。大歯車内径半径変形ハート型中空部円盤、３０、または、インサイド、スライド、カム、３１、ともいう名称である。該、中空部円盤が、回転すればケーシング、２９、に設けられた、ガードレール、３６、に添って嵌合摺滑する円芯対角線一直線状の直進スライド、バー、３３、適宜が、調着可動装備され、該、スライド、バー、３３、には、全長、長さ、及び、巾共に各々、センター芯振り分け、２個＝２箇適宜、間隅でセパ、ピン、ローラー、３２−Ａ、３２−Ｂ、を設け、該、セパ、ピン、ローラー、３２−Ａ右、及び、３２−Ｂ左、を中心に遊合調着した直進スライド、バー、３３、は作動する此の時、セパ、ピン、ローラー、３２−Ａ右、は回転しながら“内円心”向って直進すると、同時に該、スライド、バー、３３、も直進する。例えば往路において、右、セパ、ピン、ローラー、３２−Ａ右、をメイン、表の働きとして駆動する場合は、作用は“遠心方向”に一直線に“内心”に引き込む、“引張作用一方向”のみの“力作用”が、働き円心終点に達すると、左、セパ、ピン、ローラー、３２−Ｂ、は、対角、対象、外径、の位置に達すと、即時、入力位置変換して、次は、左、セパ、ピン、ローラー、３２−Ｂ、が、メイン、表の働きとして、“遠＝外”“心＝内”方向性は、左から右へ復路、即ち、“左遠外”から“右心内”へと作動し、復路を終わるようになる“遠”または“外”は、“左遠外”から“右心内”へと移行する時はメイン、表の働き軸芯ローラーとして働き“心”は、または、“内”ローラーは“左心内”から“右遠外”へと、遊行し、“フリースタイル”となるのである。此の事は、左、右、共に交互に行なわれるのである。“遠”または、“外”は、“力作用”出力が弱い。しかし、本機は、支点、力点の位置から比較すると、入力１、エネルギイーよりは、強い。拡大されたエネルギイー出力が働く、更に“心”は“力作用”出力は強力である。従って、入力し、エネルギイーよりは、はるかに、大きい出力である。数倍〜十数倍にも達する。倍力伝達駆動装置、２５、である。“遠”から“心”に向う一方向引張力作用一直進、径、復、作用スライド、バー、３３、適処にアック歯車、３４、を装着固定一体化して、軸シャフト付きラックピニオンギヤー、３５、と嵌合して適宜、回転、正、反転回転させ平歯車しーそー、ストロークギヤー、３７、を両端に配し、これを介して、第３、セクション（３）※▲３▼液水上昇排斥循環装置、４０、をストローク作動するのである。以上重力機関の構造システム、倍力伝達駆動装置、２５、に関する総合機能の請求項１４である。
【請求項１５】
本項は上記、記載の※▲２▼倍力伝達駆動装置、２５、の部分、中枢機能の関する請求項である。該、大歯車内径半径変形ハート、中空部円盤、３０、は大歯車円盤、３０、の平面の半径を利用してインサイド、スライド、カム、３３、を作るのである。そこで、１ツの仮定例題として、例えば、３２ｍ／ｍφピッチのラック、ピエオン、ギヤー、３５を１回転させるを、１、ストローク長さ、とすると、ピッチ直径３３ｍ／ｍφ×３．１４１５９＝１００．５３ｍ／ｍＬ円周長さである。此の長さを１、ストローク長さと、置くと、スライド、バー、３３、の中芯振り分けにセットされたセパ、ピン、ローラー、３２−Ａ、３２−Ｂの間隔も決まるのである。従って、右セパ、ピン、ローラー右外長側摺滑回転して引張ストロークすれば１００．５３ｍ／ｍＬのスライド距離が必要となる。此の距離が、左、右セパ、ピン、ローラーの基準となる。従って、中空円盤、３０、の円心を基準としてハート型の外円Ｒは、１１４．５３ｍ／ｍＲ、とし円心内径Ｒ、は１３ｍ／ｍＲ、を限度とすると、１１４．５３ｍ／ｍ−１００．５３ｍ／ｍ＝１４ｍ／ｍであり、１３ｍ／ｍに対して、１４ｍ／ｍは、１ｍ／ｍは、遊びの余融と見る事ができる。従って、セパ、ピン、ローラー、右外径、３２−Ａ、左外径、３２−Ｂ、の“外”から“外”の外法長さ、を１１３．５３ｍ／ｍと定め一方、“中空盤ハート”の外径Ｒは１１４．５３ｍ／ｍと定め円芯内径Ｒ、１３ｍ／ｍＲを、基準として、対角直線対外径Ｒ、１１４．５３ｍ／ｍＲ、とを結び継続する半円弧状、即ち、１１４．５３ｍ／ｍ直径の円で結べばよい。つまり、Ｒ５３．２６５ｍ／ｍで半円軌道弧状を設ければ“中空ハート形”の外径Ｒに向っての滑らかな“カム”円弧状半径が、できる一方“変形ハート型”外Ｒ１１４．５３ｍ／ｍの基点、即ち、スライド、バー、３３、直進らいん、センター芯を基点として、中空円盤回転４５度を超えた、５０度程度から円心部１３ｍ／ｍＲに向って、半円弧状を描いて適処に帰着するように滑らかな半円で結べばよいのである。１ツのポイントとして円心１３ｍ／ｍＲに帰着する適処はピン、ローラー直径１５ｍ／ｍφの外径の通過する“逃げ道”であり、余融が多すぎても少な過ぎても大変なロスが生まれる。従って、微調整が必要なところである。また一方、５０度程度から、円芯に向う半円弧状中空部は、セパ、ピン、ローラー３２−Ａ、３２−Ｂ、が、“フリースタイル遊び、ローラー遊行スライド”の逃げ道であり、衝突しないように中空部にしてあるのである。従って、“後方中空部”は円芯１３ｍ／ｍＲに帰着・帰結する部分にのみ、ピン、ローラー３２−Ａ、３２−Ｂ、の外径に合せて、微調整を必要とするのである。図示例第７図の図２・図５・図７・図８・図１０、また第１５図・図６・Ｋに示すようにインサイド、カム、大歯車内径半径変形ハート型、中空部円盤、３０、はインサイド、スライト、カム、３１としてスライド、バー、３３と嵌合遊納装行して該、ハート中空部円盤の回転に依ってスライド、バー、３３、が“外遠”から“円芯”に向って引張作用を表メイン、として引き込むのである。その１、ストローク長さは上記例題の１００．５３ｍ／ｍＬ長さとなる。即ち、ピニオンギヤー１回転と一致���るのである。此の１、ストローク、長さは該、ハート中空部円盤歯車の半回転である。“右遠外”から“円心内”へ終点となり右セパ、ピン、ローラー、３２−Ａは“フリースタイル遊びローラー”となり、往路は終わり復路においては左セパ、ピン、ローラー、３２−Ｂ、は“左遠外”に到達しており、即時“メインローラー”表の働きと変換して“左遠外”から“右円心”に向って行動を始め引張作用を表として引き込むのである。そこで左セパ、ピン、ローラー、３２−Ｂ、は、円芯内終点に依って復路の終わりになり該、変形ハート中空盤歯車、３０、１回転が終わるのである。従って１回転に２、ストロークの仕事をこなすのである。また、更にインサイド、スライド、カム、３１、は、２枚を１対として使用、３枚を１対として使用。また、２枚対象方向に組み合せ正、反同等回転もでき、また、３枚を２枚正転１枚中心センター反回転の３枚１対の組み合せも可能である。また、是れ等、２枚１対、１、クランク、２、クランク、３、クランクと多方向希望目的方向多重クランク装置としても使用できる。また、３枚１対、正反回転３枚１対１、クランクにおいてもよりいっそう強力なクランクとして、上記同様１、クランク、２、クランク、３、クランク、４、クランクとして使用できる。また、是れ等のクランクのスライドバーの方向性もインサイドスライド、バーの場合は１、クランク１本〜２本の単方向、２方向まであるが、アウト、サイド、バー即ち、倍力装置、２５、の本体胴体より外長に延びたロング、スライド、バー、３３を使用すれば、１、クランク、１本バー左、右対角２方向の使用ができまた、その左、右、対角２方向にも両サイド嵌合１駆動とすると、４サイド、駆動能力となり、嵌合２駆動とすると８サイド駆動能力となるというように、１、クランクにおいても複数駆動ができる。また、一方、スライド、バー、ロングの場合、１、クランク左、右２方向往復である。是れを２、クランクと、したら、４方向十文字形３、クランクの場合は６方向等分形、４、クランクの場合は８方向、米印形等分配置、またその他も可能である。従って、本装置“倍力伝達駆動装置２５”は、本重力機関を離れて、単独装置でもある。
【請求項１６】
上記、該、第２、セクション、２※▲２▼倍力伝達駆動装置、２５、の大歯車内径、半径変形ハート型、中空部円盤、３０＝インサイド、スライド、カム、３１、基本型を各々企画化してサイズを決め“ユニット企画”とすると各種サイズの内の、１、サイズ、企画を仮定例題としても各種、目的、仕事及び利用分野に対応できるのである。その例題として次のような各種形態の該、倍力伝達駆動装置２５、ができる。下記、企画実施例題１、サイズ、１種における、企画表、実施例題表、請求項１６第２表である。
【請求項１６】
2006016969.tif 000003
上記、その他、各種及び、各種ユニット企画、各種サイズの１、サイズについての型式である。此の型式は各種サイズにおいても普遍して共通するものである。本項１６項は、倍力伝達駆動装置２５、の型式ユニット企画に関する請求項１６、の重力機関である。
【請求項１７】
液水上昇搬送方法、基本方法に対する、発見と発明に関する請求項である。本項は、重力機関、第３、セクション、３、※▲３▼液水上昇排斥循環装置、４０、の項である。本装置は液水を上昇させる装置であり、その入力エネルギイーは本装置の内筒用、体積量排斥容器棒、４３、＝フロート式、ストローク体積棒、４２、ともいうのであるが、此の内筒用、体積量排斥容器棒、４３、のの自重、または、体重を入力エネルギイーとして利用して、“上昇”“汲み揚げ”搬送を行なうのである。本装置は、内筒用、と外筒用、の二本の円柱筒が、主役であり、その他は、脇役である（※注、ここでは“二本の円柱筒”と規定したが管容器であればどのような形態でもよい）この主役の“内筒用”と、“外筒用”が、挿遊入遊して、適宜ストローク、して液水の上昇搬送を行なう装置である。従って、本装置に対する構造説明は単純簡単であるが、構造システム行程、構造に入いる前に、最も重大な決定的条件があり、たった“二本”の“管容器”であるが、此の“二本の管容器”のサイズ決めが、重大課題になるのである。従って、その“比例数値”に対する“算出法”を“表”として記載する。上記、外筒、内筒、２筒は主役と述べたが、その主役中の主役は内筒用、体積排斥容器棒、４３、＝フロート式、ストローク容器棒、４２、である。従って、全ての基準は此の“内筒体積量”を中心に決定する必要がある。例えば、目標搬送量に従って“筒の大きさ”サイズを決め、また、目標、搬送高さに依って、“１、ストローク長さ”を決め“１、ストロークの長さ”は“平面積平方”を決めるのである。例えば、別表、例題第４、表、実施例、請求項２３に示す最終段の１例に依って、算出すれば（１０ｃ／ｍ／５００ｃ／ｍ３）×５＝（１００ｃ／ｍ＝１ｍ／５０００ｃ／ｍ３）＝５ｌである。即ち、１、ストローク１ｍ＝５０００ｃ／ｍ３＝５ｌという事である。搬送高さ目的＝５ｍであるから、５対１＝１対５である。ところが、１対５では、５倍目的高さの５ｍまでは液水を排斥上昇させる事はできるが、“零れ落ちる”“汲み込み量”には、至らず、“ゼロ”である。従って２５対２６とおいて計算すると、内筒体積量１ｍＬ体積量５０００ｃ／ｍ３＝５ｌを比例数値、２５、とおくと、外筒容積量は比例数値、２６、にすれば次の計算式（１０００ｃ／ｍ＝１ｍ）／（５０００ｃ／ｍ３＝５ｌ）÷２５＝（２００ｃ／ｍ３＝０．２ｌ）である。従って、２６は、外筒容積量は、５０００ｃ／ｍ３＋２００ｃ／ｍ３＝５２００ｃ／ｍ３である。従って１ｍ、１、ストローク当たり５０００ｃ／ｍ３外筒とするという事である。すると、内筒、２５＝５０００ｃ／ｍ３と、外筒２６＝５２００ｃ／ｍ３の対比となる。言い替えれば２５分の１の２００ｃ／ｍ３分量分の容積量が大きい外筒容器を使用するという事である。即ち、容積量５２００ｃ／ｍ３／１ｍの外筒用容積量の筒内に内筒用体積量５０００Ｃ／ｍ３／１ｍを挿遊入遊すると、５０００ｃ／ｍ３の液水を引き延ばして２５ｍ高さまで上昇させる事になるのである。その重要ポイントは、３ツある。１ツ目には、上記の、内筒用、体積量を中心とした、“外筒用容積筒”の対比、“比例数値”を決定する事。そして、２ツ目には、“外筒用容積量容器筒、４��”の深水最下部先端に、逆止弁、４５、を設ける事である。３ツ目は、内筒用、体積量排斥フロート式ストローク棒、４２、の深水最下部先端に、体積排斥用、逆止弁、４６、を設ける事である。上記、の２５ｍ高さ上昇も外筒容積容器、４４、の深水部最下先端に逆止弁、４５、を設けた結果なのである。そこで、本例題は、希望目的高さは、５ｍであるから２０ｍ高さ分量は“零れ落ちる”即ち、１ｍ／２００ｃ／ｍ３×２０ｍ＝４０００ｃ／ｍ３は、“零れ落ちる”という事は、“汲み込み量”である。そして、５ｍ高さ、外筒容積内には、残留水は、１０００ｃ／ｍ３＝１ｌである。従って、残留水液水比重１０００ｃ／ｍ３＝１ｌ＝１ｋｇ重は、即ち、内筒用、体積量排斥容器棒、４３、＝フロート式ストローク棒、４２、の自重、１ｋｇ重で相殺する事ができるのである。従って、上昇５ｍ高さに、５０００ｃ／ｍ３＝５ｌを運ぶに当って自重１０００ｇ＝１ｋｇ重の体重ウエイト＝Ｗ、で運ぶ事になるのである。従って、自重（１０００ｇ＝１ｋｇ重）でその４倍重の（４０００ｃ／ｍ３＝４ｋｇ重）４０００ｃ／ｍ３＝４ｋｇ重を５ｍ高さまで“汲み込み搬送”した事になるのである。此の計算数値は、事実であり、真実であるのであるが、此の“数値”も、また、“見かけの数値”である。それは“静的静止的数値”である。“動的に見る”と、往路、１、ストローク内筒用体積棒、４３、の体重、自重落下に依る排斥搬送量である。ところが、復路、１、ストロークにおいては、体重、自重量１ｋｇ重と内筒用、該、排斥容器棒、４３、深水下先端の逆止弁、４６、の体積排斥水落下封じ逆止弁、４６、に依る残留水比重１０００ｃ／ｍ３＝１ｋｇ重の重量も倶に引き揚げる入力エネルギイーが必要となる。従って２ｋｇ重以上の入力が必要である。だが、此れも、また、“見かけの数値”である。此れを、補うのが、外筒用の容積筒、４４、の深水下部先端に配備調着された、逆止弁、４５、の効果に依って、此の“往路”復路のアンバランスを相殺しているのである。此の逆止弁、４５、は、復路始め１瞬にして弁を自動的に開放して貯水タンク、２、自然界水深比重圧力の復元力、即ち、浮力５０００ｃ／ｍ３＝５ｌ＝５ｋｇ重の水圧力で押し揚げてくれる。是れに依って相殺してあまりあるのである。次の実施試作例題第３、表、液水上昇循環装置汲み揚げ量実施例
【請求項１８】
2006016969.tif 000004
2006016969.tif 000005
2006016969.tif 000006
【請求項１８】
本項は上記、記載の左、上段、傍頭、に〔請求項１８〕下記であると示す様に本項は液水上昇搬送方法の基本方法に関する上記記載の実施例題第３表である。此の第３、表の数式、そのものが、実務、実証、試作を意味するものである。従って、第３、表を以って請求項１８とするものである。該、第３表は、液水上昇循環汲み揚げ、量の各種、１、ストローク長さ、及び各種、搬送量の様々を円筒平面積直径φ（※注、円径管器にこだわるものではない）で搬送量を変化させ、または、１、ストローク長さの変化に依っても“希望目的高さ”及び搬送量も変化させ微調整ができるのである。以上、上記、第３表を請求項１８、におく理由である。
【請求項１９】
本項は、上記、記載の第３、表に基づく展開項である。該、第３、表“基本比例数値”は、内筒用、体積量排斥容器棒、４３ｍ＝フロート式ストローク体積棒、４２、は比例数値、５０とおくと、外筒用、容積任意希望目的高さ、搬送筒、４４、の容積量は、比例数値、５１、としているのである。即ち、５０対５１は、本機の“比例数値”である。此の“比例数値”は、“体重”及び“自重”と液水比重の側面残留水の重量が１対１の均衡・平衡になる“比例数値”である。即ち、搬送量の５０の５０分の１の水路を作るのである。５０分の１の水路は５０倍の高さまで液水を排斥上昇引き延ばす事ができる。従って“５０”は“搬送１、ストローク長さ”の“排斥量”を意味し、５０対５１の対比の５１−５０＝１であるというように５０分の１の上昇水路におきかえる事に依って、それぞれ均衡・平衡高さが、第３、表の縦最後列に１、＝５ｍ・２、＝１０ｍ、３＝１５ｍ・〜・１０、＝５０ｍとなるのである。此の体積量５０と容積量５１の“比例数値”をかえないで目的高さを次第にヘッド、ダウン、カットすると、第３、表上段１、＝４．５ｍ高さ目標ならば＝１００ｃ／ｍ３・２、＝９．０ｍ＝２００ｃ／ｍ３・３、＝１９．５ｍ＝３００ｃ／ｍ３・〜・１０、＝４５ｍ＝１０００ｃ／ｍ３・“零れ落ちる”“汲み込み量”である。そして、２５縦列１、＝２．５ｍ＝５００ｃ／ｍ３・２、＝５ｍ＝１０００ｃ／ｍ３・３、＝７．５ｍ＝１５００ｃ／ｍ３・〜・１０、＝２５．０ｍ＝５０００ｃ／ｍ３・“零れ落ちる”“汲み込み量”である。続いて１、＝１．５ｍ２＝７００ｃ／ｍ３・２、＝３ｍ＝１４００ｃ／ｍ３・３、＝４．５ｍ＝２１００ｃ／ｍ３・〜・１０、＝１５ｍ＝７０００ｃ／ｍ３、の液水が“零れ落ちる”のである。即ち、“汲み込み量”なのである。従って、ヘッド、カット、ダウン高さ位置を目的高さとしたならば、その高さ位置の“零れ落ち”なかった残留水量は、内筒用、体積棒、４３、＝フロート式、ストローク体積棒、４２、の自重におきかえる事ができる。従って第３、表の縦列１５／１６列は１、＝（１．５ｍ＝７００ｃ／ｍ３）＝１０００ｃ／ｍ３−７００ｃ／ｍ３＝３００ｃ／ｍ３＝３００ｇ重・２、＝（２．０ｍ＝１６００ｃ／ｍ３）＝２０００ｃ／ｍ３−１６００ｃ／ｍ３＝４００ｃ／ｍ３＝４００ｃ／ｍ３重・３、＝（３ｍ＝２４００ｃ／ｍ３）＝３０００ｃ／ｍ３−２４００ｃ／ｍ３＝６００ｃ／ｍ３＝６００ｇ重・〜・１０、＝（１５ｍ＝７０００ｃ／ｍ３）＝１００００ｃ／ｍ３−７０００ｃ／ｍ３＝３０００ｃ／ｍ３＝３０００ｇ重＝３ｋｇ重という事である。従って内筒用、体積量排斥容器棒、４３、＝フロート式、ストローク体積棒、４２、の自重、体重、は１、は３００ｇ重・２、は、４００ｇ重・３、は６００ｇ重・〜・１０、は３０００ｇ重＝３ｋｇ重でよいのである。従って、本装置が、何故、フロート式、ストローク体積棒、４２、を使用するかは、幾多の理由のその１ツは、自重、体重の調整の上からである以上、“比例数値”に関する請求項１９、である。
【請求項２０】
本項は、上記、記載の該、第３、セクション、（３）、※▲３▼液水上昇循環装置、４０、の単筒・単一、１、ストローク範囲内で１環の説明をして来たのであるが、単筒、単管器各種全般に普遍して言える事はメリットの有る事は上記、明々、白々であるのであるが、発明者の欲とも言えるのであるが、本項では、その欲の部分を請求項としてあげるのである。単筒、単管、単管器、１、ストロークには往路、復路における微調整が必要であると、上記、記述したのであるが当にその通りであるが、それらの微調整を行なう事なく比較的近い数値で残留水比重、重量に対すればそれでよい方法があるのである。例えば残留水重量１０ｋｇ重と、おいたとしたら単筒、単一の場合は、１０ｋｇ自重を目安としてその上、下を微調整して決定、自重するのであるが、此のような神経質な事を考えず、１５ｋｇ重・２０ｋｇ重・３０ｋｇ重・４０ｋｇ自重であっても残留比重１０ｋｇ重と対比して、あまり影響のない方法があるのである。それは、複数器筒を左・右に配置してシーソー状に駆動する事である。複数の中でも偶数器筒が、理想的である。例えば２、４、６、８、１０、１２、器筒というふうに左、右、均等、対象、比例、同等とすれば、中心支点、中心駆動、正転、反転、往、復、回転、２、ストロークと設定したならば、１、ストローク往路においては、左側、１器筒・右側１器筒の１対１の場合は水平、平衡にある時は、ゼロであり左、右同等の器筒自重であれば１５ｋｇでも、２０ｋｇでも、３０ｋｇでもゼロ状態である。そこで気の付く事は、双方の自重が、幾らであろうが、双方の自重で相殺するからである。従って本当の入力消費量は、１、ストロークの長さの範囲に納まってしまうのである。例えば往路の回転方向を仮に時計まわりの右回転とした場合、右側、１器筒は、下降するその反対側の左側、１器筒は、上昇する。従って支点、中心、平衡、水平にある時はゼロ重力である下降に向う右器筒は内筒用、体積棒の落下加速度に対する“水圧抵抗”は速度の３乗倍の抵抗を受ける此の水圧抵抗３乗倍だけが、消費料となる一方左側、左器筒は上昇する此の左器筒上昇時に、また、大きなメリットがあるのである。それは、深水下部の深さにも依るのであるが、もう１ツ大事な事は、逆止弁の役割が大変な効力、効果を発揮するのである。以上が、複数筒天秤、チコ、運動、つまりシーソー運動の効力、効果に依る請求項２０、である。
【請求項２１】
本項は、逆止弁、４５、とフロート式、ストローク体積棒４２、の効果得益である。その１例として第３、表、請求項１８、の中段部最下段１０、の１、ストローク長さ１００ｃ／ｍ３／１０ｌ＝１００００ｃ／ｍ３は、即ち、１ｍ長さ／１０ｌであるという事は、深水、水面下１ｍ以上１．５ｍ深水最下から水面下５０ｃ／ｍ＝０．５ｍ範囲の１００ｃ／ｍ＝１ｍ、１、ストローク長さとしていると設定できる。従って、１ｍ長さ／１０ｌならば１０ｃ／ｍは１ｋｇである。従って、上昇時深水水圧、“復元力＝浮力”は深水最下部で１．５ｍであるから、１５ｋｇ重の“復元力＝浮力”が“押し揚げて”くれる。そして、最上昇時１ｍ長さストローク終点においては、“５ｋｇ重の復元力＝浮力”が“働き押し上げて”くれるのである。然らば上昇上位終点の復元力でも５ｋｇである。５ｋｇと言えば別表、第３、表の１０、の２５／２６の２５ｍ高さまでの残留水比重重量、５０００ｃ／ｍ３＝５ｌ＝５ｋｇ重を“地球のエネルギイー”からもらっているのである。もしも、２５ｍ以下の希望目的高さならば、例えば２０ｍならば残留水比重は、４０００ｃ／ｍ３である。従って、５０００ｃ／ｍ３−４０００ｃ／ｍ３＝１０００ｃ／ｍ３＝１ｋｇ重超過するのである。もしも、１５ｍ希望目的高さならば、３０００ｃ／ｍ３である。従って、５０００ｃ／ｍ３−３０００ｃ／ｍ３＝２０００ｃ／ｍ３＝２ｋｇ重超過するのである。もしも、１０ｍならば２０００ｃ／ｍ３である。従って、５０００ｃ／ｍ３−２０００ｃ／ｍ３＝３０００ｃ／ｍ３＝３ｋｇ重超過するのである。従って左側、左器筒上昇時は、外筒用、容積、任意、希望目的高さ、搬送筒、４４、の深水最下部先端装着の逆止弁、４５、の開放開孔に依って自然界同環境の貯水タンク、６、の１．５ｍ〜０．５ｍの“水圧復元力＝浮力の力”に依るのである。然らば右側、右器筒の下降時の落下加速度抵抗水圧、３乗倍は、左器筒上昇“水圧力、復元力”天秤（テンビン）テコに依って右側、右器筒落下加速度に拍車をかけるのである然らば“入力消費料”は自然界の引力のエネルギイーにかきけされてしまうのである。従って消費料極少である。極少であると言っても使用、利用者、人類が、補うものではなく、地球が、負担しているのであるから使用者、利用者、人類は無入力エネルギイー無経費、永続循環上昇降下装置とも言えるのである。従って、１対１の左、右で明確なように２対２も、３対３も、４対４も、共に同比率で解消できるのである。本項は逆止弁、４５、とフロート式ストローク体積棒、４２、の効力、得益に依るものである。以上の請求項２１である。
【請求項２２】
本項は逆止弁、４６、と逆止弁、４５、に関する項である。本逆止弁、４６、は内筒用、体積量排斥容器棒、４３、＝フロート式・ストローク体積棒、４２、の深水最下部先端に体積排斥流水落下止め逆止弁、４６、として、設けるのである。従って、開放落下の始め、始発の落下速度の水圧抵抗は、加速度の３乗倍の抵抗である。従って該、排斥容器棒、４３、の落下圧力比重に依って外筒用容積、任意希望目的高さ搬送筒、４４、の深水部最下部先端の逆止弁、４５、の弁、４７、は圧力に依って閉塞するのである。該、外筒容積内部進入存在水、つまり、外筒内部室、４１、に満水に充填した存在水が、上昇する、上昇水流道、４７、の水門を開ける働きをし復路の該、内筒用体積量排斥容器棒、４３、の上昇時は此の逆止弁、４６は、体積外残留水の落下漏れを防止すると共に残留水も持ち揚げ搬送をする役目を果すのである。また一方の、外筒用、容積任意希望目的高さ、搬送筒、４４の下部先端深水部逆止弁、４５、は往路時は、該、体積棒、４３、の落下時には進入存在水適宜を残して逆止弁４５、は閉塞して、内部室、４１、に封じ込め外部、自然界同環境の貯水タンク、６、と断絶してしまうのである。すると、内部室、４１、の存在水は、下部には逃げ道がないので上昇し、開放弁の逆止弁、４６、を抜けて搬送筒の水流道、４８、を上昇するのである。此の時の筒内環境は自然界と断絶して独立した筒内環境であるから搬送量分の１０ｌ＝１０ｋｇ重であるが、“比例数値”の緩和に依って、３ｋｇ重程度でよいのである。また一方復路においては内筒用、体積フロート式・ストローク体積棒、４２、は、上昇する。その瞬間、外筒用、下部逆止弁、４５、は、即座に、開放・開孔となって自然界と同環境と変化流通すると、貯水タンク、６、の深水圧力、“復元力＝浮力”の１５ｋｇ重で押し揚げ、１０ｃ／ｍ上昇毎に１４ｋｇ重圧・１３ｋｇ重圧・〜・５ｋｇ重圧まで１、ストローク長さ、１ｍを上昇させ、“復元力＝浮力”５０ｃ／ｍ深水部５ｋｇ重圧のところまで上昇してまた、変化して往路に向うのである。その時は、１切の外部抵抗を断絶する逆止弁、４５、の作用に依って内部だけの独立環境を作り搬送量分の抵抗勢力に変化させる！とは言っても、総合搬送量は、１０ｋｇ重であるが、ヘッドのダウン、カットがある故に該、第３、表例題の中段最下段の１０、という事であるから１５／１６縦列１０、ならば３ｋｇ重程度である。２０／２１でも４ｋｇ重程度である。だが是れ等の抵抗勢力も左、右、上、下、正、反、運動、または対象運動、または順次ストローク４分の１、クオウターサイクル運動において相殺してしまうのである。上記、各項、色々と逆止弁の効力、効果を述べて来たのであるが、従来の逆止弁作用はただ液水、空気、等々の逆流閉鎖を表として使用してきたのであるが、本装置に使用においては二ツの環境を正、負、正、反、重力、反重力、上昇、下降、を“１瞬に変化”させる“威力”も兼ね備えている事である。従って地球上の人類が“敵と見なし”“抵抗壁”と思い込んでいた万有引力９．８Ｇも百％味方に付ける事の出来る装置▲３▼液水上昇循環装置、４０、のプロゼクト、メンバー、の第１人者であるとも言えるのである。以上、逆止弁、効力、効果、に関する得益の項、請求項２２、である。
【請求項２３】
本項は、本機関第３、セクション、（３）※液水上昇循環装置、４０、の集大成の項として請求項１７、１８、１９、２０、２１、２２項と本項２３項は実施例題第４、表と、する。
【請求項２３】
2006016969.tif 000007
【請求項２４】
本項は、本重力機関の第４、セクション、（４）、※▲４▼出力、仕事、注出エネルギイー原動力源水車、５０、の項である。前期、記載の各種セクション、第１、セクション、（１）、※▲１▼循環駆動機能力水車、１０、は、密封圧力タンク、６、の高水圧圧入充填により、強力な落下水流本機“源力圧力”１、″Ｘのエネルギイー本源力″、を、水車羽根、５１、に受けて、水流、流速駆動されて、軸芯シャフト色々、２６−２、２６−１Ｃ、２６−１Ｆ、と、傘歯車２６−１Ａ、２６−１Ｂ、２６−１Ｄ、２６−Ｅ、の各種を介し伝達して、図示例第６図、図１、に示すように伝達シャフト、２６−１Ｆ、先端出力用ピニオンギヤー、２８、は、約源力、“１ＸＥ”の３．５倍の入力を持ち、依って、該、機関、第２、セクション（２）※▲２▼倍力伝達駆動装置、２５、のインサイド、スライド、カム、３１、に嵌合入力駆動すれば約３．５倍の入力エネルギイーを受ける。更に倍力拡大効力に依って、３．５倍の入力を受けた、インサイド、スライド、カム、３１、の倍力伝達作用に依って約５倍〜十数倍程度の倍力伝達効果、効力、が加算される。此の拡大作用を受けた、スライド、バー、３３、と１体化のラックスライド歯車、３４、を介して、これに嵌合、噛み合うピニオン、ラック、ギヤー、３５、を正反回転し、図示例、第７図の図２・図５・図６・図７・図８・図９・に示すように、このピニオン、ラック、ギヤー、３５、を中芯として双方両方に延びた伝達シャフト、３８、の両端適処に正、反回転シーソーストローク歯車、３７、が設けてある。ここにおいては消費エネルギーは増大するが、液水上昇循環“汲み揚げ”平均実“エネルギイーＸ量”の約、４倍、程度が消費されるが、“浮力と重力”の強力な協力体制に依って、全体の入力エネルギイーからすればたいした消費量ではないのである。この両端適処の正、反回転シーソーストローク歯車、３７、は、第３、セクション（３）、※▲３▼液水上昇排斥循環装置、４０、の内筒用、体積フロート式・ストローク体積棒、４２、を順次サイクル、４行程に駆動し、多量の液水を“汲み揚げ”該、密封圧力タンク、６、に圧力をかけ続け圧入するのである。その液水の需要と供給のアンバランスに依って余饒の大量液水を、密封圧力タンク、６、に圧入される。さすれば約３倍から〜１００倍程度の余饒、液水圧力エネルギイーとなってくる。その余饒、液水を利用して、本機、第４、セクション、（４）、※出力、仕事、注出、エネルギイー、原動力源水車、５０、の液水取入口、５２、より高圧、高速水流、噴出進入されて、流速回転し、円周順応流水道、５５、を水車の段数に依って変わるのであるが、１段水車ならば、１回転、排出・２段重ね水車ならば２回転排出・３段重ね水車ならば、３回転、排出というふうに水車羽根、５１、を推進回転させるのである。従って、液水取入口、５２、より円周順応流水道、５５、数回転して、後方出口、５６、を通じて、更に延びた排水道、５７、適処に設けた、調節バルブ、５８、に依って制御コントロール、され更に延びた排水道、５７、を通じて、下段部、自然界と同環境の貯水タンク、６、に放出口、５９、より、放流落下、放出されるのである。此の貯水タンク、６、の貯留水量は、常時需要分量、“汲み揚げ”減少は、減圧につながるので、放出された分量を、常に“汲み揚げる”等圧維持圧力で圧入しているのである。従って需要が、少ない場合は少なく、等圧多ければ多い状況で等圧回転させるのである。その制御コントロール装置は、調節バルブ、出力側は、５８、入力側は、２０、の各１箇ずつ装備し、入力側の１箇と出力側の１箇の双方の開放度合いバランスに依ってその“等圧比重”も“流速度”も変化させる事ができる。以上の“等圧比重”と“流速度”の変化の調節バルブ入力側、２０、は、入力調節ハンドル、７、に依って、行なわれ、また、調節バルブ出力側、５８、は出力調節ハンドル、８、に依って、コントロール制御されるようになっているのである。図示例、第１図・第２図の図４・図５・図２・に、または図示例、第６図の図１・に示すように入力側コントロール、ハンドル、７でありまた一方、図示例、第１図・第２図・の図４・図５・図２・または、図示例、第７図の図３・図４・に示すように出力側コントロール、ハンドル、８、が示してあるのである。此の水車形態は、該、請求項１１・１２・１３項、特に１３項には、実施試作例題、第１、表として掲載してあるので参考願いたい。また、図示例、第８図・第９図・の各々、図１・２・３・４・５図に示すので本機関、別種に含んでも利用可能である事を示すものであるので参考願いたいのである。そして、本水車軸芯シャフト、スプライン軸２６−２、に嵌合調着固定された、傘歯車伝達ギヤー、２６−２Ａ、を介して、小傘歯車１箇、乃至、複数箇、各方向別に適宜配置して、これら、それぞれに嵌合固定された、出力、仕事、回転エネルギイー、出力軸シャフト、５４、を回転して、外部、各種、作業に各種、各用の変速機能を配備して、これを通じて、外部、各分野に多大の貢献をなすものである。以上を以って請求項２４の本重力機関、第４、セクション、（４）、※出力源水車、５０、に関する請求項である。
【請求項２５】
本項は、総まとめの項として、以上、を以って本発明、本発見、を基準とした、本重力機関＝重力エネルギイー機関の全容の請求項１・２・３・４・項と、続いて、次項には、万有引力＝重力Ｇの引極エネルギイーの活用方法と、その構造理論システムに関する方法論・実務論の請求項５・６・７・８・９・項と展開し、次項において、本機関、各種、セクションの第１セクション（１）、※▲１▼本源力水車の請求項１０・１１・１２・１３項である。特に請求項１３項は、本重力機関に限るものではなく、各種、各用の重力機関、及び、その他、にも共通利用できるものでありその利用分野に普遍する１ツのサンプルとして、第１、表に総まとめして、水車各種企画表として掲載し、是れを以って、請求項１３項と定めたものである。そして、次項において、本機関の第２、セクション、（２）、※▲２▼倍力伝達駆動装置、２５、についてである。請求項１４項において総合請求項である、請求項１５項は、中枢部分項として展開し、請求項１６項においては本重力機関のみ、だけではなく、あらゆるクランク運動機械器機に普遍して共通使用できるものであり、その実施、制作、例題企画ユニット型として第２、表を掲載して、請求項１６項としている。続いて次項において、本機、内蔵の第３、セクション、（３）、※▲３▼液水上昇排斥循環装置、４０、についてである本装置は前代未聞の装置として重力＝Ｇを百％、味方に付ける装置として地球上の引力を全て重力エネルギイーとして利用、使用できる装置として活気的ローテク装置である。従って、その請求項の内容文も自然的に説明解答方法になる事は必然的な事である。従って請求項１７項においてその方法論を中心に、構造システムは比較的簡単ローテク構造で可能である事、そして本項、その他の項にふれてある通り本装置はあらゆる形態容器、管器に普遍する１ツの定理であり本装置もまた、本重力機関を離れて１人歩きする装置として請求項１８項を設け第３、表を以って請求項としたのである。また、その続きとして第４、表もその類として、請求項２３項にあげるのである。請求項２２項においては本装置の逆止弁の威力、効力、効果の項としてあげている。そして請求項２４項において、本機関出力仕事、注出エネルギイー本源力機能水車に対する請求項２４である。総まとめ項２５である。
【発明の詳細な説明】
【発明の詳細な説明】
【技術分野】
【０００１】  本発明は重力機関に関するものであり、本機関は上段部に第１、タンク、１、を設け、その内部には密封圧力タンク、２、とし下段部には第２、タンク、５を設けその内部は自然界と同環境の貯水タンク、６として該タンク、１、該、タンク、５、を接続連結一体化したプラントを作造施工し各タンク内には、システム構造装置が各セクション毎に各々特色ある独自、個性、機能を発揮して出力拡大を計る構造システムが、内蔵配備された、重力機関である。
【エネルギイー源使用範囲】
【０００２】  本重力機関は、上段部第１、タンク、１の内部密封圧力タンク、２、に液水及び流動性のある物質で環境汚染、公害に影響のない物質または、なるべく粘性のないもの、さらりとして比重の大きいもの程その効果は大きい１番手身近に手に入れ安い物質では、水を代表格に考えられる。しかし、水に限定するものではなくもっと良い物質を見付け出す事は人類の２１世紀の課題であるとも言えるのである。
【エネルギイー源使用方法】
【０００３】  本重力機関上記、に上段部、第１、タンク、１内部密封圧力タンク、２の内部に液水を満水に充填して更に下段部第２、タンク、５、の内部、貯水タンク、６、にも適宜の量を満水にして此の液水の重力比重を利用して上昇、降下のバランスの格差の拡大を増復、増強して密封圧力タンク、６、内部に高比重液水を作り、上段部第１、タンク、２内部に需要に勝る大量の液水を圧入する。その拡大倍力倍数は最低基準は液水比重自然界比重の約３倍比重程度、最大高圧比重は、１００倍程度までは、可能である。また本機関は１度液水を充填してしまえば、数ヶ月に１度くらいの補充が必要程度である。１度充填しておけば止める必要がなければ半年でも１年でも、永続循環駆動である、記述のように媒体物は液水という事であるが、液水その物の化学性のエネルギイーを利用するものではなく液水の重力比重を利用する重力機関である。従って本重力機関は万有引力＝比例定数平均値重力９．８Ｇが、動力源なのである。従って重力が対象であるという事であり、水が対象であるというよりも、たまたま、水が１番手身近に手に入るという事である。
【発明の利用分野】
【０００４】  （ア）本重力機関は原動力機関という事であるからしかも、（イ）エネルギイー源の注入消費のない、しかも、（ウ）永続循環であり止まる事のない原動力機関である。しかも、（エ）無公害であり、環境汚染がない（オ）燃料の発注の必要がない。従って無消費である。（カ）従って管理、人件費も削減できる。（キ）その他、などなどと、普及に制限はない。地球上全てが、市場である。あえて使用できないところがあるとしたら、万有引力の働かない無重力環境だけである。万有引力のあるところであれば月でも火星でも各々惑星、衛星においても可能である。
【背景技術】
【０００５】  従来原動力機関は化石燃料零だん燃料は化石燃料はブラックエネルギイーであり発明者が言うところの判定基準は、分子破壊・原子破壊・の化学反応であり不可逆性の最たるものであり、公害は付き物であり地球のエネルギイーの許容量を減衰させ地球破壊に継がる。従って分子破壊は物質そのものを破壊から始まる行為である、破壊のエネルギイーとは壊す物質そのものの生命力あるものを外圧力で強制破壊された１瞬に注出できるエネルギイーの事でありこの行為は、後に此の物質の元の分子原子にはもどらないのである。例えば、ガソリンを燃やすともう２度とガソリンにはもどらないという事である。従って発明者はこれら化石燃料使用破壊はブラックエネルギイーの使用と名付け、従って化石燃料使用は環境破壊の作業であって建設の作業ではないのである。
【発明が解決しようとする課題】
【０００６】  本発明者は、▲１▼地球上の公害をなくす事  ▲２▼化石燃料破壊機関は、騒音が激しい  ▲３▼燃料取り寄せ注文経費がかかる  ▲４▼制御装置が必要である  ▲５▼使用場所に限定がある。従って使用分野にも限界がある。  ▲６▼本機関利用に依ってのオートメイション化は大変な経済効果が産まれる。  ▲７▼物価価値も低下する。
【課題を解決するための手段】
【０００７】  本発明者は、上記、記載の様々な難問を解決する為めに永年考え続けた結果として万有引力即ち地球上の引力比例定数平均値９．８Ｇ重力エネルギイーを利用できないものかと悩み続けた結果、重力Ｇは、質量ｍとして現れその質量ｍは容積と体積に現れる。また、容積と体積の二積に共々に自重、体重即ち、Ｗｅｉｇｈｔウエイト＝Ｗという事である。此の中の、特に注目するところは、容積、体積の二積の働きの比例、反比例、引力、反引力、重力、反重力を発見する事ができ此れを解決手段に選んだ事である。この法則原理多方面に応用利用できるのであるが、ここにおいては、重力逆転利用、反重力作用を利用した一面であるが、簡単な説明をしておきましょう。ここにおいて搬送を目的として論じれば容積容器搬送は“運びたい物質”を運ぶに当ってその入れる容器即ち“包含容器”の重量即ち、風袋（フータイ）をも運び地球上の引力も具さに運ぶのである。例えていえば、貨物を運送するトラックに至るまでそうである。トラック、自動車、貨物船、飛行機に至るまで、風袋もろとも引力をも運んでいるのである。此の事は、申すまでもないのである。一方、体積容器は“排斥容器”であり此の搬送方法は排斥搬送方式であり、いかなる固体でも体積量のない物体はないのである。そこで体積容器搬送方法は“運びたい物質”を運ぶに当って自身の質量＝Ｍｏｓｓ＝ｍすなわち“体積量”でその“量”を決め搬送方法は“排斥量”で此の量を運ぶのである。しかも、“運びたい物質”だけを運ぶのである。その移動搬送入力エネルギイーは自身の自重でありＷｅｉｇｈｔウエイト＝Ｗ体重で是れを運んでいるのである。従って地球上の万有引力＝重力＝Ｇで運ぶのである。従って自重、体重、排斥、搬送方法は、無経費、無入力、エネルギイーでよいのである。何故ならば入力エネルギイーは機能構造の中、体積内面に重力＝Ｇの入力エネルギイーを兼ね備えているからである以上、簡単な説明でその解答は出ていると思うのであるが、本重力機関は此れを基本として液水の重量を上昇高く無料、無入力で搬送し、もしも、此の高さが“１０ｍ高さ”“満水充填”した場合、そのタンク最底盤の出力エネルギイーは幾らになるでしょう。例えば、汲み込み補充量は１０ｌ／１０ｋｇ重としてもタンク最底盤１０ｍ深水部から注出される、出力エネルギイーは１００ｋｇ重／１０ｌの単位１００ｃ／ｍ２＝１００平方センチメートル当りとなるのである。以上であるが、本重力機関は、此の基本原理を基準に更に機能構造システムに考慮を配し、依りコンパクト化を計る。機内に各種の構造物を配備する事に依って、是れをクリヤーして本機関の誕生を見たのである。
【将来に対する宣言】
【０００８】  従来、地球上、人類史上全人類は（紀元前２８７年〜２１２年＝７５才没）アルキメデスの原理を始めその他、を発見、発明をしたのであるが、その中でも重力と浮力の均衡を利用して物質の質量を計測した。また、その裏原理は、物質の質量、体積を利用して、その自重、体重を計測したのである。此の原理原則、自諦は、地球の万有引力自諦を相殺してゼロＧにした事になるのであるが、その後、久しく誰人もそれ以上の反重力、負のＧには、立ち入る人はなく、その案件を出した人は皆無である。その後、２０００年近く後年になってシャー、アイザーク、ニュートンの出現に依って万有引力の比例定数及び“微分、積分法”に依って更に後態の“引極理論”の徹底した、証明において、また、此の“証明”“微分、積分法”は、同時期、新数学の発見を見た。ライプニッツも、また、同発見に到達した１人である。此の両名の大学者の長期、論争は優先権論争であったが、本発明者の意見として言わせてもらえば事のいかんのある、なし、は小さな事で二人の博学者が、同時に同じ原理、理論で優先権論争をした事は相方が相方を双方、共に証明する姿であり、共にあっぱれと賛嘆するものである。此の両名証明理論に依って人類の歴中に大変な革命期をもたらした歴史上の“１ツのターミナル・ポイント”、であったと思うのである。それまでの人類は物質に夫々の重さがあるという事は、おぼろげながら解っていても、その大きさの定規は、持っていなかったと言える。時代に重力という“抵抗壁”の“大きさ”を計る、スケール（Ｍｅａｓｕｒｅ  Ｄｉｍｅｎｓｉｏｎｓ  Ｐｏｉｎｔｓメジャーディメンションズポインツ）を、人類に与え教えた事は、“重力の壁”が、ただばくぜんとしたバカデカイ物と思っていただろう世界に“重力壁”のそれぞれを数字的にとらえる事ができる事に依って、多くの人々が、“重力壁”に挑戦してそれを乗り越える術を知る事になった。その後５０年〜７０年〜１００年後において、ワットの蒸気機関の前進を捉え機械化産業、大産業革命が、到来したのである。そして、現代２５０年の歴史の経過を経て２００３年を終了しようとする現代も“重力壁”という抵抗勢力に打ち勝つために化石燃料を零段に使用する事に依って、地球の生命力許容量エネルギイーを、地下から“掘削、吸い尽し”その“分子”または“原子”を、破壊し尽し枯渇を迎えようとしているのである。本発明者が、思うには、今、地球上、全域に渡って動植物の減少化は、いちじるしく植物林、森林は、はげ山化し砂漠化が進み、動物、鳥、虫、類においても地球全次元で減少している。また、世界的次元で人類もまた、少子化の１都をたどっているのである。是れは、発明者の洞察力に依るものなのであるが、地球の精力性分化石資源は、地球の血液とも言える栄養資源、活力資源である。是れらを、際限なく地球肉体から“掘り尽し”“吸い取り尽し”“空“にしてしまっては、地球青年も貧血性になるのは、あたりまえの事である。従って、地球の治癒力も減退する。それだけではなく、此の“吸い取り尽した”化石資源を、更に、破壊行為として、“分子破壊”“原子破壊”の“外圧、強制破壊”を、行なうは、エントロピイーの上からも“不可逆性”であり“元の分子”“元の原子”には、二度ともどらない行為なのである。従って“個の生命体”の“外圧、強制破壊”は、二度と元には、もどらない復元力のない減少１都の地球及び人類滅亡の労作業でしかないのである。例えば、ガソリンを燃やしてその後に元のガソリンにもどるでしょうか。誠に復元力のない減少１都の地球及び人類滅亡の破壊的労作業でしかないのである。以上、上記を総まとめして難問を解決する手段として本動機関、万有引力＝重力＝Ｇエネルギイー利用のエントロピイーの可逆の原理、元にもどる復元力のエネルギイーを利用して、ただ、復元力を利用すると言ってもただの復元力ではなく、１回充填してしまえば永続循環して使用できるのである。従って、引極作用に対応して“重力壁”をエネルギー百％の利用転換し、地球上の“重力壁”を取り払い、抵抗勢力の“重力壁”を味方にする事が、できたのである。その１切の解決手段のほんのサンプル的構造機関が、本重力機関なのである。
【発明を実施するための最良の形態】
【０００９】  以下、本発明の実態の形態は、第１図・第２図に示すように本重力機関の総合本体図である。上段部には第１、タンク１、を設け、此の該タンクの内部は密封圧力タンク、２、となっている。そして下段部には、第２、タンク、５、を設け該、タンクの内部は、自然界同環境の貯水タンク、６、を配備してまず本機関の“エネルギイー源”液水を満水にし充填した密封圧力タンク、２、と、下段部、貯水タンク、６、も適宜満水にすれば後は、永続循環であるから液水の減少は、蒸気水程度である。まず第１、セクション（１）の入力機能力水車１０を、回転させるに当って、入力調節ハンドル、７、を開孔すれば入力機能力源水車、１０、の水車羽根、１３、を押し進め回転を始め該、水車、１０、の軸芯シャフト、スプライン軸２６は、同時に回転し、此の軸芯シャフト、２６−１、に嵌合調着された傘歯車２６−１Ａも共に回転する。図示例、図６図の図１、に示すように、傘歯車２６−１Ａを嵌合する小傘歯車、２６−１Ｂ、を回転させ２６−１Ｂ、は、シャフト軸と固定され２６−１Ｃとしてシャフト回転し、此の軸シャフト２６−１Ｃに嵌合固定された小傘歯車２６−１Ｄを回転させ、此の２６−１Ｄに嵌合噛み合うかさ歯車２６−１Ｅを回転させ、２６−１Ｅに固定された。伝達軸シャフト２６−１Ｆを回転させ、此の伝達軸シャフト上部先端２６−１Ｆに固定された、伝達ピニオン出力ギヤー２８、を回転させる。此の伝達ピニオン出力ギヤー、２８、は、水車羽根平面積に働く力作用は、１ツの仮定例題に基づいて進める事にすると、水車羽根、１３、の平面積に働く圧力水流自然落下比重を１Ｘエネルギイー＝Ｅ＝“１ＸＥ”としておくと、出力ピニオンギヤー、２８、に働く出力は、約３．５倍程度となる。そして出力ピニオンギヤー、２８、は倍力伝達駆動装置、２５、の大歯車インサイド、スライド、カム、３１、に嵌合、噛み合い、大歯車インサイド、スライド、カム、３１、を回転させる約、出力ピニオンギヤー２８回転の４．５対１程度の減速回転で大歯車インサイド、スライド、カム、３１、は、回転する。そうすれば内径半径内変形ハート中空部に嵌合遊入された、セパ、ピン、ローラー、３２−Ａ・３２−Ｂの作用に依ってスライド、バー、３３、が往、復ストロークを開始し此のスライド、バー、３３、の背中に調着されたテック歯車、３４、も共に左、右、往、復を始め此のラック歯車、３４、に嵌合、噛み合った、ピニオンギヤー、３５、も往、復半回転で１回転して、また、復路においても、反転回転の１回転で元にもどるように調着されている。此のピニオンギヤー、３５、に接続固定された軸シャフト両方向対角直線に延びた軸シャフト、３８、を介して正、反回転シーソー歯車、３７、も往路１回転、復路１回転と正、反回転すれば、此れに嵌合する液水上昇循環装置、４０、の頭部、フロート式、ストローク体積棒、４２、の頭部、６４、に垂直一直線に延びた、ラック、シャフト、ギヤー、６３、が調番固定されており、此のラック、シャフト、ギヤー、６３と正、反回転シーソー、ストローク、歯車、３７、が嵌合噛み合い、フロート式、ストローク体積棒、４２、をストロークするのである。さすれば、本機関は液水上昇循環装置、４０、単筒８器８体���装備しており、軸シャフト、３８、には、ラック、ピニオン、ギヤー、３５、を中芯、支点として両方向等距離に配置された正、反回転シーソ、ストローク歯車両端１箇ずつを配置双方２個の歯車、３７、が嵌合固定されている此の双方シーソー、ストローク歯車、３７、の各々には歯車軸芯対角対象的に垂直に並行してフロート式、ストローク体積棒、４２、を配置２本並行垂直配置として両サイド両先端に各々４本並行設置とするのである。そして、本機関は軸シャフト、３８、を２本を用意して十文字状に配置しているのである１本は、倍力装置、２５、の上面盤上に設置しもう一方は倍力装置、２５、の下面盤に設置しその方向性は、クロス形、または、十文字状に配備するのである。図示例、第１図、の図１、第３図の図１、第６図の図１、第７図の図５・図７・図９・に示す。また、フロート式・ストローク体積棒、４２、に、ついては、第４図の図１・図２・図３・図４・に示す通りである。図のように各々嵌合配置すれば左上昇ならば右下降、右上昇ならば左下降というふうにストローク運動を行なうのである。そうすれば液水上昇循環装置、４０、は、本機においては、８体を配備するので此れを十文字状に配置すれば、１シーソー軸シャフト、３８、は、左、右両端の４体を同時駆動し、もう一方の軸シャフトでも左、右両端の４体を同時駆動を行なう、そうすればインサイド、スライド、カム、３１、の１回転は、４分の１回転毎に、即ち、９０度角度毎に頂点が、訪れる。即ち、４分の１＝クオウターで４体が頂点に達し、４分の２回転、即ち、２、クオウターで次の４体が頂点に達し、４分の３の３クオウター、で４体が頂点に達し、最後の４分の４、クオウターで４体の頂点が達するのである。即ち、４×４＝１６体の汲み揚げ、４、サイクル、行程として組み合わせているのである。従って、インサイド、スライド、カム、３１、１回転、３６０度は１６体の汲み揚げ量であるという事である。【００１０】    上記、ストローク機能を１順１回転インサイド、スライド、カム、３１、または、大歯車、内径半径変形ハート型中空円盤、３０、の１回転でもあるのである。そこで、上記、機能の１順を実務作業におきかえて説明する事にする。その前にその基準をはっきりする為に仮定例題として基本数値を設置して説明するものである。従って上記、汲み揚げ量を１器・１筒・１体の１、ストローク、搬送量は仮に（１ｌ＝１０００ｃ／ｍ３＝１０００ｇ＝１ｋｇ）とおいて算出する事にすると、１箇体１ｌと仮定すると、１回転１６ｌの汲み揚げ量である。一方消費量側は水車直径芯々ピッチは２２．３ｃ／ｍφとおくと、２２．３ｃ／ｍ×３．１４１５９＝７０．０ｃ／ｍ円周長さである。従って、水車１回転の消費量は、２０ｃ／ｍ２×７０ｃ／ｍ＝１４００ｃ／ｍ３＝１４００ｇ＝１．４ｋｇである。従って本水車は４．５回対１回であるから１４００ｃ／ｍ３×４．５＝６３００ｃ／ｍ３＝６３００ｇ＝６．３ｋｇである消費量である。従って、（１６ｌ＝１６０００ｃ／ｍ３）÷６３００ｃ／ｍ３＝２．５４倍２．５４分の１、９７００ｃ／ｍ３対６３００ｃ／ｍ３である。此れは、消費量である。即ち、供給量９７００ｃ／ｍ３需要量６３００ｃ／ｍ３という事である。また、一方出力量におくと、水車羽根車面積２０ｃ／ｍ２と仮定して深水、深さ、１．５ｍとすると自然界比重は、（１ｃ／ｍ２／１５０ｃ／ｍ３＝１５０ｇ）である。従って、（１５０ｃ／ｍ３＝１５０ｇ）×２０ｃ／ｍ２＝３０００ｃ／ｍ３＝３０００ｇ＝３ｋｇ重の水車羽根全平面積圧力となる。そして、水車羽根芯々ピッチ２２．３ｃ／ｍと、おくと、出力歯車ピッチ６．３７２ｃ／ｍとおくと、２２．３ｃ／ｍ÷６３．７２ｃ／ｍ＝３．５対１の径数となる。従って、水車羽根平面圧力３ｋｇ×３．５＝１０．５ｋｇ＝１回転圧力である。１０．５ｋｇ×４．５回転＝４７．２５ｋｇ重の総入力＝水車出力という事である。一方、大歯車インサイド、スライド、カム、３１、の直径ピッチは、６３．７１×４．５＝２８．６７１ｃ／ｍφである。従って大歯車インサイド、スライド、カム、３１直径ピッチは２８．６７１ｃ／ｍφであり、水車出力歯車２８、ピニオンギヤーは、６．３７１ｃ／ｍφ直径ピッチであるという事である。従って水車出力、合計入力２８は４７．２５ｋｇであるから、大歯車インサイド、スライド、カム、３１、の外径入力は４７．２５ｋｇであるという事である。そして、インサイド、スライド、カムの“外遠内”スライドＲのセパ、ピン、ローラー位置の最弱少出力で１．３倍が働く。従って、４７．２５×１．３＝６１．４２５ｋｇ重のスライド・バー３３、に作用する。内心円最大強出力位置最内芯においては約１１倍であるから４７．２５ｋｇ×１１＝５１９．７５ｋｇの出力となるのである。従って最低弱小出力＝４７．２５×１．３＝６１．４２５ｋｇ重対、４７．２５×１１＝５１９．７５ｋｇ重は６１．４２５＋５１９．７５＝５８１．１７５÷２＝２９０．５９ｋｇ重平均値出力でスライド、バー、３３、の背面のラック歯車をスライド駆動するのである。従って、入力側自然比重水車羽根平面積２０ｃ／ｍ２／３ｋｇ重と比較すると２９０ｋｇ÷３ｋｇ＝９６．６６６倍の倍力効果を産み出しているのである。従って余饒水量においては、１回転１６ｌ総汲み揚げであるから、本源力水車消費量４．５回転で６．３ｌであるから余饒水量は１６ｌ−６．３ｌ＝９．７ｌである。従って出力側も同型同等の水車とすると９．７ｌ÷６．３ｌ＝１．５４倍の加速度となる。一方入力側出力は９６．６６倍であるが、各種の抵抗摩擦等を考慮に入れても約９０倍の出力を保持している。即ち、平均値９０倍である。そして一方加速度及び速度調整は調節バルブをしぼれば余饒水量との対比は１．５４倍から、２倍・３倍・４倍・５倍・と加速度は増速されるのである。従って速度の安定と希望速度は、調節バルブコントロール、ハンドル入力側、７、と出力側、８、のコントロール、ハンドルの調節で決めるのである。【００１１】  次に、出力、仕事、注出エネルギイー本源力水車側の実施形態であるが該、上段部、第１、タンク１、の内部密封圧力タンク、２、に大変な圧力エネルギイー、即ち、入力作用及び余饒水量約９．７ｌ程度の水量の両圧力は水量の余饒量は流速度と変化し、入力作用の加圧力の余饒力エネルギイーは依り加速度の抵抗に対する反作用に充当する馬力に継がるのである。液水上昇循環装置、４０、の内筒用フロート式、ストローク体積棒、４２、の単体８筒８体を同時駆動す���といえども、その搬送量１６ｌ＝１６ｋｇといえども互いの自重に依って、打ち消し合い、その搬送エネルギイーに充当するエネルギイーは極少であるが、ストローク加速度に対する、抵抗エネルギイーの方が大であると、考える可きである。だが、是れを大と見たとしても１６ｌ＝１６ｋｇ重の５０％程度であるとしても９０倍の入力エネルギイーから見れば、抵抗及び搬送重量等、抵抗勢力の内には入らないのである。
2006016969.tif 000008
2006016969.tif 000009
2006016969.tif 000010
2006016969.tif 000011
2006016969.tif 000012
2006016969.tif 000013
2006016969.tif 000014
【手続補正書】
【提出日】平成16年10月19日(2004.10.19)
【手続補正３】
【補正対象書類名】特許請求の範囲
【補正対象項目名】全文
【補正方法】変更
【補正の内容】
【特許請求の範囲】
【請求項１】
本項は，重力機関の統合統一機能側面総合機能その項１．である．
本重力機関は，上段部に，任意適宜大の，第１タンク１を設け内部は密封圧力タンク２とし液水を圧力充填できるようになっている。下段部，第２タンク５を設け，内部は自然環境保全の貯水タンク６である。該タンク１と，該タンク５を接続連結したプラントを設置し、各タンク内には，システム装置が，各セクション毎に，各々特色ある，独創的な個性と技能を発揮して出力拡大を図れるシステム構造が，内蔵配備されている．その第１のセクションは，本機関の入力駆動原動力源である，〔※−１〕循環駆動機能力水車１０．を設けてあり，本装置は，液水，重力比重ポテンシャル，エネルギーの数倍に及び，十数倍の圧力増強水力と化した落下水流を，該水車羽根１３に受け入れ強力に推進回転し，これに伝達連結された本機関の第２セクション，〔※−２〕倍力伝達装置２５を，駆動すれば，該倍力装置２５のシステム構造によって，水車羽根圧力は，源力の１０乃至１５倍程度の出力に転換される，該機関の第３セクション，〔※−３〕液水上昇排斥循環装置４０，単体同室内，同居，嵌合装置８体の該倍力装置２５は，１回転で同時駆動を行い，８体は，それぞれ，１ストローク，適宜長さのコントロールの長さとなり，順次サイクル４行程ストローク駆動を行う．この作用によって，（※−３）液水上昇排斥循環装置４０は，下段部，該貯水タンク６より，液水排斥上昇させ上段部，密封圧力タンク２に，圧力を加え順次駆動の汲み揚げを行ない該密封圧力タンク２に数倍，及び十数倍の水液比重圧力を加え続ける事ができる．また，該筒液水排斥４０は，“体積量”を“自重”で運ぶ，“排斥搬送方式”であり落下時には往路時作用となる，また，上昇時の復路作用には，浮力を受け易いフロート式体積棒４３を用い，貯水タンク６の深水部・液水比重圧力による復元力浮力を利用した上昇時復路装置によって，荷重搬送量に対する，入力量また入力エネルギイーの消費量は極微である，ただし駆動加速度抵抗は水液の場合は，空圧の“３乗倍比例数値”であり，その方をエネルギイー消費量の対象に考えた方がよい，しかし，この抵抗エネルギイーは消費量においても，前記，倍力率効果拡大構造システムによって霜露に等しくなるのである．この様に圧入された，密封圧力タンク２の底辺部は，上，下，の上部底盤適処２１に，密封定着水密固定された．該機能力水車１０は，１カ所の水車取入流入口１１を設ける，これは，ただ１カ所の排水口１２として，水車羽根流速回転を行い，円周順応流水道１５のみを排水道１７として，該円周順応流水道１５の，後方出口１６から，更に延びた排水道１７に，適処に適宜の調節バルブ２９が，調着され，更に延びた排水道１７は，下段部の該貯水タンク６に連通し，放出口１９より，落下放流される．入力調整において，流量調節バルブ２０を，コントロール制御する事によって入力駆動機能を調節する事ができる．自動永続循環原動力源，機関，総合統一機能側面，その１の，請求項１，重力機関である。
【請求項２】
本項は，前項重力機関に続く，その２として，総合統一出力，仕事抽出エネルギイー機能側面に関する請求項である，本機関は，上段部に設けた，該第１タンク，〔※−１〕の内部，密封圧力タンク２の  液水高圧充填タンク２の，底辺部，下段最低盤２２に，密封定着水密固定した，該出力源機能力水車５０は，該機関第４セクションである．（※−４）出力，仕事，抽出エネルギィーなどの動力源は，水車５０になっている．本水車５０の，液水取入口５３のみを排出口５４として，液水は流入される。更に水流は水車羽根５１と回転円周順応流水道５５は，後方出口５６から，更に延びた排水道５７の，適処に適宜の調節バルブ５８が，調着されている。その延びた排水道５７は，下段部の自然還元貯水タンク６に放流落下して，放出口５９より，放出されるのである．また，本機関における，この調節バルブ５８の特徴は，流入口５３の，前部ではなく水車取入口５３，水車排出口５６の，後部に配置設定するという事である．この後方設置は上記，該請求項，１の，入力駆動機能力調節バルブ２０にも共通しているとも言える  なぜならば，本機関の発明範囲内では，この流量調節バルブ２０も，５８も，ともに後方調節バルブにする事によって水車羽根面積圧力を，変えないで流速回転だけをコントロール制御する事により調整ができるからである，出力，仕事，抽出エネルギィー原動力源の機能は，この調節バルブ５８で，流量調節すればよい．以上が，総合統一出力，仕事用エネルギイー源抽出である．エネルギイー構造機能側面に関する．機能その２，請求項２の，重力機関である．
【請求項３】
本項は，前項，重力機関の液水自動永続循環行程の請求項である。該重力機関の上段部，該密封圧力タンク２に，液水を汲み込み圧入し充填する，一方下段部の該貯水タンク６にも，適宜量に満水とし，入力駆動機能力，調節バルブ２０を，開孔すれば，上段部の密封圧力タンク２の圧力落下比重によって，液水を汲み込み圧入させる，該タンク２の，内部圧力の需要と供給のバランス対比は，増圧効果を産み入力駆動能力を更に大きくすることに継がり圧力は，おのずと高くなる．圧力が高くなれば供給量は比例して多くなる．そしてその大量の余饒容積量を上段部の最底盤に液水を水密密封定着固定した圧力循環駆動水車があり，出力，仕事，原動力源水車５０の，液水取入口５３により，上記大量の余饒液水容積量は，大量の循環液水量となり高圧落下する．その排出口には，液水取入口５３からの，液水を流入させ水車羽根回転円周順応流水道５５が，高速度水流道となって水車羽根に圧力を強める，高速で回転されるこの瞬間に水車回転はその圧力と注入量をコントロールする調節バルブ５８によって，変動し変化されていく，そして，３倍圧から〜１０倍圧までも十分可能となる。従って，入力駆動能力機能，調節バブル２０を，調節すれば圧入量の強弱をコントロールでき．一方出力駆動能力機能調節バルブ５８を，調節すれば出力量，及び回転速度の高，低並びに回転速度の安定度も，コントロール微調整をする事ができる．以上のシステム構造では，本機の永続循環は，十分に可能であり，更に充実した永久回転動力機関とする為には，密封圧力タンク２に圧力比重計測計器３９を，適処に１カ処設置する必要がある．また出力側にも，流動速度計器４９を，適処に１箇処設置する事と，更に出力回転軸にも，回転計測器５３を１カ処設ける必要がある．以上，重力機関その３の，請求項３である．本項は，液水自動永続循環行程に関する重力機関である。
【請求項４】
本項は，本重力機関の総合統一機関項である．請求項１の，自動永続循環原動力源総合統一機能側面その２と，請求項２の，総合統一出力，仕事，抽出エネルギイー構造側面その２及び，請求項３の，液水自動永続循環行程とその付帯計器その３を，合わせて，本重力機関全体の自動永続循環原動力源による重力機関である本機関には，ランニングコストは，全く発生しない万有引力永久回転重力機関である
【請求項５】
本重力機関の利用，使用エネルギィーに関する，項である．本機関の使用エネルギイーは，その本源は万有引力であり，重力エネルギイーでもある．          重力＝Ｇ（Ｇｒａｖｉｔｙ）は，液水の比重重力エネルギイーを利用して，その重力エネルギイーのバランスの比例，反比例，重力，反重力作用を包括容器（うつわ）＝容積搬送容器（うつわ）と，排斥容器（うつわ）＝体積量容器（うつわ）の容積と体積の二体は“包括容器”“排斥容器”の二体としてその搬送の働きが変化作用し，反比例，反重力作用，を持ち，その重力作用は等量の重力であるが，その作用面は，“包含容器（うつわ）＝容積量搬送方法”であり．その作用面は，（イ）方式で“運びたい物を運ぶに当たって“運びたい物”だけでなく，“搬送容器”いわゆる．風袋をも共に運び，更に“運びたい物”の“重量，自重＝Ｗ（Ｗｅｉｇｈｔ）”と風袋，の“重量，自重＝Ｗ”を倶に運びその双方の体積の合計の万有引力＝重力＝Ｇ（Ｇｒａｖｉｔｙ）の全てを倶さに運んでいるのである．また，その一方のその作用面は，（ロ）“排斥容器＝体積量搬送方法”となる．この方法は，“運びたい物”を運ぶに当たって“運びたい物”だけを運ぶことになる．その方法と作用は，“自体の体積量”で運びたい物の“量”を決め，それを“運ぶ入力エネルギイー”は，自体の自重，体積重量で，これを運ぶことになる．従って世にも不思議なことであるが，（ロ）の“排斥容器＝体積重量搬送方法”は，運びたい物だけを運び，その自重に働く重力＝Ｇ，万有引力比例定数平均値９．８Ｇは運ばないのである．それは，“自体の体積重量”で一切の搬送物の自重を相殺して余りあるからである．従って，（ロ）の搬送方法“排斥容器＝体積重量排斥自重搬送方法”は地球上の万有引力の働くところ，全域を寸分無駄なく原動力エネルギイー源として万有引力比例定数平均値９．８Ｇ＝重力エネルギィー，として１００％利用することができる方式なのである．以上．容器（うつわ）の作用による，搬送方法に関する請求項５，である．
【請求項６】
本項は，重力エネルギィーの抽出エネルギイーの有効率は驚異的であり最大である．前記で述べた１００％利用とは，無限度，無尽蔵に対する１００％である．  例えば，１例として，１ストローク４ｍ長さ／１ｍ３＝（１立方メートル）＝１０００ｋｇ＝（１ｔ）重の液水を本装置によって，海抜５０ｍ高さに聳える高層ビル，または，煙突状の高層タンクに汲み揚げ搬送するとしたならば，１ストローク４ｍ長さ／１ｍ３＝１０００ｌ＝１ｔ重とした基本比例数値を設定し，これに見合う比例数値を，任意５０と仮定すると，内筒用，体積量排斥容器棒４３，の体積量を上記と決め，この数値を５０としておくと，外筒用，容積量は任意目標高さの搬送容器筒４４の，内径容積量を５１にしておくという事である．この二筒の構造物の大小“５０”対“５１”を相互に挿游入游することにより，内外一本化して双方の深水部先端に逆上弁を適宜装着し完成させると，“５０対１”の割合の容積隙間となる．  従って，４ｍを５０倍に引き延ばすことになるという事は，２００ｍの高さに上昇することになる．しかし，本タンクの高さは，５０ｍであるから“５０対５１”の割合の侭でヘッド．カットして５０ｍまでカット．ダウンしたならば，５０ｍの高さでは，７５０ｌ（７５０ｋｇ）の重さの液水が，“零れ落ち”る．即ち，汲み込み量になる一方筒内残留水量は２５０ｌ（２５０ｋｇ）重となる．従ってこの搬送自重入力量は残留量水量と置き換えて相殺することができる．自重＝Ｗ（Ｗｅｉｇｈｔ）＝２５０ｋｇ重である．つまり２５５ｋｇ重程度でよいことになる。ところが，これは最初の１ストロークの搬送量であり，２ストローク目からは残留水が．筒内にも満水に充填してあり，次の２ストローク目からは完全に１０００ｌ（１ｔ）重を５０ｍ上空の高層タンク汲み揚げ組み込みの仕事は完了している．入力エネルギイーは，万有引力＝重力＝Ｇ＝質量＝Ｍ＝体積．容積＝体＝体積，容積二体の重量＝Ｗ＝自重となるのである．その数量は，２５５ｋｇ重程度でよい，但しこれは地球が運んでくれた仕事であり，それを使用する人類が負担するものではない，つまり，請求権の発生しない全く無料の無入力使用のエネルギイーであり，また無入力使用でもある．本項は，高層タンクなど可能な限りの高さに上昇汲み上げ搬送するに当たっての本装置は，全く経費が生じなく，しかも無入力で運ぶという容器に関する請求項５である．
【請求項７】
本項は，該装置によって，上昇汲み上げられた液水のエネルギイーの効力と威力に関する請求項である。
前項で述べた５０ｍの高さの高層タンクに満水に充填したとすると，このタンク最低辺盤に働く重力比重はなんと１ｍ３（１平方メートル）の単位当たり５００００ｋｇ＝（５０ｔ）重となる．１００ｃｍ２＝（１００平方センチメートル）当たりは，５００ｋｇとなり，１ｃｍ２＝（１平方センチメートル）に充当すれば，５ｋｇ重の水圧比重がかかることになる。従って，高層タンク最上部分の補充量は，２５５ｋｇ重程度の消費量で１０００ｋｇ＝（１ｔ）重であるから，人類が使用する出力は（５０ｔ重／ｍ２）（５００ｋｇ重／１００ｃｍ２）（５ｋｇ重／１ｃｍ２）の出力と変化して現われてくる．“これを知悉してこれをしるべし”である，発明者が言うところの１００％とは，無限，無尽蔵利用に対する１００％である．力学上究極の１００％利用に完全に成功したという事である．従って，歴史の中の“重力壁”または抵抗壁なるものは，もう既に壁ではなく．抵抗勢力でもなく重力は，“重力で以て征す”そのエネルギイー源は，その他の物質の流動性を同性と擦る物の重力比重による移送転移は，全て可能になつたという事である．従って固体系物質においても熱処理溶解液状化した同性と化した段階においては，重力比重移送搬送ができる事である．本重力機関のエネルギイー源は重力エネルギイーであり，液水に限定するものではないという事である．だが液水が１番無尽蔵に存在し，しかも手身近に手に入り無公害であるという事が大変な価値である．本重力機関のエネルギイー源は，液水やその他の物質の流動性の重力比重“威力”を効果的に利用する重力機関の請求項７である。
【請求項８】
本項は，万有引力＝重力＝Ｇのエネルギイーを利用する方法に関する請求項である．万有引力の地球上における基本原理は，南極北極の比例定数と，赤道円周の比例数値に多少の違いはあるが，その平均比例定数は，９．８Ｇ（Ｇｒａｖｉｔｙ）である．  この基本定数の引っ張りに比例してあらゆる物質の質量＝Ｍ（Ｍｏｓｓ）であり，この質量は容積量と体積量の二積量を持ちこの二積の中には，Ｗ＝重量，または，体重及び自重という事ができる，特に質量Ｍには，容積と体積量の二積量と共に重量Ｗも，つぶさに備わっている．然るに，質量は容積量と体積量とのその双方に存在し，その双方に備わっている体容積二体の重量Ｗが，あるという事は誰もが疑う余地はない，本発明もまた，この物理的法則に根差した原理原則であり矛盾するものでない．そこでもう一歩立ち入り容積量と体積の二積の比例，反比例・包括，排斥・重力，反重力の比例数値を見つけだす事によって地球上に無尽蔵に存在する重力エネルギイーを手に入れることができる．そして確実に比例数値を発見する事ができたわけである。その発見を基礎として，本装置，該流水上昇循環装置４０を基軸とした本重力機関の発明に達する事ができた分けである．従って本項は，本発見に基づいた原理法則の利用方法についての請求項である．従って本動力機関は，上記及び下記に述べる事を仮定として，実施，試作等の例題の形態その他など円筒形態のみに集中しているのではない，その形態容器（うつわ）に本源力を置くのではなく容器の容積及び体積量にエネルギイーの抽出の本源力がある分けである，本機関を製造するに当たっては形態にこだわる事はない。基本は，容積量と体積量の二積の比例，反比例の比例数値をいかに定める事ができるかにかによって重力エネルギイーを手に入れる事ができる．しかも，容積．体積の二積の中でも特に体積にその本源力がある事を発明者として，ここに明記するのである．
何故ならば，物理的法則に基づく容積容器（うつわ）と体積容器（うつわ）の両容器の容，体，積量は同量であって自然界に存在するスペース体形には何の変化もあり得ない，つまり１ｍ３＝（１立方メートル）の体積量も１ｍ３＝（１立方メートル）の容積量も同様に存在している．しかし，この二積の容器を“何の変哲もない”とみるか，“大変な違い”とみるかは，地球上の引力エネルギーの１００％を全産業界と市民の生活の隅々まで動力源エネルギイーとしてお届けする事ができる．万有引力と言っても地球上に限っての物理的法則に基づくものであるが，質量は容積と体積とを持ち合わせているが．利用者の見る角度とその目的により大変な違いを見いだす事ができる，容積容器搬送は，“運びたいもの”を運ぶ際，その包括容器の重量も，いわゆる“風袋”丸事，あたり前と思っている地球の引力も具に運んでいる．例えて言えば貨物を運送するトラックなどの自動車．貨客船．航空機等に至るまで全て風袋もろとも引力も運んでいる．この事は，言うまでもない事であるが，一方体積容器は，排斥搬送方式であり，いかなる固体でも体積量のない物体はない，そこで体積容器排斥搬送方法は，運びたい物質を運ぶに当たって，自身の質量＝Ｍ体積量で，その量を決め，搬送方法は，排斥量でこれを運び，しかも運びたい物質だけ運ぶのである．その移動転送入力エネルギイーは，自身の自重＝Ｗ（Ｗｅｉｇｈｔ）であり，体重でこれを運んでいる．従って地球上に存在する物質の重量比重も万有引力の反作用を利用した，重力Ｇで運んでいる事になる．つまり自重．体重．排斥搬送方法は，無経費，無入力エネルギイーでよい分けである．何故ならば入力エネルギイーは，構造機能の体中，体積内面に重力Ｇの入力エネルギイーを兼ね備えているからである．本重力機関においてもこの基本原理を強調するため，またもう一つの結論として，重力エネルギイーを利用する場合には，本原理によって，全ての形態管器に普遍するものであり．特に形態管器（スタイル及びシルエット）にこだわらなくてよい．従って本項は，“液水及び流動性のある物質”の“ある物質の同性を同じとする範囲に至る”まで，同原理方式によって搬送，転移する事ができる，重力，反重力の容器の応用は“包括容器＝容積容器“対“排斥容器＝体積容器”の２器の働き作用と“閉じた系の独立環境室”と“開かれた自然環境流通室”とによって完成するのである．重力反重力の容器の応用と，その基本原理に基づく方法を実施する試作システム論である．以上請求項８である．
【請求項９】
本項は，その一つの方法として比例数値の設定の数箇条をその基本定規として，ここに示す請求項である．
前項に述べたように本源力は，その形態のみでなく体積と容積，そして，その自重と体重に基本をおき，その基本比例率は，数値は全ての形態に普遍して共通する原理であり，本機関の基本原理は物理定理に本源力をおくものである．その定理の中でも今だに何人も応用できながった分野の利用であり形態を一円する物理の原則によるものである，そしてその原理原則は実に幅広く無限であるといえる．しかも本重力機関は，あらゆる形態にとらわれない重力機関の基本定理である．万有引力エネルギイーは，重力＝Ｇとして現れ，重力＝Ｇは，質量Ｍの範囲に存在する容積，体積の二積としても現れ，その二積の中でも体積の排斥搬送方式の威力と効力によるものと言える．
１．任意のサイズの外筒容積量対，内筒用体積量の比例数値の設定．
２．任意の搬送の高さは，その必要な高さの比例数値の設定
３．任意の搬送の量は，その必要な量の比例数値の設定
４．任意の１ストロークの長さは，上記２．３．を基準とする比例数値の設定
５．任意の重力と浮力の対比往路と復路のバランス比例数値の設定．
６．任意の循環仕事の量対比，余饒量エネルギー比率比例数値の設定．
以上の“比例数値”を基本として，より効率の高い重力エネルギーの抽出を図るのである．請求項９は，物理的原則による基本論であり反重力上昇汲み込み圧入構造の原点である．従って（※注．本請出願書も原理原則の項として雛型をはみ出す部分もありえる）
以上のようなことわりをもって後記する数式計算の多いのも，体積，容積を主役とした重力機関構造システムであるからである。しかし形態及び実施例や試作実施例題は，一つのサンプルにすぎない，従って本項は，この体積量排斥搬送方式による無入力搬送に関する請求項９であり，入力エネルギイーは，引力＝重力＝Ｇ＝質量＝Ｍ＝容積＝体積＝双方の体重＝Ｗ＝自重の中でも体積量と体積自重にその本源力が存在するのである．以上方法原理に関する請求項９である．
【請求項１０】
本重力機関の構造システム，第１セクション（１）は，本機関の入力駆動原動力源．（※−１）循環駆動機能力水車１０を，配備設置し，圧力タンク２の，底辺部の上下部の上部底盤２１に，密封定着水密固定し，機能力水車１０に，１カ処の水車流水取入口１１を，設け，これをただ１カ処の排水口１２として，水車羽根流速回転円周順応流水道１５のみを，排水道１７として，円周順応水道１５の，後方出口１６から延びた排水道１７の適処に調節バルブ２０が，装置され更に延びた排水道１７は，下段部の貯水タンク５に，放出口１９より放流落下放出する．本機関は液水の重量比重エネルギイーに圧力比重をかけて，流速落下エネルギイーを利用した重力機関であり入力調整において流量調節バルブ２０を，コントロール制御する事によって入力駆動能力機能を調節する事ができる．永続循環駆動原動力源，機能側面の重力機関，その１の請求項１０である。
【請求項１１】
本項は，上記第１セクション（１）〔※−１〕循環駆動機能水車１０の形式についてである．本水車はフロート式胴体であり．水車本体は，円筒適宜高さ胴体１４に
2006016969.tif 000015
して，平鈑羽根の先端部適処１３−Ｋを適度の角度に折り曲げて，くの字形の流水受羽根となる，この水車羽根を嵌合挿入可動するガイド．レール１８を設け，このレール１８を円筒胴体軸芯円中空部貫通孔２３を適宜に設け，スプライン軸貫通孔２３とし，円周胴体１４を平面部全体を精巧精密に仕上げて，この胴体１４に上円盤と底円盤を両面から密封水密定着固定して胴体フロート１４を形成し，水車軸芯には，円周に６角度６方向インボリュート２４．即ち円周６等分インボリュート，または，円周８角度インボリュートを軸芯孔２３に埋め込み固定嵌合緊結すれば，あらゆるユニット規格水車型式として組み合わせの対応ができる．従って組み合わせユニット形式として，軸シャフトは，スプライン軸シャフト２６で．型式嵌合スライドに挿入連結すれば水車を１段．２段，３段と適宜に重ね合わせる事によって方向性や羽根の数も出力への対応も幅広く対応できるのである．本項は，本機関の水車回転体．胴体フロート式１０に関する請求項１１である．
【請求項１２】
本項は，上記（※−１）循環駆動機能水車１０の回転体胴体水車１０のハウジング，ケーシング２７に対する請求項である．本水車本体のケーシング２７には，１段毎に独立し同型規格の上部入水口１１と，下部排水口１６が，設けてあり上部水道口１１より入水した流水は，水車羽根１３を押しながら，１回転させて排水口１６によって排出される．２段重ねの場合は，排水口１６と，上部水口１１と，嵌合固定水密二体を一体化に連結する．３段重ねの場合は三体を連結一体化し，４段重ねの場合は，四体を連結一体化し４回転排出口１６に，排出されるようにすればよい，つまり，上段１階から階下へ１回転，Ｂ１からＢ２へ２回転，Ｂ２からＢ３へ３回転，Ｂ３からＢ４へ４回転として各独立水車，重装置同位置方向同等水流入口１１とし，また排水口１２も，同等に同位置方向同等排出口１２とする事になる．流水口１１と，排水口１６の位置関係は，なるべく円周１回転の範囲内の出力効果と，入流量及び排出量の効率に立った配置と孔径のサイズと形態を決めるのである．従って本水車のケーシング２７は，単１の独自でも使用できるし，２重．３重と使用でき，また４重でも使用できるフリーケーシング形式ユニット規格型水車ケーシング２７に．関する請求項１２である．本項は上記ハウジング．ケーシング２７の各段，独立した重段水車毎のパーティション．ボードディスク２７−ＰＢＤ（Ｐａｒｔｉｔｉｏｎ  Ｂｏａｒｄ  Ｄｉｓｋ）ドーナツ型円盤間仕切り，中空円盤についての説明項である．本間仕切り中空円盤２７−ＰＢＤは，パーティション．ボード．ディスク２７の間仕切りとして設けなければならない．本体ハウジング．ケーシング独立１段毎の間仕切りとして使用し，水車の垂直にある．上段に重ね及び下段重ねの中間に可動嵌合して，ハウジング，ケーシング２７を適宜位置に装着固定するが，内法直径より適宜寸法大円の直径円盤を底盤として“エリ入れ加工”半埋め込み方式で嵌合調着させるのである．そして２７−ＰＢＤのドーナツ型円盤中空部は，水車円筒胴体フロート本体１４に，摺滑可動回転する．水車羽根回転方向斜め直進飛び出し羽根可動式１３−Ａの”１ストローク長さ”プラス“有効本体羽根長さ”プラス“余剰長さ”を合計した“長さ幅”を内径方向幅に取り，上記“長さ幅”のリング．ボード．ディスク２７（ＬＢＤ）水車円筒フロート胴体１４の上段部側１４−Ｈ（Ｈｅａｄ）にもまた中空部２７−ＬＢＤにエリ入れ加工半入れはめ込み摺接滑動方式として，上段水車底面側半掛け挿入し．また一方下段重ね水車頭部側１４−Ｈも，また中空部２７−ＬＢＤにエリ入れ加工半入れはめ込み摺接滑動方式として，上段．下段とを２段重ね合わせ水車胴体を，上．下一体化固定した場合，水車１４−Ｂ１と水車１４−Ｂ２は，双方固定一体化して回転するのであるが，ＰＢＤは，ハウシング．ケーシング２７本体と一体固定し，静止固定．適処方向固定となる．そして更にＰＢＤの１カ処に“４分の１回転弱”の，あるいは“１度から８０度前後”の“円周距離”水車羽根の退．出“１ストローク距離幅”即ち，水車羽根流速回転円周順応“流水道幅のＲ孔中空部”１度から８０度前後のＲ型“排出・入水孔”を設ける．以上の様な形態のＰＢＤを作製し，下段水車も��等加工を施す．つまり下段重ね水車１４−Ｂ２も底面積１４−Ｂ２のエリ入れはめ込み，半掛けはめ込み摺接滑動方式として，その他も同様のエリ加工を頭部側，底面側も共に同等加工を施工し，水車１４−Ｂ３・１４−Ｂ４・１４−Ｂ５ユニット規格としてサイズを少しずつ適宜にミクロからマクロに至るサイズを変化させて適宜に製造すればよいのである．然らば，入水流入孔や流水排出孔の位置も自由自在に設定できる．例えば，同位置に入．排．孔位置立体交差．またはその他の，入．排．孔というように希望方向の位置に，入．排が可能になるのである．以上．上記※第一セクション（１）及び※第４セクション（４）の水車も共に同等構造の型式である．従って，〔※−１〕循環駆動機能力水車（１０）と（※−４）出力．仕事．抽出エネルギイー原動力源水車（５０）も共に同等構造でよい．以上が各段の中間仕切り中空円盤２７．ＰＢＤの詳細な説明項の［請求項１２］である．
【請求項１３】
本項は，上記，該源動力水車のユニット規格の各種サイズがある中の１種の仮定として記するものである，水車の応用使用範囲は，形状型式組み合わせ型体の１サイズに関する重力機関，第１セクション（１）とセクション（４）の機能力源．入力源と出力源
2006016969.tif 000016
（※−１）〔課題を解決するための手段〕その１「００２５」に記載する．※別表にて実施，試作，例題，水車各種ユニット規格表，（表１）にて詳しく表記する．
上記のその他を含めユニット規格の各種サイズの中の１サイズについての型式であるこの形式は各種サイズ，即ち，ミクロサイズから，マクロサイズに至る各種サイズに共通する普遍的なものである．１＝１段・１枚・１重・１枚１方向．・２＝１段・２枚・２方向等分・１回転……１３＝１段・１枚・１３重・１３枚・１３方向等分，１３回転１回排出……１４．その他のユニット規格各種である．循環駆動機能力水車１０のフロート胴体式水車入力源水車と出力源水車の項である．また本水車は本重力機関に入力源水車として利用する場合は，“汲み揚げ供給量”と出力源水車の需要消費量の“バランス”比例数値による余剰水量の増幅効果を産み出す為の入力エネルギイー源水車の出力計算が必要になり規則正しい回転による出力のまかない量が大事である．従って比較的大きい水車を１機として圧力に順応して回転出力をコントロール制御する．１機の水車で十分でない場合には複数の水車を使用する事もできる．その場合は，より大きな出力が期待できる．また一方出力もさることながらコントロール制御する事に及んで片方の水車の，強弱をコントロールで制御するだけでもプラス力対マイナス力が働いて，より一層細やかな微調整ができるのである．以上は入力源水車の利用方法である。
また一方，出力源水車については，この水車の使用目的から言っても回転の安定性と仕事環境に即座に機敏に対応する必要がある．従って，１水車制よりも，２水車制の方がよい事になる．例えば，発電装置に本重力機関を利用するような場合は，回転数も安定した高回転が必要である．従って水車の円周も入力源水車と比較して小径でありながら高出力が要求されてくる，つまり２車併設同等サイズが必要となる．２車並列歯車嵌合及びその他の伝達方式連結・１軸出力駆動とすると言うことになる．１水車でも可能であるが，２水車方式の出力源水車の方が，環境変化に即応しやすいメリットが大きい，即ちコントロール制御がしやすいという事である．また本機関を自動車等車輛エンジンとして使用する場合においては，高速度回転高低激差運転に対しては，複数水車制がよい．その一方本水車は，他方面にも利用される本重力機関から離れて独立部品として高揚搬送装置，水揚装置，噴水塔，その他無数の分野に活用出来るのである  従って，本項は，循環駆動，機能力水車１０の，各種ユニットの規格に関する［請求項１３］である．
【請求項１４】
本項は，本重力機関，内蔵装置，構造システム，第２セクション（２）（※−２）倍力伝達駆動装置２５である．本装置は，上記第１セクション（１）の源動力水車伝達軸シャフト２６−１Ｆに，調着されたピニオンギヤー２８より入力Ｘエネルギーを受けて，倍力伝達及び，ストローク駆動を行う装置２５である．大歯車内径半径内変形ハート型中空部円盤３０，またインサイド．スライド．カム３１とも呼称される．該中空部円盤が，回転すればケーシング２９に設けられた，ガード．レール３６に，添って嵌合摺滑する円芯対角一直線の直進スライド，バー３３が，適宜に調着可動装備され，該スライド，バー３３には，全長，全巾共にセンター芯を振り分けに，２個＝２個適宜，間隔でセパピン，ローラー３２−Ａ，３２−Ｂを設け，該セパ，ピン，ローラー３２−Ａ右，３２−Ｂ左を設け，それら３２−Ａ及び３２−Ｂを中心に遊合調着した直進スライド，バー３３は，作動時に，セパ，ピン，ローラー３２−Ａ右は，回転，しながら“内円心”に向かって直進すると，同時に該スライド．バー３３も直進する．例えば往路において，右，セパ，ピン，ローラー３２−Ａ右を，メインとして，表の働きとして駆動する場合は，作用は“遠心方向”に一直線に“内心”に引き込む“引っ張り作用一方向”のみの“力作用”が働き，円心終点に達すると，即時に入力位置変換をして，次は左，セパ，ピン３２−Ｂが，メインの表の働きとして，“遠＝外”“心＝内〃方向性は，左から右への復路，即ち，“左遠外”から“右心内”へと作動し，復路は終わるようになる．“遠”または，“外”は，“左遠外”から“右心内”へ移行する時は，メインの表の軸心ローラーが働き“心”または，”内ローラー”は“左心内”から“右遠外”へと遊行し，“フリースタイル”となってくる．そして，左，右共に交互に行われ“遠”または“外”は，“力作用”で出力が弱い，しかし，本機は，支点，力点の位置から比較すると，入力＝１エネルギイーよりは，強く拡大されたエネルギイー出力が働く，更に“心”は“力作用”の出力が強大である．従って入力＝１エネルギイーよりは，はるかに大きい出力になる，数倍〜十数倍にも達する倍力伝達駆動装置２５である．“遠”から“心”に向かう一方向引張作用一直進往，複，作用スライド，バー３３の適処に，ラック歯車３４を，装着固定一体化して，軸シャフト付きラックピニオンギヤー３５と嵌合して，適宜に反復回転させ平歯車シーソー，ストロークギヤー３７を両端に配し，これを介して第３セクション（３）（※−３）液水上昇排斥循環装置４０を，ストロークするのである．以上重力機関の構造システム，倍力伝達駆動装置２５に関する総合機能の［請求項１４］である．
【請求項１５】
本項は，上記の〔※−２〕倍力伝達駆動装置２５の部分，中枢機能に関する請求項である．該大歯車内径半径内変形ハート，中空部円盤３０は，大歯車円盤３０の平面の半径を利用してインサイド，スライド，カム３３を作ることができる．そこで，１ツの仮定例題として，例えば，３２ｍｍ¢ピッチのラック，ピエオン，ギヤー３５を１回転させ，１ストロークの長さとすると，ピッチ直径３３ｍｍ¢×３．１４１５９＝１００．５３ｍｍ＝Ｌ円周の長さである．この長さを，１ストロークの長さとして置き，スライド，バー３３の，中芯に振り分けてセットするとセパ，ピン，ローラー３２−Ａ．３２−Ｂの間隔も決まってくる．従って右セパ，ピン，ローラーは，右外長側摺滑回転しながら引張りストロークすれば，１００．５３ｍｍ＝Ｌのスライド距離が必要となる．この距離が左，右セパ，ピン，ローラーの基準となる．従って，中空円盤３０の，円心を基準としてハート型の外円Ｒは，１１４．５３ｍｍ−１００．５３＝１４ｍｍであり，１３ｍｍに対して，１４ｍｍは，１ｍｍ遊びの余裕と見る事ができる．セパ，ピン，ローラー，右外径３２−Ａ，左外径３２−Ｂの“外”から“外”の外法の長さを，１１３．５３ｍｍと定める一方“中空盤ハート”の外径Ｒは．１１４．４３ｍｍと定め，円芯内径１３ｍｍＲ，基準として，対角直線対外径Ｒ１１４．５３ｍｍＲとを結び継続する半円弧状，即ち，１１４．５３ｍｍ直径の円で結べばよい，つまり，Ｒ５３．２６５ｍｍで，半円軌道弧状を設ければ“中空ハート型”の外径Ｒに向かって滑らかな“カム”円弧状半径が，できる一方“変形ハート型”外Ｒ１１４．５３ｍｍの基点，即ちスライド．バー３３直進ライン，センター芯を基点として，中空円盤回転１３５度を超えた１４０度程度から円心部１３ｍｍＲに向かって，半円弧状を描いて適処に帰着するように滑らかな半円で結べばよい，１ツのポイントとして円心１３ｍｍＲに帰着する適処は，ピン，ローラー直径１５ｍｍ¢の外径を通過する“逃げ道”であり，余裕が多すぎても少なすぎても大変なロスが生まれる場合もある．従って，微調整が必要である．また一方１４０度程度から，円芯に向かう半円弧状中空部には，セパ，ピン，ローラー３２−Ａ，３２”−Ａが，“フリースタイル遊び，ローラー遊行スライド”の逃げ道であり衝突しないように中空部にしているのである．また“後方中空部”は円芯１３ｍｍＲに帰着し帰結する部分のみピン，ローラー３２−Ａ，３２−Ｂの外径に合わせて，微調整を必要とする．図６・図９・図１０・図１１・図１２・図１３・図１４・・図１６・図１７・図１８に示すようにスライド，カム大歯車内径半径内変形ハート型，中空部円盤３０は，インサイド，スライト，カム３１としてスライド，バー３３と嵌合遊納装行して，該ハート中空円盤の回転によってスライド，バー３３が，“外遠”から“円芯”に向かって引張作用を表メインとして，ひきこむ，そして．その１ストロークの長さは，上記例題の１００．５３ｍｍＬの長さとなる．即ち，ピニオンギヤー１回転と一致するのである．この１ストロークの長さは，該ハート中空円盤歯車の半回転である．“右遠外”から“円心内への終点となり右セパ，ピン，ローラー３２−Ａは，“フリースタイル遊び���ーラー”となり往路は終わり復路においては，左セパ，ピン，ローラー３２−Ｂは，“左遠外”に到達しており，同時に“メインローラー”表の働きと変換して“左遠外”から“右円心”に向かって行動を始めながら引張作用を表として引き込むのである．そこで左セパ，ピン，ローラー３２−Ｂは，円芯終点によって復路が終わりになり，変形ハート中空盤歯車３０は１回転が終わるのである．従って１回転に，２スクロークの仕事をこなすことになり．また，インサイド，スライド，カム３１は，２枚として使用したり．更に３枚を１対としても使用したり，２枚を対象方向に組み合わせ，正．反同等回転もできる，３枚を２枚正転１枚中心センター反回転の３対１の組み合わせも可能となる．これら２枚１対，１クランク，２クランク．３クランクと多方向希望目的多重クランク装置としても使用できる．また，３枚１対１，正反回転３枚１対１，クランクとして，上記同様１クランク，２クランク，３クランク，４クランクとしても使用できる，これらのクランクのスライドバーの方向性もインサイド．スライド，バーの場合は，１クランク１本〜２本の単方向と２方向までであるが，アウト，サイド，バー，即ち，倍力装置２５の，本胴体より外長に延びたロング，スライド，バー３３を使用すれば，１クランク，１本バー左，右対角２方向の使用ができる．その左，右対角２方向にも両サイド嵌合１駆動とすると，４サイド駆動能力となり，嵌合２駆動とすると８サイド駆動能力となるというように，１クランクにおいても複数駆動ができる．また，一方スライド，バー，ロングの場合は，１クランク左，右２方向往復となる．これを２クランクとしたら，４方向十文字形３クランクの場合は６方向等分形，４クランクの場合は８方向であり，米印形等分配置，またその他も可能である．従って，本装置“倍力伝達駆動装置２５”は，本重力機関を離ても，単独装置である独立機器装置としても使用できるのである．それらの範囲も含む［請求項１５］である。
【請求項１６】
上記，該第２セクション（２）〔※−２〕倍力伝達駆動装置２５の大歯車リングギヤー３０に，調着円盤内径，半径内変形ハート型中空部円盤３０，インサイド，スライド，カム３１の基本型を各々規格化して，サイズを決め“ユニット規格”とする事である．そして各種，目的，仕事及び利用分野に対応できるのである．
その仮定例題のサイズ１として，「００２６」〔※−２〕〔課題を解決するための手段〕別表として実施し，試作規格サイズ，ユニット規格の１，サイズ例題各種範囲表として（表２）表記している．この（表２）は，本重力機関の第２セクション（２）ストローク倍力伝達駆動装置の規格，実施例題表である，上記の各種倍力装置は，１サイズに対する例題であるが，各種サイズのミニサイズからマクロサイズに至るまで全般に普遍して共通するものである．本倍力伝達駆動装置２５は，大歯車と調着一体化して回転するものであり円盤，内径の半円を利用した半径変形ハート型，中空部円盤を“中心．基本”とした［請求項１５］の倍力伝達駆動一直線ストローク，往復運動による倍力装置である円盤を使った，インサイド，スライド，カム３１である，従って，本装置の特徴として円盤外輪郭部適宜内径より“引張り力作用”を利用して円盤中心部に引き込むように一直線に引っ張りこむのである，即ち円盤，インサイド，スライド，カム３１の正，反同等回転，半回転によって１ストロークの外円を始めとすると，例えば，左外円を始発として，内心終着とした右へ移行円心終着し，１ストロークの始と終わりを行うようになっているのである．この作用の左始〜右終を往路とした場合は，２ストローク目の復路においては，右始〜左終の半回転で復路の２ストローク目が終わるのであり，円盤，インサイト，スライド，カム３１の１回転において往路，復路の２ストロークを行う，従って，該倍力装置と言われるゆえんは，大歯車リングギヤーの外輪側入力回転として円盤内，内半径だけを使用し，必ず“外始〜内終”の“引張力作用”を利用する故に“倍力効果”が働くのである．即ち，後述する上記の，（表２）及び図示例「００４０」図９・図１２・図１３・図１４・図１６・図１７・図２９・図３０・図３１・図３２，その他，各種特図示例等に示すものである．この「００２６」（表２）及び各種図示は，本倍力伝達駆動拡大装置の各種構造施工図実施例題図である．上記，その他，各種ユニット規格，各種サイズの１サイズについての形式である．この型式は，各種サイズに共通したものである．本項１６項は，倍力伝達駆動装置２５の，ユニット規格に関する［請求項１６］の．重力機関である。
【請求項１７】
液水上昇搬送保々は，基本方法に対する，発見と発明に関する請求項である．本項は，重力機関，第３セクション（３）〔※−３〕液水上昇排斥循環装置４０の項である．本装置は，液水を上昇させる装置であり，その入力エネルギイーは，本装置の内筒用，体積量排斥容器棒４３は，フロート式，ストローク体積棒４２とも言われるが，この内筒用，体積量排斥容器４３等の自重，または，体重を入力エネルギイーとして利用して“上昇”“汲み揚げ”搬送を行う．本装置は，内筒用と外筒用の２本円柱筒が主役であり，その他は脇役となる．（※注，ここでは，“２本の円柱筒”と規定したが，管容器であれば，どのような形態でもよい）この主役の“内筒用”と“外筒用”が，挿遊入遊して，適宜ストロークして，液水の上昇搬送を行う装置である．従って，本装置に対する構造説明は簡単明快であるが，構造システム行程に入る前に，最も決定的条件があり，たった“２本”の“管容器”であるが，この“２本の管容器”のサイズ決めが，重大課題になるのである．従って，その“比例数値”に対する“算出法”“表”として記載する．上記，外筒，内筒，２筒は主役として述べたが，その主役の中の主役は，内筒用体積排斥容器棒４３，つまりフロート式，ストローク容器棒４２である．すべての基準は，この“内筒体積量”を中心に決定する必要がある．例えば，目標搬送量に従って“筒の大きさ”サイズを決め，また，目標，搬送の高さによって，１ストロークの長さ”を決め“平面積平方”をも決めるのである．例えば，別表例題（表４）実施例［請求項２３］に示す最終段の１例によって算出すれば（１０ｃｍＬ／５００ｃｍ３）・×１０＝（１００ｃｍＬ＝１ｍ／５０００ｃｍ３）＝５ｌである．即ち１ストローク１ｍ＝５０００ｃｍ３＝５ｌという事である．搬送高さ目的＝５ｍであるから，５対１＝１対５である．ところが，１対５では，５倍目的の高さの５ｍまでは液水を排斥上昇させる事はできるが，“雫れ落ちる”“汲み込み量”には至らず“ゼロ”である．従って２５対２６とおいて計算すると，内筒体積量１ｍＬ体積量５０００ｃｍ３＝５ｌ比例数値２５におくと，外筒容積量は比例数値２６にすれば，次の計算式（１０００ｃｍ＝１ｍ）／（５０００ｃｍ３＝５ｌ）÷２５＝（２００ｃｍ３＝０．２ｌ）である．従って，２６は，外筒容積量は，５０００ｃｍ３＋２００ｃｍ３＝５２００ｃｍ３である．つまり１ｍ，１ストローク当たり，５０００ｃｍ３内筒とするということになる．すると，内筒２５＝５０００ｃｍ３と外筒２６＝５２００ｃｍ３の対比となる．言い替えれば，２５分の１の２００ｃｍ３分量分の容積量が大きい外筒容器を使用するという事である．即ち，容積量５２００ｃｍ３／１ｍ当たり外筒用容積量の筒内に内筒用体積量５０００ｃｍ３／１ｍ当たりの筒を挿遊入遊すると，その重要ポイントは３ツある．１ツは，上記の内筒用，体積量を中心とした“外筒用容積筒”の対比“比例数値”を決定する事，そして，２ツ目は，“外筒用容積量容器筒４４”の深水最下部先端に，逆止弁４５を設ける事である．３ツ目は，内筒用，体積量排斥フロート式ストローク棒４２の深水最下部先端に，体積排斥用，逆止弁４６を設けることである．上記の２５ｍの高さへの上昇も外��容積容器４４の深水部分最下先端に逆止弁４５を設けた結果である．本例題の，希望目的の高さは，５ｍであるから２０ｍの高さの分量は“零れ落ちる”即ち（１ｍ／２００ｃｍ３）×２０＝４０００ｃｍ３は“零れ落ちる”という事は，“汲み込み量”である，そして，５ｍ高さ，外筒容積内には，残留水が（１０００ｃｍ３＝１ｌ）となる．従って，残留水比重（１０００ｃｍ３＝１ｌ＝１ｋｇ重）そして内筒用，体積量排斥容器棒４３＝フロート式ストローク棒４２の自重１ｋｇ重で相殺する事ができるのである．従って，上昇５ｍの高さに（５０００ｃｍ３＝５ｌ）を運ぶに当たって自重（１０００ｇ＝１ｋｇ重の体重＝Ｗ＝（ウエイト）で運ぶ事になる．つまり自重（１０００ｇ＝１ｋｇ重）で，その４倍重の（４０００ｃｍ３＝４ｋｇ重）を５ｍの高さまで“汲み込み搬送”した事になる．この計算数値は，事実であり，真実であるが，この“数値”も，また“見かけの数値”である．それは”静的数値”でもある，“動的に見る”と往路，１ストローク内筒用体積棒４３の体重，自重落下による排斥搬送量である．ところが，復路１ストローク内筒用体積棒４３の体重，自重量１ｋｇ重と内筒用，該排斥容器棒４３，深水下先端の逆止弁４６の体積排斥水落下封じ逆止弁４６による残留水比重（１０００ｃｍ３＝１ｋｇ重）の重量も倶に引き揚げる入力エルネルギイーが必要になる．従って，２ｋｇ重以上の入力が必要となる．だがこれも，また，“見かけの数値”である，これを補うのが，外筒用の容積筒４４の，深水下部先端に配備調着された逆止弁４５の効果によって，この“往路復路”アンバランスを相殺しているのである．この逆止弁４５は，復路始め一瞬にして弁を自動的に開放して貯水タンク２，自然界水深比重圧力の復元力，即ち，浮力（５０００ｃｍ３＝５ｌ＝５ｋｇ重）の水圧力で押し揚げてくれる．これによって相殺してもあまりあるのである．この実施試作例題〔表３〕は，液水上昇循環装置汲み揚げ量実施例表であるが，〔課題を解決するための手段−〔その３〕「００２７」（※注−３）は後記にて記載するものである．  これもまた，［請求項１７］に関係する（表３）である。
【請求項１８】
本項は，上記の液水上昇搬送方法の基本方法に関する実施例題各種表”表”についての説明項である．本表の各種該表として後述する〔課題を解決するための手段その３〕「００２７」（※注−３）に表記するものであるが，まず．
第１点（表３）内の数式そのものが，実務．実証，試作，実態，を意味している．従って（表３）を以て［請求項１８］とするものである．本表３は，液水上昇搬送筒の“１ストロークの長さ”と“体積排斥量”と“搬送目的希望高さ”の“目安，仮定例題”と“内筒用体積排斥容器スローク棒と外筒用容積容器搬送目的希望高さ”＝筒の体，容，二積の比例数値の各種積を示すものである．この示す数値の好みに合わせて製作すれば，いずれも入力エネルギイーの数倍．十数倍の仕事量の上昇搬送することができる．
第２点には，（表４）内の数式は，各種上昇搬送筒の“規格形態例題仮定表”及び“材料規格例題仮定表”である．従って［請求項１８］に明記するのである．本（表４）も課題を解決するための手段−その４「００２８」（表４）に後記するものである．
第３点には，（表５）内数式は，（表４）とあまり変わらないが，サイズの拡大と体，容，二積の比例数値の違いによる（表５）であり本表もまた，〔課題を解決するための手段〕−その５「００２９」（※注−５）に記載されているし．また製作設計に関するものであるので［請求項１８］に掲げている．
第４点には，上記［請求項１８］に掲げる（表３）（表４）（表５）の３種表内の数値は体積量と容積量の二種を示す数の仮定の設定でありデザインを設定するものでも，形態を限定するものでもない，従って，形態は丸管，角管，六角管，八角管，星形管，その他の形態をも含むものである．従って，この数値表（表３種表）は，ある仮定範囲内の設計図全般の範囲が含まれるものである．
第５点には，上記（表３）（表４）（表５）の数値設定の基本設計として説明するが．その（１）希望目的総搬送量の設定，その（２）希望目的搬送高さの設定，その（３）上昇循環筒の偶数筒本数の設定，その（４）１ストローク過程の１０ｃｍの長さ毎の体積排斥量の設定，その（５）１筒１ストローク長さ総量の設定．その（６）偶数本数に対する循環サイクルの設定．その（７）その他諸々の比例数値の設定等である．（１）の総搬送量の設定を基本として（３）を決定し（２）を基本として（５）を決定し（１）（３）を基本として（４）（５）を決定し（２）と（４）（５）を基本として，内筒体積量，排斥量と外筒容積量との対比，比例数値の決定をおいて，（７）上昇液水の“浮力”と“重力”の平衡高さを決定し，更には比例数値をおいて（２）と（７）（５）を基本として，比例数値をおいて，ヘットダウンカット高さの（２）の希望目的搬送高さの一致を決定し，（８）の“零れ落ち”高さを決定する．（５）と（７）（８）を基本として，各々１筒の“搬送汲み込み量”＝“零れ落ち量”を決定し，その反比例作用（５）（７）（８）の比例数値によって“残留推量”と残留水比重量＝Ｗの（１０）を決定する．また（１０）の決定は内筒体積フロート式，ストローク排斥棒の自重＝Ｗを決定し，（１１）を決定することになる更に（４）（５）（１）を基本として（６）の，各ストローク．サイクルの設定も決まるのである．以上（表３）（表４）（表５）の数式を以て［請求項１８］におく理由である
【請求項１９】
上記の（表３）に基づく展開項である（表３）“基本比例数値”は，内筒用，体積量排斥容器棒４３＝フロート式ストローク体積棒４２は，比例数値５０としておくと外筒用，容積任意希望目的高さ，搬送筒４４の容積量は，比例数値５１としている．即ち５０対５１は，本機の“比例数値”である．この“比例数値”は，“体重”及び“自重”液水比重の側面残留水の重量が，１対１の均衡・平衡になる“比例数値”である．つまり搬送量の５０の５０分１の水路を作るのである．５０分の１の水路容積は，５０倍の高さまで液水を排斥上昇引き延ばし．上昇延長させる事ができる．従って“５０”は“搬送１ストローク長さ”の“排斥量”を意味し，５０対５１の．５１−５０＝１であるように，５０分の１上昇水路におきかえる事によって，それぞれ均衡・平衡高さが，（表３）縦最後列，上段表，下段表に各々各種積量別比例数値１０段階．２０種を掲げている．また該（表３）の横列“右から左”または“左から右”は．各容積筒各種容積量のヘッド，カット．ダウンの各々“高さの次第”各筒毎の比例数値の順序次第表である．本表３の，基本比例数値は（５０対５１＝５０分の１）の基本数値を仮定してベースにした表であるが．この（表３）の数値の仮定は，その他のミクロサイズからマクロサイズに及ぶ全サイズ形態に普遍して共通するものである．また（５０対５１）の基本比例数値もここにおける例題仮定であり目的高さが低位の場合は（２０対２１＝２０分の１）（３０対３１＝３０分の１）を基本利用してもよい，また目的高さが上記より高位超高層に及ぶ場合は（１００対１０１＝１００分の１）（２００対２０１＝２００分の１）を“基本比例数値”に選ぶ事も必要に応じて可能である．従って基本比例数値において“目的高さ”及び“搬送効率”に合わせて普遍性をもって対処し，また形態及びサイズを一円に包含して共通する比例数値である．それは，さておき（表３）において例えば，上段横列１種の上段数値は，１ｌ＝１０００ｃｍ３搬送量を基準にした，比例数値と筒内残留水量の目的高さとの目安表である表３に従って上段１種横列右端後列縦列を最高位平衡高さとおいて，５ｍ高位／０ｃｍ３と示す数値は，１の器種において“１ストローク長さ”における“搬送量”または“排斥量”は（１０００ｃｍ３＝１ｋｇ重）であるが“零れ落ち量”“汲み込み量”は５ｍ高位においては，ゼロ量である事を示すのである．それは１ｌの液水量は上昇筒５ｍの高さの５０分の１の隙間水路に残留水として残存し，一滴も零れ落ちる事なく平衡を保っているからである．そこでヘッド．カット．ダウンして，４．５ｍ高さになると５０ｃｍ低くなると１０００ｃｍ３の１０分の１の量１００ｃｍ３＝１００ｇ重が“零れ落ち汲み込み量”となる．従って４．０ｍ高さにヘッド，カットは，圧縮２００ｃｍ３零れ落ち，圧縮３．５ｍ高さは，圧縮３００ｃｍ３零れ落ち，３．０ｍ高さは，圧縮４００ｃｍ３零れ落ち，２．５ｍ高さは，５００ｃｍ３・順次零れ落ちるのである……１ｍ高さでは，８００ｃｍ３＝８００ｇ重が，零れ落ちるのである．この高さに比例して零れ落ち置の裏の残留水量は，５ｍ＝（１０００ｃｍ３＝１０００ｇ重）４．５ｍ＝（９００ｃｍ＝９００ｇ重）４．０ｍ＝（８００ｃｍ３＝８００ｇ重）３．５ｍ＝（７００ｃｍ３＝７００ｇ重）３，０ｍ＝（６００ｃｍ３＝６００ｇ重）２．５ｍ＝（５００ｃｍ３＝５００ｇ重）２．０ｍ＝（４００ｃｍ３＝４００ｇ重）１．５ｍ＝（３００ｃｍ３＝３００ｇ重）１ｍ＝（２００ｃｍ３＝２００ｇ重）の残留水の比重が残るのである．残留水比重を相殺する内筒用体積棒４３の自重，体重＝Ｗにおき替える事ができる．従って本装置が，なぜフロート式，ストローク体積棒４２を使用するかというと幾多の理由の１つは，自重，体重の調整上からである．以上，比例数値に関する［請求項１９］である．また後述する課題を解決するための手段のその６「００３０」（※注−６）に表記する．そこには（表６）設けてある．該本表は，ダウン，カット表として最高位＝２００ｍ，高さ／２０００ｌ＝２０００ｋｇ重の液水量を仮定例題として平衡位を決める．即ち（浮力と重力）の平衡位と定め，次第，次第に順次４ｍ長さ（４ｍ長さ落下短縮／４０ｌ＝４０ｋｇ重）ずつ減少低下の高さとして行く方法を以って，ヘッド，カット．ダウンする．比例数値をおいてある．この表６を見れば，そのデーターが明確に分かるのである．この表には，各番号順番に高さを次第にカット．ダウン方式でその“雫れ落ち量”と“筒内残留量“を表記するものである，上段数値各番号内は，上昇筒最高位先端の“雫れ落ち量”のｍ＝（メートル）の高さである，下２段目数値，各番号内は，残留水残存量比重重量ｋｇである．また下段３段目数値，各番号内は，雫れ落ち量ｋｇである最下段４段目数値の各番号内は，希望目的搬送量ｋｇ重である．この表を見れば比例数値がいくらであるかは明白である，即ち，（５０対１／５０対５１）の比例数値に設定している，従って，ワンカツト当たり４０ｌ＝４０ｋｇ重の変化があるという事である．カット
2006016969.tif 000017
比例して，入力エネルギイーの代替え体積排斥棒の自重も小さくてすむ事になる．即ち“省エネルギイー”である．という事実であるとは言ってももともと，地球の力，万有引力の重力エネルギイーであり人類はもとより入力エネルギイーなどは使用していなのである．以上を以て（表６）もまた製造形態の一部の数式を備えたものである，実施試作の設計図的要素を包含するものであり，［請求項１９］に置く理由である．
【請求項２０】
本項は，上記の該第３セクション（３）（※−３）液水上昇循環装置４０の単筒・単一・１ストローク範囲内で１環の説明をして来たのであるが，単筒，単菅器各種全般に普遍して言える事は，メリットの有る事は，上記にて明白に示してあるが，発明者の欲と言うべきであろう．本項は，その欲の部分を請求項としてあげたい．
単筒，単菅，単菅器の１ストロークは，往路，復路における微調整が必要であると上記に述べた通りであるが，それらの微調整を行う事なく比較的近い数値で残留水比重そ，の他の比重に対するよい方法がある．．例えば残留水重量１０ｋｇ重としたならば，単筒，単一の場合は，１０ｋｇ自重を目安として，その上に往路復路の重量差の上下を微調整して決定し，自重とするのであるが．このような神経質な事を考えず，１５ｋｇ重，２０ｋｇ重，３０ｋｇ重，４０ｋｇ自重の変差であっても残留比重１０ｋｇ重と対比して，あまり影響のない方法がある，それは，複数器筒を左右に配置してシーソー状に駆動する事である．複数の中でも偶数器筒が，理想的であるが，例えば，２，４，６，８，１０，１２器筒というように，左，右，均等，対象，比例，同等とすれば，中心，支点，中心駆動，正転，反転，往，復，回転，２ストロークと設定したならば，１ストローク往路においては，左側１器筒．右側１器筒の１対１の場合は水平，平衡にある時は，格差ゼロであり左．右同等の器筒自重であれば，１５ｋｇ．３０ｋｇまた４０ｋｇでもゼロ状態である．そこで気付く事は，双方の自重が，幾らで有ろうが双方の自重で相殺されるからである．従って本当の入力消費量は，１ストロークの長さの範囲に納まってしまう．例えば、往路の回転方向を仮に時計まわりの右回転とした場合，右側の１器筒は，下降する反対側となる左側の１器筒は上昇する．従って支点，中心，平衡，水平にある時は，格差はゼロ重力となり下降に向かう右器筒は内筒用，体積棒の落下加速度に対する“水圧抵抗は空圧抵抗”の，速度の３乗倍の抵抗を受ける，この水圧抵抗３乗倍だけが消費料となる一方，上昇する左側左器筒はその時に，また大きなメリットとなる．それは，深水下部の深さにもよるが，もう１ツ大事なことは，逆止弁の役割が大変な効力を発揮し効果を示す．以上が，複数筒天秤，テコ，運動，つまりシーソー駆動の効果による［請求項２０］である．また後述するが，〔課題を解決するための手段〕の（その７）「００３１」−（※−７）（その８）「００３２」−（※注−８）または（その９）「００３３」−（※注−９）（その１０）「００３４」−（※注−１０）に表記する（表７）（表８）（表９）（表１０）は，各内筒体積排斥棒フロート式，ストローク棒の体積面積に働く，“浮力”の復元力の作用データー表である．本項に至るまでは自然比重高所落下比重圧力エネルギイー，即ちボテンシャル，エネルギイーの潜在能力エネルギイーを利用する事，即ち従来技術の表をもってメインとして論じてきたのであるが，これらの範囲も大変に幅広い活躍の場であることは言うまでもない，つまり搬送用機器としての各種仕事分野の形態システムで，その範囲も限られている．本項にこの表をおく事は，重力機関の範囲を意味するものである．即ち，重力機関はコンパクト化が要求される為，密封圧力タンクを使用し，高所高位より落下する比重出力と同様の体内効果の出力エネルギイーを抽出する為に比重，重力＝Ｇに更に圧入力を加圧して２水圧．３水圧，４水圧．５水圧と水圧をかけて増幅効果，余饒水量を使って高速流速回転で”出力源水車”及び“入力循環源水車”双方適宜にコントロール圧力回転を与えるようになっている，従って，密封圧力タンク内部で駆動される上昇循環装置，筒内部体積可動ストローク長さ，飛だし部分，体積面積の浮力め変化を表記した（表７・表８・表９・表１０）である．また〔図示例〕−「００４０」の〔図５３〕に示すものである．飛だし長さ面積当たりの圧力倍率別，浮力のｃｍ２／ｇ圧力復元力のデーター目安表である．従て本来（表７）（表８）（表９）（表１０）を機械要素として［請求項２０］におく
【請求項２１】
2006016969.tif 000018
の効果得益である．その１例として，（表３）［請求項１８］の中の中段部最下段１０の１ストローク長さ（１００ｃｍ３＝Ｌ／１０ｌ＝１００００ｃｍ３）は，すなわち，１ｍ長さ／１０ｌであるという事は，深水，水面下１ｍ以上１．５ｍ深水最下から水面下５０ｃｍ＝０．５ｍ範囲の１０ｃｍ×１０＝１ｍ，１ストローク長さとしていると設定できる．従って，１ｍ長さ／１０ｌならば１０ｃｍ３は１０＝１ｋｇである．つまり上昇時深水水圧“復元力＝浮力”は深水最下部で１．５ｍであるから，１５ｋｇ重の“復元力＝浮力”が“押し揚げて”くれる．そして最上昇時１ｍ長さストローク終点においては，“５ｋｇ重の復元力＝浮力”が“働き押し揚げて”くれるのである．然らば上昇上位終点の復元力でも５ｋｇである．５ｋｇと言えば，別表（３表）の１０の２５対２６の２５ｍ高さまでの残留水比重重量，５０００ｃｍ３＝５ｌ＝５ｋｇ重を“地球のエネルギイー”からもらっているのである．もしも，２５ｍ以下の希望目的高さならば，例えは２０ｍなら残留水比重は，４０００ｃｍ３である．従って５０００ｃｍ３−４０００ｃｍ３＝１０００ｃｍ３＝１ｋｇ重
2006016969.tif 000019
ｃｍ３−３０００ｃｍ３＝２０００ｃｍ３＝２ｋｇ重超過するのである．もしも，１０ｍならば２０００ｃｍ３である．従って５０００ｃｍ３−２０００ｃｍ３＝３０００ｃｍ３＝３ｋｇ重超過するのである．また左側，左器筒上昇時は，外筒用，容積，任意，希望目的高さ，搬送筒４４の，深水最下部先端装着の逆止弁４５の，解放開孔によって自然界同環境の貯水タンク６，の１．５ｍ〜０．５ｍの“水圧復元力＝浮力の力”によるものである．然らば右側，右器筒の下降時の落下加速抵抗水圧，３乗倍は，左器筒上昇“水圧力，復元力”天秤テコによって右側，右器筒落下加速度に拍車をかけるのである，然らば“入力消費量”は自然界の引力のエネルギイーにかき消されてしまうのである．従って消費料は極小である．極小であると言っても使用，利用者，人類が，補うものでなく，地球が負担しているのであるから使用者，利用者，人類は，無エネルギイー無経費，永続循環上昇降下装置とも言えるのである．従って，１対１の左，右で明確なように２対２も，３対３も，４対４も共に同比率で解消できるのである．本項は，逆止弁４５と，フロート式ストローク体積棒４２の効力，得益によるものである．以上の［請求項２１］である．
【請求項２２】
本項は，逆止弁４６と，逆止弁４５に関する項である．本逆止弁４６は，内筒用，体積量排斥容器棒４３＝フロート式・ストローク体積棒４２の最深最下部先端に体積排斥流水落下止め逆止弁４６として，設けるのである．従って，解放落下の始め，始発の落下速度の水圧抵抗は，空圧加速度の３乗倍の抵抗である．従って，該排斥容器棒４３の，落下圧力比重によって外筒用容積，任意希望目的高さ搬送筒４４の，深水部最下部先端の逆止弁４５の，弁４７は，圧力によって閉塞するのである．該外筒容積内部進入存在水，つまり，外筒内部室４１に，満水に充填した存在水が，上昇水流道４７の，水門を開ける働きをし復路の，該内筒用体積量排斥容器棒４３の上昇時はこの逆止弁４６は体積外残留水の落下漏れを防止すると共に残留水も持ち揚げ搬送をする役目を果たすのである．また一方の，外筒用，容積任意希望目的高さ，搬送筒４４の，下部先端深水部逆止弁４５は，往路時は，該体積棒４３の，落下時には，進入存在水滴宜を残して逆止弁４５は，閉塞して，内部室４１に，封じ込め外部，自然界同環境の貯水タンク６と，断絶してしまうのである，すると内部室４１の，存在水は下部には逃げ道がないので上昇し，開放弁の逆止弁４６を，抜けて搬送筒の水流道４８を，上昇するのである．この時の筒内環境は自然界と断絶して独立した筒内環境であるから搬送量分の１０ｌ＝１０ｋｇ重であるが，“比例数値”による緩和によって，３ｋｇ重程度でよいのである．また一方復路においては内筒用，体積フロート式・ストローク体積棒４２は，上昇するその瞬間．外筒用，下部逆式弁４５は，即座に開放，開孔となって自然界と同環境と変化流通すると貯水タンク６の，深水圧力，“復元力＝浮力”の１５ｋｇ重で押し揚げ，１０ｃｍ上昇毎に１４ｋｇ重圧・１３ｋｇ重圧〜５ｋｇ重圧まで，１ストローク長さ，１ｍ上昇させ“復元力＝浮が”５０ｃｍ深水部５ｋｇ重圧のところまで上昇し，また変化して往路に向かうのである．その時は，一切の外部抵抗を断絶する逆止弁４５の，作用によって内部だけの独立環境を作り搬送量分の抵抗勢力に変化させると言っても，総合搬送量は，１０ｋｇ重であるが，ヘッド．ダウン，カットがある故に，該（表３）表例題の中段最下部の１０という事であるから１５対１６縦列１０ならば３ｋｇ重程度である．２０対２１でも４ｋｇ重程度である．だがこれ等の抵抗勢力も左，右．上，下，正．反等の対象運動，または順次ストローク４分の１回転のサイクル運動において相殺してしまうのである．上記各項，色々と逆止弁の効力，効果を述べてきたのであるが，従来の逆止弁作用はただ液水，空気等の逆流閉鎖を表として使用してきたのであるが，本装置に使用においは，二つの環境を（正・負・反）（重力・反重力）（上昇・下降）を“一瞬に変化”させる“威力”も兼ね備えている事である．従って地球上の人類が“敵とみなし”“抵抗壁”と思い込んでいた万有引力９．８Ｇも１００％味方に付ける事の出来る装置（※−３）液水上昇循環装置
2006016969.tif 000020
，効力．効果に関する得益の項［請求項２２］である．
【請求項２３】
本項は，本機関第３セクション（３）（※−３）液水上昇循環装置
2006016969.tif 000021
（表４）と関係するのであるが，それが同時に［請求項２０］記述したように〔問題を解決するための手段〕の（その７）「００３１」（その８）「００３２」（その９）「００３３」（その１０）「００３４」に表記する（表７）（表８）（表９）（表１０）は，各内筒体積排斥フロート式，ストローク棒の体積．外面面積に働く“飛び出し分量”と“増幅水圧比重”と比例して浮力も増大するのである．その目安表が，上記当該表である．これらの“浮力の力作用及び復元力”のバランスも考慮にいれる必要があるのである．この“浮力の力作用”を“味方として利用推進力”とするのか，また逆に“敵として抵抗力”とするかは大変な永久機関設計上の重大条件の１つである．従って構造システム上，自然力を利用する事が，永久機関の根本的条件であるからである．翻って本発見，発明者としては，万有引力＝重力＝Ｇの“引極一方通行”“不可逆理論を覆した”のである．すなわち，重力＝“Ｇのエネルギイー”＝“抵抗壁”として来た人類史の先入観を一瞬にして打ち破り，実のところ重力＝Ｇのエネルギイーは，仕事エネルギイーであり“抵抗壁”は実に１００％“抵抗壁”でなく“プラスの力”であり，仕事の“動力源エネルギイー”なのであると宣言し，“地球上に抵抗壁”などなくなったのである．だだ抵抗壁をなくしただけでは，ただのゼロＧであり動く事もないし，搬送する事もできないのである．従って，永久機関の条件とは，抵抗壁を１００％動力エネルギイーとして，転換利用して，尚且つ数十倍から数百倍さらには，数千倍の仕事エネルギイー源動力に変換する事なのである．従って１ｔ／１ｍ３の重力＝Ｇ＝Ｗを１ｍ上昇搬送を“ゼロ消費入力エネルギイー”で可能にすれば，１ｔの落下出力エネルギイーとして抽出することが出来る．２ｍ上昇搬送ならは，２ｔの仕事出力エネルギイーが抽出でき，３ｍならば３倍出力，５倍高さならば５倍出力，１０倍高さならば，１０倍出力満水落下出力が抽出できるのである．そして，これに“追加力”が加わるのである．それは“落下加速度エネルギイー”の威力である．この威力を０．９と見込むとしたら，満水度＝１．０ｍ＝１．９ｔ・５．７ｔ・５ｍ満水度＝９．５ｔ．１０ｍ，満水度＝１９ｔという出力エネルギイーを無経費で抽出する事が出来るのである．この原理を可能にしたのが，第３セクション（３）の（※注−３）液水上昇循環排斥搬送装置なのである．従ってそれを．製造する資料数値は（表３）（表４）（表５）（表６）にあるが，これは自然比重．即ち，地球引力＝９．８Ｇ平均数値を利用した自然Ｇであり，これだけでは，装置の体形も大きく，高くなる事は必然的である．然るに密封圧力タンクを利用する事によって，強制的に加圧，圧入する装置を配備して，本体のコンパクト化を計る方向として，例えば９．８Ｇ平均値を入力源スタートとして，倍圧＝９．８×２＝１９．６Ｇ・３倍圧＝２９．４Ｇ・４倍圧＝３９．２Ｇ・５倍圧＝４９．０Ｇ圧入として，高速落下水流を作り，低所規模でも高出力重力エネルギイーを利用できるようにしたのが，重力機関の永久機関なのである．このコンパクト化高出力の機関の構造システムを設計する資料数式が，上記各当該表であり，また（表７）（表８）（表９）（表１０）���密封圧力タンク内部の比重変化と，浮力の体圧比重の変化を目安としたものである．従って，これも，永久機関の一部資料であるからここに掲げるものである．またもう１点，重力機関＝永久機関の重要資料とする事は後述する〔課題を解決するための手段〕の（その１１）「００３５」（※注−１１）（表１１）に掲載表記するものであるが．本表にかかげる数式は，各種作用出力概算表であるが，この概算表もまた重力機関を製作する上で重要な資料，目安資料であり本表データー表もまた“機械的要素を含む”ものであり各セクション別の出力計算の目安となるのである．先ずは“体形の高さと大きさの設定“目安“入力循環源動力水車の出力サイズ”の目安“供給量＝汲み揚げ量”と需要量＝入力源水車の消費量”と“出力源水車の消費量”の合計消費量を基本として，これにプラスされる余饒水量を幾らにするかという事である．従って入力源水車の消費量自然比重を基本として，最低基準目安を，入力源水車を１と仮定した場合汲み揚げ量を３倍以上量を目安とし，１対３以上を最低出力限として，更に高出力に向かって，１対４・１対５・１対６・１対７・１対８・１対９・１対１０を置く事も必要である．しかし対比差が大きい装置はそれなりに本機関の高さ，大きさが必要となる事．対比差が大きいもの程，増復効果が，増大し，圧力比重も強出力になる事はいうまでもない．また増復効果は等圧であり圧力タンク内部の比重が高く高圧になれば汲み揚げ循環入力源水車への還元も大きくなる事である．つまり自然比重，１対５であっても，２倍の増復効果圧力比重になれば，２対１０の出力と変化する，５倍が働けば５対２５となるというように，比例して汲み揚げ力は強化される．このように製作製造段階において比例数値を幾らにするかを設定しておけば，後の使用，利用段階において入力源水車バルブ５８の，双方開閉制御コントロールによって，圧力調整は自由に出来るのである，従って（手段その１１）「００３５」（※注−１１）に掲載する（表１１）を機械的要素の上から，［請求項２３］におくものである．
【請求項２４】
本項は，本重力機関の第４セクション（４）（※−４）出力，仕事抽出エネルギイー原動力源水車５０の項である．前記，記載の各種セクション，第一セクション（１）（※−１）循環駆動機能力水車（１０）は，密封圧力タンク６の，高水圧入充填により，強力な落下水流本機“源力圧力”１“Ｘのエネルギイー本源力”を水車羽根５１に受けて，水流，流速駆動されて，軸芯シャフト色々，２６−２．２６−１Ｃ．２６−１Ｆと傘歯車２６−１Ａ．２６−１Ｂ．２６−１Ｄ．２６−Ｅの各種を介し伝達して，図６．図７．図８に示すように伝達シャフト２６−１Ｆ．先端出力用ピニオンギヤー２８は約源力“１＝Ｅ”の３．５倍の入力を持つ，よって該機関，第２セクション（２）（※−２）倍力伝達駆動装置２５の，インサイド，スライド，カム３１に，嵌合入力駆動すれば約３．５倍の，入力エネルギイーを受ける，更に倍力拡大効果によって，３．５倍の，入力を受けた．インサイド，スライド．カム３１の倍力伝達作用によって，約５倍〜十数倍程度の倍力伝達効果，効力が加算される，この拡大作用を受けた，スライド，バー３３と一体化のラック．スライド歯車３４を介して，これに嵌合，噛み合うピニオン，ラック，ギヤー３５を．正反回転し，図示例，図１．図３．図６．図７．図９．図１０．図１１に示すように，このピニオン．ラック．ギヤー３５を中芯
2006016969.tif 000022
車３７が，設けてある．ここにおいては消費エネルギイーは増大するが，液水上昇循環“汲み揚げ”平均実“エネルギイーＸ量”の，約４倍程度が消費されるが，“浮力と重力”の強力な
2006016969.tif 000023
この両端適処の正反回転シーソーストローク歯車３７は，第３セクション（３）（※−３）液水上昇排斥循環装置４０の内筒用，体積フロート式．ストローク体積棒４２を，順次サイクル４行程に駆動し，多量の液水を“汲み揚げ”該密封圧力タンク６に，圧力をかけ続け圧入するのである．その液水の需要と供給のアンバランスによって余饒の大量液水を，密封圧力タンク６に圧入される．さすれば約３倍から１００倍程度の余饒液水圧力エネルギイーとなってくる
2006016969.tif 000024
動力源水車５０の，液水取入口５２より高圧．高速水流，噴出進入されて，流速回転し，円周順応流水道５５を，水車の段数によって変わるのである．１段水車ならば１回転排出・２段重ね水車ならば２回転排出・３段重ね水車ならば３回転排出というふうに水車羽根５１を，推進回転させるのである．従って，液水取入口５２より円周順応流水道５５を，数回転して，後方出口５６を通じて，更に延びた排水道５７の適処に設けた．調節バルブ５８に，よって制御コントロールされ，更に延びた排水道５７を通じて，下段部自然界と同環境の貯水タンク６に，放出口６９より，放流落下，放出されるのである．この貯水タンク６の貯水量は，常時需要分量“汲み揚げ”減少は，減圧につながるのである，放出された分量を，常に“汲み揚げる”等圧維持圧力で圧入しているのである．従って需要が，少ない場合は少なくても等圧維持，多ければ多い状況で等圧維持回転させるのである．その制御コントロール装置の，調節バルブ出力側は５８と，入力側２０の各１箇と入．出力側各々１箇づつの双方の解放度合いバランスによって，その“等圧比重”も“流速度”も変化させる事ができる．以上の“等圧比重”と“流速度”の変化の調節バルブの入力側２０は，入力調整ハンドル７によって行われ，また調節バルブの出力側５８は，出力調整ハンドル８によって，コントロール制御されるようになっている．図表例，図１．図３．図６．図７．図８に，また特図示例，図２１．図２３．図２４に示すように出力側コントロール．ハンドルは７であるのである，一方図示例．図１．図２．図８，または特図示例，図２４．図２５．図２６に，示すように出力側コントロール，ハンドル８が示してあるのである．この水車形態は，該［請求項１１．１２．１３．項］特に［１３項］には，実施試作例題（表１）として掲載してあるので参考願いたい，また図示例．図６．図８．の各々また特図示例，図２０．図２１．図２２．図２３．図２４．図２５．図２６．図２７．図２８によって示し．本機関を離れた別種においても利用可能である事を示すので参考願たいのである．．そして，本水車軸シャフト，スプライン軸２６−２に，嵌合調着固定された傘歯車伝達ギヤー２６−２Ａを介して，小傘歯車１箇乃至複数箇，各方向別に適宜配置して  これら，それぞれに嵌合固定された，出力，仕事，回転エネルギイー，出力シャフト５４を回転して，外部，各種作業に各用の変速機能を配備して，これを通じて，外部，各分野に多大の貢献をなすものである．以上を以って本重力機関，第４セクション（４）※出力源水車５０に，関する［請求項２４］である．
【請求項２５】
本項は，総まとめの項として，以上をもって本発明，本発見を基準とした，＝本重力機関，重力エネルギイー機関の全容の請求項１・２・３・４項とつづいて，次項には，万有引力＝重力Ｇの引極エネルギイーの活用方法と，その構造理論システムに関する方法論・実務論の［請求項５・６・７・８・９項］と展開し，次項において本機関，各種セクション（１）（※−１）本源力水車の［請求１０・１１・１２・１３項］である．特に［請求項１３］の項は，本重力機関に限るものでなく，各種各用の重力機関及びその他にも共通利用できるものであり，その利用分野に普遍する１ツのサンプルとして（表１）表に総まとめして，水車各種規格表として掲載し，これを以て［請求項１３］項と定めたものである．そして次項において，本機関第２セクション（２）（※−２）倍力伝達駆動装置２５についてであるが，［請求項１４］項においての総合請求項である．［請求項１５］項は，中枢部分項として展開し，［請求項１６］項においては，本重力機関のみだけではなく，あらゆるクランク運動機械機器に普遍して共通使用できるものであり．その実施，製作，例題規格ユニット型として（表２）を掲載して，［請求項１６］としている，続いて次項において，本機内蔵の第３セクション（３）（※−３）液水上昇排斥循環装置４０についてである本装置は前代未聞の装置として力＝Ｇ１００％味方に付ける装置として地球上の引力を全て，重力エネルギイーと利用，使用できる装置として活気的ローテク装置である．従ってその請求項の内容文も自然的に説明解答方法になる事は必然的な事である．従って［請求項１７］の項において，その方法論を中心に，構造システムは比較的簡単ローテク構造で可能である事，そして本項その他の項にふれてある通り本装置はあらゆる形態容器，管器に普遍する１ツの定理であり，本装置もまた本重力機関を離れて一人歩きする装置として［請求項１８］を設け（表３）を以って請求項としたのである．また，その続として（表３）もその類として，［請求項２３］にあげるのである．［請求項２２］においては本装置の逆止弁の威力，効力，効果の項としてあげている．そして［請求項２４］項において，本機関出力仕事抽出エネルギイー本源力機能力水車に対する［請求項２４］である．以上，総まとめとした［請求項２５］である．
【手続補正４】
【補正対象書類名】明細書
【補正対象項目名】全文
【補正方法】変更
【補正の内容】
【発明の詳細な説明】
【技術分野】
【０００１】  本発明は，重力機関に関するものであり，本機関の簡単な説明である．上段部に第１タンク１を設け，その内部には密封圧力タンク２として，下段部には第２タンク５を設けその内部には自然界と同環境の貯水タンク６として該タンク１，該タンク５を接続連結一体化したプラントを製造施工し各タンク内には，システム構造装置が各セクション毎に各々特色ある独自，個性，機能を発揮して出力拡大を計るシステム構造が，内蔵配備された重力機関である．【０００２】  本項は上記，第１セクション（１）※（１）循環駆動機能力水車（１０）の形式についてである．本水車はフロート式胴体である．本水車本体は，円筒適宜高さの胴体１４に，遠心対角線上を基準線として水車羽根は回転方向前方斜め直進飛出羽根可動式１３−Ａとして，平鈑羽根の先端部適処１３−Ｋを，適度の角度に折りまげてくの字形，流水受羽根となるこの水車羽根を嵌合挿入可動するガイド．レール１８を，設けこの該レール１８と円筒胴体，軸芯円心．中空部貫通孔２３を適宜に設け，スプライン軸貫通孔２３とし，円周胴体１４平面部全体を精巧妙密に仕上げ施工し，この該胴体１４に上円盤と底円盤を両面から密封水密定着固定して胴体フロート１４を形成し，水車軸芯には，円周６角度６方向インボリュート，２４，即ち円周６等分インボリュートを円周８等分インボリュート軸芯孔２３に埋め込み固定嵌合緊結すればあらゆる型式ユニット規格式水車型式として組み合わせ対応ができる．従って，組み合わせ方式ユニット型式として軸シャフトは，スプライン軸シャフト２６，型式円周６角度スプライン軸，或いは円周８角度方向スプライン軸２６で，嵌合スライド挿入連結すれば水車を１段，２段，３段と適宜重ね合わせる事によって方向性や羽根の数も出力への対応にも幅広く対応できるのである．本項は，本機関の水車回転体．胴体フロート式（１０）に関する技術構造説明である．【０００３】  本項は，上記※（１）循環駆動機能水力水車（１０）の回転体胴体水車１０のハウジング．ケーシング２７に，対する説明項である．本水車本体のケーシング２７には，１段毎に独立した同型規格として上部入水口１１と，下部排水口１６が設けてあり，上部１１より入水した流水は，水車羽根１３を押しながら１回転させて排水口１６によって排出される２段重ねの場合は，排水口１６と，上部入水口１１と嵌合固定水密二体を一体化に連結する．３段重ねの場合は三体を一体化連結，４段重ねの場合は“四体一体化連結４回転排出口１６に排出されるようにすればよいのである．つまり，上段１階から階下へ１回転，Ｂ１からＢ２へ２回転Ｂ２からＢ３へ３回転．Ｂ３からＢ４へ４回転として各独立水車，重装置同位置方向同等入水流．入口１１とし，また排出口１２も，同等に同位置方向同等．排出口１２と，する事である．流入口１１と，排水出口１６の，位置関係はなるべく円周１回転の範囲内の出力効果と入流量及び出・排出量の効率の上に立ってその配置と孔径のサイズ形態を決めるのである．従って本水車のケーシンング２７は単１，独自でも使用できる．２重，３重でも使用，また４重でも使用できるフリーケーシン．グ形式ユニット規格型水車ケーシンング２７に関する説明項技術構造説明である．【０００４】  本項は上記ハウジング．ケーシング２７の各段．独立し重段水車毎のパーティション．ボード．ディスク２７−ＲＢＤ（Ｐａｒｔｉｔｉｏｎ  Ｂｏａｒｄ  Ｄｉｓｋ）ドーナツ型円盤間仕切り，中空円盤についての説明項である．間仕切中空円盤２７−ＰＢＤは．パーティション．ボード．ディスク２７−ＰＢＤ間仕切りとして設けるのである．本体ハウジング．ケーシング独立１段毎の間仕切りとして使用し，水車の垂直にある，上段重ね及び下段重ねの中間に可動嵌合してハウジング．ケーシング２７の適宜位置に調着固定するものである．ハウジング．ケーシング２７の内法直径より適宜寸法大円の直径円盤適宜として，バウジング．ケーシング２７の底盤として“エリ入れ加工”Ｃ＝（Ｃｕｔｔｉｎｇ）半埋め込み方式で嵌合調着するのである．そして，パーティション．ボード．ディスク２７−ＰＢＤのドーナツ型円盤型，中空部は，水車円筒胴体フロート本体１４に，摺滑可動回転する．水車羽根回転方向斜め直進飛び出し羽根可動式１３−Ａの“１ストローク長さ”プラス“有効本体羽根長さ”プラス“余剰長さ”適宜を合計した“長さ幅”を内径方向幅に取り，上記“長さ幅”のリング．ボード．ディスク２７−ＬＢＤに水車円筒フロート胴体１４の上段底部側１４−Ｂ（Ｂａｓｅ）に“エリ入れはめ込み加工”＝ｂ．ｃ半掛けはめ込み摺接滑動方式として上段水車底面半掛け挿入し，また一方下段重ね水車頭部側１４−Ｈ＝（Ｈｅａｄ）も．また中空部２７−ＬＢＤにエリ入れ加工＝ｈ．ｃ半入れはめ込み摺接滑動方式として上段，下段と２段重ね合わせ水車胴体上，下１体化固定した場合，水車１４−Ｂ１と水車１４−Ｂ２は双方固定１躰化して回転するのであるが，パーティション．ボード．ディスク２７−ＰＢＤはバウジング．ケーシング２７本体と１体固定し・静止固定・適処方向固定となるのである．そして，さらにパーティション．ボード．ディスク２７−ＰＢＤは，バウジング．ケーシング２７−ＰＢＤの１箇処に“４分の１回転弱”の，または“１クォーター弱の１度から８０度前後”の“円周距離”を“水車羽根”退・出１ストローク距離幅”即ち，水車羽根流速回転円周順応“流水道幅のＲ孔中空部”１度〜８０度前後のＲ形“排出・入孔・入水孔”を設けるのである．  以上の様な形態パーティション．ボード．ディスク２７−ＰＢＤを作造し，下段水車も同等加工を施すのである．つまり，下段重ね水車１４−Ｂ２も底面側１４Ｂ２＝ｂ．ｃ，エリ入れはめ込み，半掛けはめ込み，摺接滑動
2006016969.tif 000025
ｂ．ｃを施し，水車１４−Ｂ３・１４−Ｂ４・１４−Ｂ５ユニット規格としてサイズを少しづつ適宜ミクロからマクロに至るサイズを変化させて適宜製造すればよいのである．然らば，入水流入孔・流水排出孔の位置の設定も自由自在に設定できるのである．例えば，同位置，入，排．孔位置交差，その他の入，排，孔の各種位置配置というように希望方向に位置入・排が可能になるのである．以上上記，第１セクション（１）及び※第４セクション（４）の水車も共に同等構造の型式である．従って，※（１）循環駆動機能力水車（１０）と，※（４）出力，仕事，抽出エネルギー原動力源水車（５０）共に同等構造でよいのである．以上が，各段，中間間仕切り中空円盤パーティション．ボード．ディスク２７−ＰＢＤの詳細な説明項である．また，もう１点別途追加副構造として次のような中間仕切り，２７”−ＰＢＤを規格するのである．  ※副規格，中間間仕切中空円盤パーティション．ボード．ディスク２７”−ＰＢＤを規格製造するのである．本システム構造は，水車羽根の回転上において，水車回転方向前方に残留水抵抗水圧を受けるのである．即ち水車羽根推進回転進行方向前面，または，裏面に水圧抵抗，制動性圧力を受けるのであるが．これをクリヤーするために２７”−ＰＢＤを規格製造するのである．それにこの“マイナス力”である．前方水圧を水車推進力＝“プラス力”に変換する装置として２７”−ＰＢＤを副装置として設けるのである．それは，パーティション．ボード．ディスク２７”−ＰＢＤ同円盤中心仕切として“表面”と“裏面”に次のようなシステム構造を導入セットするのである．それは上流側第１水車の排水量は，そのまま推進羽根の裏面の抵抗力と化して回転力にブレーキ制動力となって働くのであるが，この“ブレーキ制動力”となる裏面作用を推進作用に転換するための装置として，２７”−ＰＢＤ＝（パーティション．ボード．ディスク２７．ダッシュ”）を必要とするのである．該２７”＝ＰＢＤは上流第１水車と下流第２水車の中間間仕切として使用するのであるが，この２７”＝ダッシュＰＢＤ＝（パーティション．ボード．ディスク）の上流第１水車に面する円盤面には，即ち，上流部側には，半径側双方対角１対の適宜大の“塀または囲い状”の半円Ｒ形１条１節の囲いを，適宜設け対角同等に配置し，上流落下排水を制御して円芯中空部筒に集環するようになっているのである．そして，また２７”−ダッシュＰＢＤ円盤の下流裏面に連通している．そして下流裏面においては，この受け入れた水流を反対回転に転換して推進力方向に向かって外円適処，数ケ処より噴出するようになっているのである．２７”＝ダッシュＰＢＤは（抵抗水流＝マイナス力＝制動性）（推進力＝プラス力＝推進性力）に転換する中間間仕切中空円盤なのである．従って前者２７−ＰＢＤと後者２７”−ＰＢＤの違いは，同円盤であるが，一方前者は，ただの円盤ディスクでありＲ形の流水孔があるだけであるが，後者は円形同盤の裏と表に水流転換装置が施工されているのである以上中間間仕切中空円盤２７”−ＰＢＤの説明項である．図示例．図２７に示すものである従って本項は，１仮定例題サイズとして掲げるユニット規格型式であり，当然の事ながら本型式においても���クロ．サイズからマクロ．サイズに至る全サスズに普遍して共通するものである．【０００５】  本項は上記，該源動力水車ユニット規格，各種のサイズがある中の１種の仮定例題として記載するものである．水車の応用，使用範囲形状型式組み合わせ形体の１サイズに関する重力機関，第１セクション（１）第４セクション（４）の機能力源，入力源と出力源，圧力水流駆動水車，その他流動物用にも対応使用できる実施例，試作例題として後述する．「課題を解決するための手段」−〔００２５〕（※注−１）に掲載する．別表※実施．試作．例題．水車各種規格ユニット表（表１）にて詳しく表記する．上記とその他を含め，ユニット規格，各種サイズの中の１サイズについての型式であるこの形式は各種サイズ，即ちミクロサイズからマクロサイズに至る各種サイズにおいても普遍して共通するものである．１＝１段・１枚・１重・１枚・１方向・２＝１段・２枚・対・２・２枚・２方向等分・１回転………１３＝１段１枚・１３重・１３枚・１３方向等分・１３回転１回排出……１４＝その他のユニット規格各種である．循環駆動機能力水車１０のフロート胴体式水車の“入力源水車”と“出力源水車”の項である．また本水車は，本重力機関に入力源水車として利用する場合は“汲み揚げ供給量”と“出力源水車の需要消費量”のバランス比例数値による余剰水量及び余饒増幅効果を産み出す為の入力エネルギイー源水車の出力計算が必要であり回転の規則性よりも出力のまかない量が大事である．従って，比較的大きい水車を１機として圧力に順応して回転出力をコントロール制御するのである．１機の水車でだめな場合は，複数水車を投用する事もできるのである．その場合はより大きな出力が期待できるのである．また一方出力もさることながら，コントロール制御においても，片方の水車の強，弱をコントロール制御するだけでも“プラス力”対“マイナス力”が働いてより一層細やかな微調整が出来るのである．以上は入力源水車の利用方法である．また一方，出力源水車の方であるが，この水車の使用目的から言っても回転の安定性と仕事環境に即座に対応する敏感性が必要である．従って１水車制よりも２水車制の方がよいのである．例えば発電装置に本重力機関を利用するような場合は回転数も高回転数が必要であり，安定した回転数も必要である．従って２水車並列配列歯車嵌合連結及びその他の伝達駆動全般を含む，１軸出力駆動とすると言う事である．１本水車がだめだと言う事でなく，１水車でも可能であるが，２水車方式の出力源水車の方が環境変化に即座に対応しやすいというメリットが大きいのである．即ちコントロール制御がしやすいと言う事でもある，また，本機関を走行用自動車車輛エンジンとして使用する場合においても回転差の高低速度の激しい回転運転に対しても複数水車制がよいのである．また一方本重力機関を離れて独立部品として高揚搬送装置，水揚装置，噴水塔，その他無限数の分野にも活用できるのである．従って，本項は循環駆動機能水車１０の，各種ユニット規格に関する技術構造説明である．【０００６】  本項は，重力機関，内蔵装置，構造システム，第２セクション（２）※（２）倍力伝達駆動装置２５である．本装置は，上記第１セクション（１）の源動力水車伝達軸シャフト２６−１Ｆに，調着されたピニオン．ギヤー２８より入力×エネルギイーを受けて，倍力伝達及びストローク駆動を行う装置２５である．大歯車内径半径内変形ハート型中空部円盤３０または，インサイド，スライド，カム３１ともいう名称である．該中空部円盤が，回転すれば，ケーシング２９に設けられた．ガード．レール３６に添って嵌合摺滑する円芯対角線一直線状の直進スライド，バー３３適宜が，調着可動装備され，該スライド，バー３３には，全長，長さ，及び幅ともに各々センター芯振り分け，２個＝２個適宜間隔で，セパ，ピン，ローラー３２−Ａ．３２−Ｂを設け，該セパ，ピン，ローラ３２−Ａ右，及び３２−Ｂ左を中心に遊合調着した直進スライド，バー３３は，作動するこの時，セパ，ピン，ローラー３２−Ａ右は，回転しながら“内円心”に向って直進すると同時に該スライド，バー３３−も直進する．例えば往路において，右，セパ，ピン，ローラー３２−Ａ右を，メイン表の働きとして駆動する場合は，作用は“遠心方向”に一直線に“円心”に引き込む“引っ張り作用一方向”のみの“力作用”が働き円心終点に達すると，左，セパ，ピン，ローラー３２−Ｂは，対角，対象，外径の位置に達すると，即時入力位置変換して，次は，左，セパ，ピン，ローラー３２−Ｂが，メイン・表の働きとして，“遠＝外”“心＝内”方向性は，左から右へ復路，即ち“左遠外”から“右心内”へと作動し，復路を終わるようになる．“遠”または“外”は“左遠外”から“右心内”へと移動する時は，メイン・表の働き軸芯ローラーとして働き“心”または“内”ローラーは“左心内”から“右遠外”へと遊行し，“フリースタイル”となるのである．この事は，左，右，共に交互に行われるのである．“遠”または“外”は“力作用”出力が弱い，しかし本機は，支点，力点の位置から比較すると，入力１エネルギイーよりは強い．拡大されたエネルギイー出力が働き，更に“心”は“力作用”出力が強力である．従って入力＝１エネルギイーよりは，はるかに大きい出力である．数倍〜十数倍にも達する．倍力伝達駆動装置２５である．何故ならば，伝達嵌合歯車の径数及び比例径数による事は当たり前の事であるが，それとは別にプラス力拡大作用が，本機には働くのである．その原点を明かせば，紀元前５７０年頃を現在より逆算すると，２５７５年前の古代ギリシャのサモスに生まれた偉大なる哲学者・数学者・宗教家のピタゴラスの原理に基づく＝（Ｄｅｌｔａ）即ち「三角函数＝三平方の原理」の有効利用（モーメント駆動）によるものである．この原理によって，１入力＝１ΧＥ＝の倍力効果が，無尽蔵に抽出できるのである．
“遠”から“心”に向かう一方向引張力作用一直進，往，復，作用スライド，バー３３の適処にラック歯車３４を装着固定一体化して，軸シャフト付きラック．ビニオン．ギヤー３５と嵌合して適宜，回転，正・反転回転させ平歯車シーソー，ストローク，ギヤー３７を両端に配し，これを介して，第３セクション（３）※（３）液水上昇排斥循環装置４０をストローク作動するのである．以上重力機関の構造システム倍力伝達駆動装置２５に関する総合機能の技術構造説明項である．【０００７】  本項は上記，記載の※（２）倍力伝達駆動装置２５の部分，中枢機能に関する説明項である．該大歯車内径半径内変形ハート，中空部円盤３０は，大歯車円盤３０の平面の半径を利用してインサイド，スライド，カム３３を作るのである．そこで１ツの仮定例題として，例えば，３２ｍｍ＝φピッチのラック，ピニオン，ギヤー３５を１回転させると，“１ストローク長さ”とすると，ピッチ直系３３ｍｍφ×３．１４１５９＝１００．５３ｍｍ＝Ｌ円周長さである．この長さを“１ストローク長さ”と置くとスライド，バー３３の中芯振り分けにセットされたセパ，ピン，ローラー３２−Ａ．３２−Ｂの間隔も決まるのである．従って，右セパ，ピン，ローラー右外長側摺滑回転して引張ストロークすれば，１００．５３ｍｍＬスライド距離が必要となる．この距離が左，右セパ，ピン，ローラーの基準となる．従って，中空円盤３０の円心を基準として，ハート型の外円Ｒは，１１４．５３ｍｍ＝Ｒとして，円心内径Ｒは，１３ｍｍ＝Ｒを限度とすると，１１４．５３ｍｍ−１００．５３ｍｍ＝１４ｍｍであり，１３ｍｍに対して，１４ｍｍは，１ｍｍは，遊びの余融と見る事ができる．従ってセパ，ピン．ローラー，右外径３２−Ａ．左外径３２−Ｂの“外”から“外”の外法長さを１１３．５３ｍｍと定め一方“中空盤ハート”の外径Ｒは，１１４．５３ｍｍと定め円芯内径Ｒ，１３ｍｍＲ基準として．対角直線対外径Ｒ，１１４．５３ｍｍＲとを結び継続する半円弧状，即ち，１１４．５３ｍｍＲ直径の円で結べばよい，つまり，Ｒ５３．２６５ｍｍで半円軌道弧状を設ければ“中空ハート形”の外径Ｒに向かって滑らかな“カム”円弧状半径ができる一方“変形ハート型”外Ｒ＝１１４．５３ｍｍの基点，即ち，スライド，バー３３の直進ライン，センター芯が基点として，中空部円盤回転１３５度を越えた１４０度程度から円心部１３ｍｍＲに向かって，半円弧状を描いて適処に帰着するよう滑らかな半円で結べばよいのである．１ツのポイントとして円心１３ｍｍ＝Ｒに帰着する適処は，ピン．ローラー直径１５ｍｍφの外径の通過する“逃げ道”であり，余融が多すぎても少くな過ぎても大変なロスが生まれる．従って，微調整が必要なところである．また一方，１４０度程度から円芯に向かう半円弧状中空部は，セパ，ピン，ローラー３２−Ａ．３２−Ｂが“フリースタイル遊び，ローラー遊行スライド”の逃げ道であり，衝突しないように中空部にしてあるのである．従って“後方中空部”は円芯１３ｍｍ＝Ｒに帰着，帰結する部分にのみ，ピン，ローラー３２−Ａ．３２−Ｂの外径に合わせて，微調整を必要とするのである．図示例−図９・図１０と特図示例−図１２・図１３・図１６・図１７  図１８・図２９，また図３０・図３１・図３２・図３３・図３４・図３５  図３６・図３７・図３８・図３９・図４０・図４１に示すようにインサイド，スライド，カム大歯車内径半径内変形ハート型，中空部円盤３０インサイド，スライド，カム３１としてスライド，バー３３と嵌合游納装行して．該ハート中空部円盤の回転によってスライド．バー３３が“外遠”から“円芯”に向かって引張作用を表・メインとして，引き込むのである．その“１ストローク長さ”は，上記例題の１００．５３ｍｍ＝Ｌ長さとなる．即ちピニオンギヤー１回転と一致するのである．この“１ストローク長さ”は該ハート中空部円盤歯車の半回転である．“右遠外”から“円心内”へ終点となり右セパ，ピン，ローラー３２−Ａは“フリー．スタイル遊びローラー”となり，往路は終わり復路においては，左セパ，ピン，ローラー３２−Ｂは“左遠外”に到達しており，即時“メイン．ローラー”表の働きと変換して“左遠外”から“右円心”に向かって行動を始め引張作用を表として，引き込むのである．そこで左セパ，ピン，ローラー３２−Ｂは，円芯終点によって復路の終わりになり，該変形ハート中空盤歯車３０の１回転が終わるのである．従って１回転に２ストロークの仕事をこなすのである．また，更にインサイド，スライド，カム３１は，２枚を１対として使用し，３枚も１対として使用する．また２枚対象方向に組み合わせ，正，反同等回転もでき，また３枚を２枚正転１枚を中心に反回転の３枚１対の組み合わせも可能である．また，これら２枚１対，１クランク，２クランク，３クランクと多方向希望目的方向多重クランク装置としても使用できる．また３枚１対．正反回転３枚１対１，１クランクにおいてもより一層強力なクランクとして，上記同様１クランク，２クランク，３クランク  ４クランクとして，使用できる．また，これらのクランクのスライドバーの方向性もインサイド，スライドバーの場合は，１クランク１本〜２本の単方向，２方向まてであるが，アウトサイド，バー即ち，倍力装置２５の本体胴体より外長に延びたロング．スライド，バー３３を使用すれば，１クランク１本バー左，右対角２方向の使用ができ，またその左，右対角２方向にも両サイド嵌合１駆動とすると，４サイド駆動能力となり，嵌合２駆動とすると８サイド駆動能力となるというように１クランクにおいても複数駆動ができる．また一方スライド，バー，ロングの場合，１クランク左，右２方向往復である．これを２クランクとしたら，４方向十文字形，３クランクの場合は６方向等分形，４クランクの場合は８方向，米印形等分配置，またその他も可能である．従って，本装置“倍力伝達駆動装置２５”は，本重力機関を離れて単独装置でもある．以上，“倍力伝達駆動装置２５”に関する説明項である．【０００８】  上記，該第２セクション（２）※（２）倍力伝達駆動装置２５の大歯車リングギヤー３０に調着円盤内径，半径内変形ハート型中空部円盤３０，インサイド．スライド，カム３１などの基本型を各々規格化して，サイズを決め“ユニット規格”とするのである．そして各種，目的，仕事，全仕事及び利用分野に対応できるのである．その仮定例題サイズの１サイズとして「課題を解決するための手段」−２〔００２６〕（※注−２）に後述する．別表として実施，試作規格サイズ，ユニット規格，１サイズ例題各種範囲表として，（表２）を表記している．かの表２は，本重力機関の第２セクション（２）ストローク倍力伝達駆動装置の規格，実施例題表である．上記，各種サイズのミクロ．サイズからマクロ．サイズに至るまで普遍して共通するものである．また，（２）の共通原理作用を利用して動力機関を離れた別機能機器の媒体，仲介に入って永久機関的作用を起こすものである．倍力伝達駆動装置２５は，大歯車調着一体化して回転するものであり，円盤，内径の半径内の半円を利用して，半径内変形ハート型，中空部円盤を“中心基本”※〔請求項１５〕とした倍力伝達駆動一直線ストローク，往復運動による倍力装置である円盤を使った，インサイド，スライド，カム３１である．従って，本装置の特徴として円盤外輪郭分野適宜内径より“引張り力作用”を利用して円盤中心部に引き込むように一直線に引っ張り込むのである．故に円盤，インサイド，スライド，カム３１の正．反同等回転，半回転によって，１ストロークの外円を始として，例えば左外円を始めとして，内心終着へ右へ移行終着を終わりとした１ストロークの始，終を行うようになっているのである．この作用の左始〜右終を往路とした場合は，２ストローク目の復路においては，右始〜左終の半回転で復路の，２ストローク目が終わるのであり．円盤，インサイド．スライド，カム３１の１回転において往路，復路の，２ストロークを行うのである．従って，該倍力装置と言われるゆえんは，大歯車，リング．ギヤーの外輪円側入力回転として円盤内，内半径だけを使用し，必ず“外始〜内終”の“引張力作用”を利用する故に“倍力効果”が働くのである即ち，後述する上記の表，（表２）及び〔００４０〕図示例−図１０・図１２・図１４・，図１５・図１６・図２９・図３０・図３１・図３３・図３４に示すものである．彼の（表２）及び各種図示は，本倍力伝達駆動拡大装置の各種構造施工図実施例題図である．上記，その他，各種ユニット規格等，各種サイズの１サイズについての型式である．この型式は各種サイズにおいても普遍して共通するものである．本項説明項，倍力伝達駆動装置２５の型式ユニット規格に関する技術構造説明項である．【０００９】  液水上昇搬送方法，基本方法に対する発見と発明に関する説明項である．本項は，重力機関，第３セクション（３）※（３）液水上昇排斥循環装置４０の項である．本装置は，液水を上昇させる装置であり，その入力エネルギイーは本装置の内筒用，体積量排斥容器棒４３＝フロート式，ストローク体積棒４２ともいうのであるが，この内筒用の体積量排斥容器棒４２ともいうのであるが．この内筒用，体積量排斥容器棒４３等の自重，または，体重を入力エネルギイーとして利用して，“上昇”“汲み揚げ”搬送を行うのである．本装置は，内筒用と外筒用の二本の円柱筒が，主役であり，その他は脇役である．（※注−ここでは“二本の円柱筒”と規定したが管容器であればどのような形態でもよい）この主役の“”内筒用”と“外筒用”が，挿遊入遊して，適宜ストロークして，液水の上昇搬送を行う装置である．従って本装置に対する構造説明は単純簡単であるがシステム構造行程に入���前に，最も重大な決定的条件があり，たった“二本”の“管容器”であるが，この“二本管容器”のサイズ決めが，重大課題になるのである．従って，その“比例数値”に対する“算出法”を“表”として記載する．上記，外筒，内筒，２筒は主役と述べたが，その主役中の主役は内筒用，体積量排斥容器棒４３＝フロート式，ストローク体積棒４２である．従って，全ての基準はこの“内筒体積量”を中心に決定する必要がある．例えば，目標搬送量に従って“筒の大きさ”サイズを決め，また目標，搬送高さによって，“１ストローク長さ”を決め“１ストローク長さ”は“平面積平方”を決めるのである．例えば別表，例題（表４）実施例，〔請求項２３〕に示す最大数を示す最終段の１例によって算出すれば（１０ｃｍ／５００ｃｍ３）×５＝２５００ｃｍ３・×１０＝（１００ｃｍ＝１ｍ／５０００ｃｍ３）＝５ｌである．即ち，１ストローク１ｍ＝（５０ｃｍ／２５００ｃｍ３）・×１０＝（１００ｃｍ＝１ｍ／５０００ｃｍ３）＝５ｌである．即ち，１ストローク１ｍ＝（５０００ｃｍ３＝５ｌ）という事である．搬送高さ目的５ｍであるから，５対１＝１対５である．ところが，１対５では，５倍目的高さの５ｍまでは液水を排斥上昇させる事はできるが“零れ落ちる”“汲み込み量”には至らず“ゼロ”である．従って２５対２６とおいて計算すると内筒体積量１ｍ＝Ｌ体積量当たり（５０００ｃｍ３＝５ｌ）を比例数値＝２５とおくと，外筒容積量は比例数値＝２６にすれば．次の計算式（１００ｃｍ＝１ｍ）＝（５０００ｃｍ３＝５ｌ）÷２５＝（２００ｃｍ３＝０．２ｌ）である．従って，＝２６の外筒容積量は，５０００ｃｍ３＋２００ｃｍ３＝５２００ｃｍ３である．従って１ｍ＝１ストローク当たり５０００ｃｍ３内筒体積量とするという事である．すると内筒＝２５＝５０００ｃｍ３と外筒容積量＝２６＝５２００ｃｍ３の対比となる．言い替えれば２５分の１の２００ｃｍ３分量分の容積量が大きい外筒容器を使用するという事である．即ち，（容積量５２００ｃｍ３＝１ｍ）の外筒容積量の筒内に内筒体積量（５０００ｃｍ３／１ｍ）を挿遊入遊すると，５０００ｃｍ３の液水を引き延ばして２５ｍ高さまで上昇させる事になるのである．その重要なポイントは，３ツある，１ツ目は，上記の内筒用，体積量を中心とした“外筒用容積量”の対比“比例数値”を決定する事．そして２ツ目には，“外筒用容積量容器筒４４”の深水最下部先端に，逆止弁４５を設ける事である．３ツ目は，内筒用，体積量排斥フロート式ストローク棒４２の，深水最下部先端に体積排斥用，逆止弁４６を設ける事である．上記の２５ｍ高さ上昇も外筒容積量器４４の深水部最下先端に逆止弁４５を設けた結果なのである．そこで本例題は，希望目的高さは，５ｍであるから２０ｍ高さ分量は“零れ落ちる”即ち（１ｍ／２００ｃｍ３×２０ｍ＝４０００ｃｍ３）は，“零れ落ちる”という事は“汲み込み量”である．そして，５ｍ高さ，外筒容積内には，残留水量は（１０００ｃｍ３＝１ｌ）である．したがって残留液水比重（１０００ｃｍ３＝１ｌ＝１ｋｇ）は，即ち内筒用，体積量排斥容器棒４３＝フロート式ストローク棒４２の，自重１ｋｇ重で，相殺される事ができるのである．従って，上昇５ｍ高さに（５０００ｃｍ３＝５ｌ）を運ぶに当たって自重（１０００ｇ＝１ｋｇ重）の体重ウェイト＝Ｗで運ぶことになるのである．従って自重（１０００ｇ＝１ｋｇ重）でその４倍重の（４０００ｇ＝４ｋｇ重）４０００ｃｍ３＝４ｋｇ重を５ｍ高さまで“汲み込み搬送”した事になるのである．ここの計算数値は事実であり．真実であるのであるが，この“数値”もまた“見かけの数値”である．それは“静的静止的数値“である．“動的に見る”と往路，１ストローク内筒用体積棒４３の体重，自重落下による排斥搬送量である．ところが，復路，１ストロークにおいては，体重，自重量１ｋｇ重と，内筒用，該排斥容器棒４３，深水下先端の逆止弁４６の体積排斥水落下封じ逆止弁４６による，残留水比重（１０００ｃｍ３＝１ｋｇ重）の重量も倶に引き揚げる入力エネルギイーが必要となる．従って２ｋｇ重以上の入力が必要である．だがこれも，また“見かけの数値”である．これを補うのが，外筒用容積筒４４の，深水下部先端に配備調着された逆止弁４５の効果によって，この“往路”復路のアンバランスを相殺しているのである．この逆止弁４５は，復路始め一瞬にして“弁”を自動的に開放して貯水タンク２，自然界水深比重圧力の復元力，即ち，浮力（５０００ｃｍ３＝５ｌ＝５ｋｇ重）の水圧力で押し揚げてくれる．これによって相殺してあまりあるのである．次の実施試作例題（表３）液水上昇循環装置汲み揚げ量実施例表である．本（表３）は「課題を解決するための手段」−３〔００２７〕（※注−３）別表（表３）として〔請求項１８〕に掲げるのである．【００１０】  本項は，上記記載の液水上昇搬送方法の基本方法に関する「課題を解決するための手段」その３〔００２７〕（※注−３）に表記するものであるが．まず
第１点には（表３）内の数式そのものが，実務，実証，試作の実態を意味するものである．従って（表３）を以って〔請求項１８〕とするものである．（表３）表は，液水上昇搬送筒の“１ストローク長さ”と“体積排斥量”と“搬送目的希望高さ”の“目安，仮定例題”と“内筒用体積排斥容器スローク棒と外筒用容積容器搬送目的希望高さ”筒＝筒の体，容．二積の比例数値の各種積を示すものである．この示す数値の好みに合わせて製作すればいずれも，入力エネルギイーの数倍，十数倍の仕事量の上昇搬送を行う事が出来るのである．
第２点には，（表４）内の数式は，各種上昇搬送筒の“規格形態例題仮定表”及び“材料規格例題仮定表”である．従って〔請求項１８〕明記するのである．そして「課題を解決するための手段」−４〔００２８〕（※注−４）に掲げるものである，
第３点には，（表５）内の数式は，（表４）とあまり変わらないのであるが，サイズの拡大と，体，容，二積の比例数値の違いによる．（表５）である本表もまた，製作設計に関するものであるので〔請求項１８〕に掲げるのである．従って「課題を解決するための手段」−５〔００２９〕（※注−５）（表５）として掲げるのである．
第４点には，上記，〔請求項１８〕に掲げる（表３）（表４）（表５）の３種，表内の数値は体積量と容積量の二積を示す数の設定仮定であり，デザイン・スタイル・シルエット設定するもの，限定するものでなく形態を限定するものでもない，従って形態は丸管，
2006016969.tif 000026
第５点には，上記（表３）（表４）（表５）の数値設定の基本設計として申し述べるのであるが，その（１）の目的希望総搬送量の設定，その（４）１ストローク過程の１０ｍ長さ毎の体積排斥量の設定，その（５）１筒１ストローク長さ総量の設定．その（６）偶数本数に対する循環サイクルの設定，その（７）その他，諸々の比例数値の設定等である．（１）の総搬送量の設定基本として（３）を決定し，（２）を基本として，（５）を決定し，（１）（３）を基本として，（４）（５）を決定し，（２）（４）（５）を基本として，内筒体積量，と排斥量と外筒体積量との対比，比例数値の決定において，（７）上昇液水の“浮力”と“重力”の平衡高さを決定し，更に比例数値をおいて，（２）と（７）（５）を基本として，比例数値をおいてベッド．ダウン，カット高さの（２）の希望目的搬送高さの一致を決定し，（８）の零れ落ち高さを決定し，（５）と（７）と（８）を基本として，各々の１箇の“搬送汲み込み量”＝“零れ落ち量”を決定し，その反比例作用（５）（７）（８）の比例数値によって“残留水量”と残留水比重＝Ｗの（１０）を決定し，（１０）の決定は，内筒体積フロート式，ストローク排斥棒の自重＝体重＝Ｗを決定し，（１１）を決定するのである．更には（４）（６）（１）を基本として（６）の各ストローク，サイクルの設定も決まるのである．以上（表３）（表４）（表５）の３種表の数式を以って〔請求項１８〕におく理由である．【００１１】本項は，上記記載の（表３）表に基づく展開項である．該（表３）表“基本比例数値”は，内筒用，体積量排斥容器棒４３＝フロート式，ストローク体積棒４２は，比例数値＝５０とおくと，外筒用，容積任意希望目的高さ，搬送筒４４の，容積量は＝比例数値５１としているのである．即ち，５０対５１は，本機の“比例数値”である．この“比例数値”は，“体重”及び“自重”と液水比重の側面残留水の重量が，１対１の均衡，平衡になる．“比例数値”である．即ち，搬送量の５０の５０分１の水路を作るのである．５０分１の水路は，５０倍の高さまで液水を排斥上昇引き延ばす事ができる．従って＝“５０”は“搬送１ストローク長さ”の“排斥量”を意味し，５０対５１の対比の５１−５０＝１であるというように５０の５０分１の上昇水路におきかえる事によって，それぞれ均衡，平衡高さが，（表３）表の縦最後列に，１＝５ｍ・２＝１０ｍ・３＝１５ｍ・〜・＝１・〜・１０＝５０ｍとなるのである．この体積量５０と容積量５１の“比例数値”をかえないで目的高さを次第にヘッド．ダウン．カットすると，（表３）表上段１＝（４．５ｍ高さ目標ならば＝１００ｃｍ３）・２＝（９．０ｍ＝２００ｃｍ３）・３＝（１９．５ｍ＝３００ｃｍ３）・〜・１０＝（４５ｍ＝１００ｃｍ３）“零れ落ちる”“汲み込み量”である．そして２５／２６縦列・１＝（２．５ｍ＝５００ｃｍ３）・２＝（５ｍ＝１０００ｃｍ３）・３＝（７．５ｍ＝１５００ｃｍ３）・〜・１０＝（２５．０ｍ＝５０００ｃｍ３）“零れ落ちる”“汲み込み量”である．続いて１５／１６＝１＝１０（１．５ｍ＝７００ｃｍ３）＝（３ｍ＝１４００ｃｍ３）３＝（４．５ｍ＝２１００ｃｍ３）〜１０＝（１５ｍ＝７０００ｃｍ３）の液水が“零れ落ちる”のである．即ち“汲み込み量”なのである．従って，ヘッド．ダウン．カット高さ位置を目的高さとしたならば，その高さ位置の“零れ落ち”なかった残留水量は，内筒用，体積棒４３＝フロート式，ストローク体積棒４２の自重におきかえる事ができる．従って，（表３）表の縦列１５／１６列は，１＝（１．５ｍ＝７００ｃｍ３）＝（１０００ｃｍ３−７００ｃｍ３＝３００ｃｍ３＝３００ｇ重）・２＝（３．０ｍ＝１４００ｃｍ３）＝（２０００ｃｍ３−１４００Ｃｍ３＝６００Ｃｍ３＝６００ｇ重）・３＝（４．６ｍ＝２１００ｃｍ３＝９００ｃｍ３＝９００ｇ重）・〜・１０＝（１５ｍ＝７０００ｃｍ３）＝（１００００ｃｍ３−７０００ｃｍ３＝３０００ｃｍ３＝３０００ｇ重＝３ｋｇ重）という事である．従って内筒用，体積量排斥容器棒４３＝フロート式，ストローク体積棒４２の自重，体重は１＝３００ｇ重・２＝６００ｇ重・３＝９００ｇ重・〜１０＝３０００ｇ重＝３ｋｇ重でよいのである．従って，本装置が，何故フロート式，ストローク体積棒４２を使用するかは，幾多の理由のその１ツは，自重，体重の調整の上から用いるのである．以上“比例数値”に関する技術説明項である．また後述する「課題を解決するための手段」その６〔００３０〕（※注−６）に表記するものである．そこには，（表６）を設けてある．本表はダウン．カット表として最高位＝（２００ｍ高さ／２０００ｌ＝２０００ｋｇ重）の液水量を仮定例題として平衡位を決め，即ち（浮力と重力）の平衡位と定め，次第に順次４ｍ長さ（４ｍ長さ落下／４０ｌ＝４０ｋｇ）ずつ減少低下高さとして行く方法を以って，ヘッド．カットダウンする．比例数値をおいているのである．この表（表６）をみれば，そのデーターが明確に解るのである．この表には，各番号順に高さを次第にカット．ダウン方式でその“零れ落ち量”と“筒内残留水量”を表記するものであるが．上段数値各番号内は，上昇筒最高位先端の“零れ落ち量”高さｍである，下２段数値，各番号内は，残留水残存比重重量ｋｇである．また下段３段数値，各番号内は“零れ落ち量”ｋｇである最下段４段目数値の各番号は，希望目的搬送量ｋｇ重である．この表を見れば比例数値がいくらであるか明白である．即ち（５０対５１）の比例数値に設定しているのである．従ってワン．カット当たり（４０ｌ＝４０ｋｇ重）の変化があるのである．カット数が段々下降するに従って“零れ落ち量”が“多くなり”“汲み込み量”も“多くなる”またそれに比例して“入力エネルギイー”の代替え自重移動排斥棒の“自重も小さくて済む”のである．即ち“省エネルギイー”であるという事である．とは言っても元々地球の万有引力の重力エネルギイーであり，人類は元々入力エネルギイーなど使用していないのである．以上をもって（表６）もまた製造形態全般の一部の普遍的共通した数式をもち，実施試作の設計図的要素を含むものであり〔請求項１９〕おく理由である．従って課題を解決するための手段」その６〔００３０〕（※注−６）表６として揚げるものである．【００１２】  本項は，上記記載の，該第３セクション（３）※（３）液水上昇循環装置４０の単筒，単一，１ストローク範囲内で１環の説明をして来たのであるが，単筒，単管器���種全般に不変して言える事はメリットの有る事は，上記，明々白々であるが，発明者の“欲”とも言えるのであるが，本項では，その欲の部分を請求項としてあげるのである．単筒，単管，単管器．１ストロークには往路，復路における微調整が必要であると，上記，記述したのであるが当にその通りである．それらの微調整を行う事なく比較的近い数値で残留水比重，重量に対すればそれでよい方法が有るのである．例えば残留水重量１０ｋｇ重とおいたとしたら単筒，単一の場合は，１０ｋｇ自重を目安として，その上，下を微調整して決定，自重するのであるが．即ち往路，復路の比重比例変差の微調整を計測決定するのであるが，このような神経質な事を考えず１５ｋｇ重．２０ｋｇ，３０ｋｇ重，４０ｋｇ自重であっても残留比重１０ｋｇ重と対比して，あまり影響のない方法があるのである．それは，複数器筒と左．右に配置してシーソー状に駆動することである．複数の中でも偶数器筒が，理想的である．例えば，２，４，６，８，１０，１２，器筒というふうに左，右，均等，対象，同等とすれば（中心支点）（中心駆動）（正転・反転）（往復・回転）（２ストローク）と設定したならば，１ストローク往路においては，左側１器筒，右側１器筒の１対１の場合は水平，平衡にある時は，ゼロ“重＝Ｇ”であり左，右同等の器筒自重であれば１５ｋｇでも，２０ｋｇでも，３０ｋｇでもゼロ状態である．そこで気の付く事は．双方の自重が，幾らであろうが，双方の自重で相殺するからである．従って本当の入力消費量は，“１ストロークの長さ”の範囲に納まってしまうのである．例えば，往路の回転方向を仮に時計まわりの右回転とした場合，右側１器筒は，下降するその反対側の左側，１器筒は，上昇する．従って支点，中心，平衡，水平にある時はゼロ重力である下降に向う右器筒は内筒用，体積棒の落下加速度に対する“水圧抵抗”は空圧抵抗速度の３乗倍の抵抗を受ける．この水圧抵抗３乗倍だけが，消費量となる一方左側，左器筒は上昇する．この左器筒上昇時に，また大きなメリットがあるのである，それは，深水下部の深さにもよるのであるが．搬送容積量分の進入水圧は浮力で以って押し揚げてくるのであるもう一つ大事な事は，逆止弁の役割が大変な効力，効果を発揮するのである．以上が，複数筒天秤，テコ，運動，つまりシーソー運動の効力，効果による〔請求項２０〕である．また後述表記するのであるが，「課題を解決するための手段」その７〔００３１〕（※注−７）・その８〔００３２〕（※注−８）・その９〔００３３〕（※注−９）・その１０〔００３４〕（※注−１０）に表記する（表７）（表８）（表９）（表１０）は，各内筒体積排斥棒フロート式，ストローク棒の体積面積に働く“浮力”＝復元力の作用データー表である．本項に至るまでは自然比重高所落下比重圧力エネルギイー，即ち従来技術に利用されているポテシャ，エネルギイーの潜在能力エネルギイーを利用する事を“表として”焦点において論じてきたのであるが，これらの分野も大変幅広い活動の場である事は言うまでもないのであるが，つまり搬送用機器として，各種形態システムでのその範囲も無限であるが本項にこれらの“表”をおく事は重力機関の範囲を意味するものである．即ち，重���機関はコンパクト化が要求される為，密封圧力タンクを利用，使用し，高所高位より落下する比重出力と同様の体内効果の出力エネルギイーを抽出する為に比重重力＝Ｇに更に圧力，圧入力を加圧して２水圧，３水圧．４水圧，５水圧と水圧力をかけて．増幅効果，余饒水量を使って高速，流転回転で，“出力源水車”及び“入力循環源水車”双方に適宜のコントロール圧力回転を与えるようになっているのである．従って密封圧力タンク内部で駆動される上昇循環装置，筒の内筒体積可動ストローク長さ“飛び出し部分”体積表面積の浮力の変化を表記した，表７・８・９・表１０である．また図面〔００４０〕［図示例］及び［特図示例］［図４０……］［図４３……］［図４９……］に示すものである．“飛び出し長さ表面積”当たりの圧力倍率別，浮力のｃｍ３／ｇ圧力復元力のデーター目安表である．従って本表（表７）（表８）（表９）（表１０）を機械要素として〔請求項２０〕におくものである．【００１３】  逆止弁４５と，フロート式，ストローク式体積棒４２の効果得益によるものである．その一例として，（表３）表〔請求項１８〕の中段部最下段１０の，“１ストローク長さ”（１００ｃｍ３／１０ｌ＝１００００ｃｍ３）は，即ち（１ｍ長さ／１０ｌ）であるという事は，深水，水面下１ｍ以上１．５ｍ深水最下から水面下５０ｃｍ３＝０．５ｍ範囲の（１００ｃｍ＝１ｍ）“１ストローク長さ”としていると設定できる．従って（１ｍ長さ／１０ｌ）ならば（１０ｃｍは１ｋｇ）である．従って，上昇時深水水圧“復元力＝浮力”は．最深最下部で，１．５ｍであるから，１５ｋｇ重の“復元力＝浮力”が“押し上げて”くれる．そして，最上昇時１ｍ長さストローク終点においては，“５ｋｇ重の復元力＝浮力”が“働き押し上げて”くれるのである．然らば上昇上位終点の復元力でも５ｋｇである．５ｋｇと言えば別表，（表３）表の１０の２５／２６の２５ｍ高さまでの残留水比重重量（５０００ｃｍ３＝５ｌ＝５ｋｇ重）を“地球のエネルギイー”からもらっているのである．もしも２５ｍ以下の希望目的高さならば，例えば，２０ｍなら残留水比重は（４０００ｃｍ３）である．従って，（５０００ｃｍ３−４０００ｃｍ３＝１０００ｃｍ３＝１ｋｇ重）超過するのである．もしも１５ｍの希望目的高さならば，（３０００ｃｍ３）である．従って（５０００ｃｍ３−３０００ｃｍ３＝２０００ｃｍ３＝２ｋｇ重）超過となるのである．もしも（１０ｍならば２０００ｃｍ３）である．従って，（５０００ｃｍ３−２０００ｃｍ３＝３０００ｃｍ３＝３ｋｇ重）超過するのである．従って，左側，左器筒上昇時は，外筒用，容積，任意，希望目的高さ，搬送筒４４の，深水最下部先端装着の逆止弁４５の，開放開孔によって自然界同環境の貯水タンク６の１．５ｍ・〜・０．５ｍ間の“水圧復元力＝浮力の力”によって押し揚げられる．然らば右側，右器筒の下降時の落下加速度抵抗水圧＝３乗倍は，左器筒上昇“水圧力”“復元力”天秤テコによって右側右器筒落下加速度に拍車をかけるのである．然らば“入力消費料”は自然界の引力エネルギイーにかき消されてしまうのである．従って．消費料は極小である，極小であると言うても，使用，利用者，人類が，補うものでなく，地球��，負担しているのであるから使用者，利用者，人類は無入エネルギイー無経費．永続循環上昇降下装置とも言えるのである．従って，１対１の左，右で明確なように２対２も，３対３も，４対４も共に同比率で解消できるのである．本項は逆止弁４５と，フロート式ストローク体積棒４２の効力，効果の得益によるものである．以上の技術構造説明項である．【００１４】
2006016969.tif 000027
は，内筒用，体積量排斥容器棒４３＝フロート式ストローク体積棒４２の深水最下部先端に体積量排斥流水落下止め逆止弁４６として設けるのである．従って，開放落下の始め，始発の落下速度の水圧抵抗は空圧加速度の３乗倍の抵抗である．従って該排斥容器棒４３の往路落下圧力比重によって外筒用容積，任意希望目的高さ搬送筒４４の，深水最下部先端の逆止弁４５の“弁４７”は圧力によって閉塞するのである．該外筒容積内部進入存在水，つまり外筒内部室４１に，満水に充填した存在水が，上昇水流道弁４７の水門を開ける働きをし復路の，該内筒用体積量排斥容器棒４３の上昇時は，この逆止弁４６は，体積外残留水の落下漏れを防止すると共に，残留水も持ち揚げ搬送をする役目を果たすのである．また一方の外筒用，任意希望目的高さ搬送筒４４の下部先端深水部逆止弁４５は，往路時は，該体積棒４３の，落下時には進入存在水適宜を残して逆止弁４５は，閉塞して内部室４１に封じ込め外部，自然界同環境の貯水タンク６と断絶してしまうのである．すると，内部室４１の存在水は，下部には逃げ道がないので上昇し，開放弁の逆止弁４６を開放通り抜けて搬送筒の水道流４８を上昇するのである．この時の筒内環境は，“閉ざされた系独立環境室”として，自然界と断絶し独立した筒内環境であるから，搬送量の（１０ｌ＝１０ｋｇ重）に対する抵抗，対抗入力エネルギイーが必要となるのであるが，“比例数値”の緩和によって，３ｋｇ重程度でよいのである．また一方復路においては，内筒用，体積フロート式ストローク体積棒４２は，上昇するその瞬間，外筒用，下部逆止弁４５は，即座に開孔・開放となって自然界と同環境と流通すると，貯水タンク６の深水圧力“復元力＝浮力”の１５ｋｇ重で押し揚げ，１０ｃｍ３上昇毎に、１４ｋｇ重圧・１３ｋｇ重圧・〜・５ｋｇ重圧まで．１ストローク長さ，１ｍを上昇させ“復元力＝浮力”５０ｃｍ３深水部５ｋｇ重圧のところまで上昇して，また変化して往路に向かうのである，その時は，一切の外部抵抗を断絶する逆止弁４５の作用によって内部だけの独立環境を作り搬送量分の抵抗勢力に変化させるとは言っても，総合搬送量は，１０ｋｇ重であるが，ヘッドのダウン．カットがある故に，該（表３）表例題の中段最下段の１０という事であるから１５／１６縦列１０ならば３ｋｇ重程度である．２０／２１でも４ｋｇ重程度である．だがこれ等の抵抗勢力も（左・右）（上・下）（正・反）運動，または対象運動，または順次ストローク４分の１回転＝１クォウター．サイクル運動において相殺してしまうのである．また，逆止弁の効力．効果について，もう一方の角度から，その価値を示す必要がある．それは，搬送高さ，希望目的搬送高さの５ｍを越える高さとか，または，上昇搬送筒の口径面積の大きいものの大量の搬送機器においては，もう一つの逆止弁が必要となるのである．それは上昇搬送筒の単体の“外筒用希望目的高さ搬送筒”の最上部先端にも上昇残留水落下止め用の逆止弁を設置する必要があるのである．この設置は，内筒用体積排斥ストローク搬送棒４２・４３の往路．復路の重力変動変差の格差を減少させる事ができる．それと共に密封圧力タンク内
2006016969.tif 000028
圧力タンク内部の逆流水漏れを防ぎ一方上昇筒内部の残留水の落下止めを図り，また見方を替えれば，上昇搬送筒内部の“残留水”の吊り揚げ維持”を図るという事であり，内筒用体積棒のストローク駆動の往路，復路において，常に満水の中の船のように往路，復路の変差がなくなる現象が起きるのである．例えば超高層タンク５００ｍ〜１０００ｍの高
2006016969.tif 000029
かも魚釣道具の棒形浮き＝（ロングフロート）と同様となるのである．その逆止弁設置は，あらゆる方面に有効利用ができる．特にその効力を発揮するのは，重力機関的類の圧力タンクを利用した内部においては，その効力，効果は何百倍であると言えるのである．特図示例，図５・図４２・図４３・図４４・図４５・図４６・図４７・図４８・図４９・図５０・図５１・図５２・図５３・図５４に開示しているので参考願たい．上記，各項色々と逆止弁の効力，効果を述べてきたのであるが，従来の逆止弁作用は，ただ液水，空気等逆流閉鎖を表としてきたのであるが，本装置使用において，二つの環境を（正・負）・（正・反）・（重力・反重力）・（上昇・下降）を“一瞬に変化させる“威力”も兼ね備えている事である．従って地球上の人類が“敵とみなし”“抵抗壁”と思い込んでいた万有引力９．８Ｇも１００％味方に付ける事が出来る装置（３）液水上昇循環装置４０の逆止弁は，プロジェト．メンバーの第一人者であるとも言えるのである．以上．逆止弁．効力．効果に関する得益の項．技術構造説明項である．【００１５】  本項は，本機関第３セクション（３）※液水上昇循環装置４０の集大成の項として，説明項１７．１８．１９．２０．２１．２２項と本項２３項は，実施例題〔表４〕表と関係するものであるが．それと同時に［請求項２０］に記述したように「問題を解決するための手段」その７［００３１］〜その１０［００３４］に表記する（表７）（表８）（表９）（表１０）は，各内筒用体積排斥フロート式，ストローク棒の体積．外面面積に働く“飛び出し分量”と“増幅水圧比重”と比例して浮力も増大するのである．その目安が，上記当該表である．これらの“浮力の作用”を味方として利用推進力”とするか，また，逆に“敵として抵抗力”とするかは大変な永久機関設計上の重大条件の１つである．従って，構造システム上に，自然力を利用する事が，永久機関の根本的条件であるからである．翻って本発明，発見者は，万有引力＝重力＝Ｇの“引極一方通行”“不可逆理論を覆した”のである．即ち重力＝“Ｇのエネルギイー”＝“抵抗壁”として来た人類史の先入観を一瞬にして打ち破り，実のところはＧのエネルギイーは，仕事エネルギイーであり，“抵抗壁”は実は１００％“抵抗壁”でなく“プラスの力”であり“動力源エネルギイーなのであると宣言し，“地球上に抵抗壁”などなくなったのである．ただ抵抗壁をなくしただけでは，ゼロＧであり動く事もないし，搬送する事も出来ないのである．従って，永久機関の条件とは，抵抗壁の１００％を動力源エネルギイーとして転換利用して，尚且つ数倍，数十倍，数百倍，数千倍の仕事エネルギイーを源動力エネルギイーに変換することなのである．つまり１ｔ／１ｍ３の重力＝Ｇ＝Ｗは“１メートル上昇搬送”をする際“ゼロ消費入力エネルギイー”で可能にすれば，“１ｔの落下出力エネルギイー”として抽出することが出来る．“２メートル上昇搬送”ならば“２ｔの仕事エネルギイー”が抽出できる，“３メートル”ならば“３倍出力”“５倍高さ”ならば“５倍出力”（“１０倍高さ”ならば“１０倍出力満水落下出力が抽出”できるのである）そしてこれに“追加力”が加わるのである．それは“落下加速度���ネルギイー”の威力である．このを威力０．９と見込むとしたら（満水度＝１メートル高さは１．９ｔ）・（２メートル高さは３．８ｔ）・（３メートル満水度＝３メートル高さは５．７ｔ）・（５メートル満水度＝９．５ｔ）・（１０メートル満水度＝１９ｔ）という出力エネルギイーを無経費で抽出する事が出来るのである．この原理を可能にしたのが．第３セクション（３）の※（３）液水上昇循環排斥搬送装置なのである．従ってそれを，製造する資料数値は，（表３）（表４）（表５）（表６）があるのであるが．これは自然比重．即ち地球引力＝９．８Ｇ平均値を利用した自然Ｇであり．これだけでは，装置の体形も大きく，高くなる事は必然的である，然るを密封圧力タンクを利用する事によって，強制的に加圧．圧入する装置を配備して，本体のコンパク化を計る方向として，例えば，９．８Ｇ平均値を入力源スタートとして，倍圧＝（９．８×２＝１９．６Ｇ）・（３倍圧＝２９．４Ｇ）・（４倍圧＝３９．２Ｇ）・（５倍圧＝４９．０Ｇ）圧入して，高速落下水流を作り，低所規模でも高出力重力エネルギイーを利用できるようにしたのが，重力機関の永久機関なのである．このコンパクト化高出力機関の構造システムを設計する資料数式が，上記各当該表であり．また（表７）（表８）（表９）（表１０）表も密封圧力タンク内部の比重変化と，浮力の体圧比重の変化を目安表としたものである．従って，これも永久機関の一部資料であるからここに掲げるものである．各種＝表に対する説明項である．
またもう１点，重力機関＝永久機関の重要資料とする事は後述する．「課題を解決するための手段」その１１［００３５］（※注−１１）（表１１）表を掲載表記するのであるが，本表に掲げる数式は，各種作用出力概算表であるが，この概算表もまた重力機関を製作する上で重要な資料，目安資料であり本表データー表もまた“機械的要素を含む”ものであり各セクション別の出力計算の目安となるものである．まずは“体形の高さと大きさの設定”目安“入力循環源力水車の出力サイズ”の目安“供給量＝汲み揚げ量”と“需要量＝即ち入力源水車の消費量”と“出力源水車量の消費量”の合計消費量を基本として．これにプラスされる余饒水量を幾らにするかという事である．従って，入力源水車の消費量自然比重を基本として，最低基準目安を入力源水車の１と仮定した場合汲み揚げ量を３倍以上量を目安とし，１対３以上程度を最低出力源として，さらに高出力に向かって，１対４・１対５・１対６・１対７・１対８・１対９・１対１０を置く事も必要である．しかし，対比差が大きい装置はそれなりに本機関の高さ，大きさが必要となるのである．対比差が大きいもの程増複効果．効力が増大し，圧力比重も強出力になるという事はいうまでもない．
また増複効果は，等圧であり圧力タンク内部の比重が高く高圧になれば，汲み揚げ循環源力水車への還元も大きくなる事である．つまり自然比重，１対５であっても２倍の増複効果圧力比重になれば，２対１０の出力と変化する，５倍が働けば５対２５となるというように，比例して汲み揚げ力が強化されるのである．このように製作，製造段階において比例数値を幾らにするかを設定しておけば，後の使用，利用段階において入力源水車バルブ２０，出力源水車バルブ５８の双方の開閉コントロール制御によって，圧力調整は自由出来るのである．従って［００３５］（※注−１１）掲載する（表１１）を機械的要素の上から，請求項２３におくものである．“表”に対する説明項である．【００１６】  本項は，本重力機関の第４セクション（４）※（４）出力，仕事，抽出エネルギイ原動力源水車５０の項である．前項記載の各種セクション，第１セクション（１）※（１）循環駆動機能力水車（１０）は，密封圧力タンク６の高水圧圧入充填により，強力な落下水流本機“源力圧力““１，Ｘのエネルギイー本源力”を水車羽根５１に受けて，水流，流速駆動されて，軸芯シャフト色々２６−２．２６−１Ｃ．２６−１Ｆと傘歯車２６−１Ａ．２６−１Ｂ．２６−１Ｄ．２６−Ｅの各種を介して伝達して，図示例．図６．図７に示すように伝達シャフト２６−１Ｆ．先端出力用ピニオン．ギヤー２８は，水車羽根面積出力の合計，約源力＝“１ＸＥ”の３．５倍の出力を持ち，よって該機関，第２セクション（２）※（２）倍力伝達駆動装置２５のインサイド．スライド．カム３１に嵌合入力駆動すれば，約３．５倍の入力エネルギイーを受ける．更に倍力拡大効力によって，最低３．５倍の出力から６５倍の出力に転換される．これを受けたインサイド．スライド．カム３１の倍力伝達作用によって約５倍〜６０数倍程度の倍力伝達効果，効力加算出力が期待れる．この拡大作用をうけた，スライドバー３３と一体化のラックスライド歯車３４を介して，これに嵌合噛み合う，ピニオン，ラック，ギヤー３５を正反回転往復運動し，図示例，図１・図３・図６・図８・図９・図１０・図１１に示すように，このピニオン．ラック．キヤー３５を，中芯として双方両方に延びた伝達シャフト３８の，両端適処に正，反回転シーソー．ストローク歯車３７が，設けてある．ここにおいては消費エネルギイーは増大するが，液水上昇管“汲み揚げ”平均実“エネルギイーＸ量”の約４倍程度が消費されるが，この消費エネルギイー量は，構造伝達上の消費量であり全体搬送量の４倍ではないのである．従って全体搬送エネルギイーと比較すれば数十分の１の抵抗エネルギイーでしかないのである．“浮力と重力”の強力な協力体制によって，全体の入力エネルギイーからすればたいした消費量ではないのである．この両端適処に正，反回転シーソーストローク歯車３７は，第３セクション（３），※（２）液水上昇排斥循環装置４０の内筒用，体積フロート式・ストローク体積棒４２を，順次サイクル４行程に駆動し，多量の液水“汲み揚げ”該密封圧力タンク６に，圧力をかけ続け圧入するのである．その液水の需要と供給のアンバランスによって余饒の大量液水を密封圧力タンク６に圧入される．さすれば約３倍から〜１００���程度の余饒，液水圧力エネルギイーとなってくる．その余饒，液水を利用して，本機，第４セクション（４），※出力，仕事，抽出，エネルギイー，原動力の源水車５０の，液水取入口５２より高圧．高速水流．噴出進入されて流速回転し，円周順応流水道５５を，水車の段数によって変わるのであるが．１段水車ならば１回転排出，２段重ね水車ならば２回転排出，３段重ね水車ならば３回転排出というように水車羽根５１を，推進回転させるのである．従って液水取入口５２より，円周順応流水道５５を数回転して，後方出口５６を，通じて更に延びた排水道５７の，適処に設けた調節バルブ５８によってコントロール制御され，更に延びた排水道５７を通じて，下段部．自然界と同環境の貯水タンク６に，放出口５９より，放流落下放出されるのである．この貯水タンク６の貯留水量は，常事需要分量“汲み揚げ”減少は，減圧につながるので，放出された分量を常に“汲み揚げる”等圧維持圧力で圧入しているのである．従って需要が少ない場合は少なく，等圧維持力が働き多ければ多い状況で等圧維持力回転させるのである．そのコントロール制御装置は，調節バルブ出力側は５８，入力側は２０の各１箇ずつ装備した，調節バルブ入・出力側の各１箇の双方の解放度合いバランスによってその“等圧比重”も“流速度”も変化させる事ができる．以上の“等圧比重”も“流速度”の変化の調節バルブ入力側２０は，入力調節ハンドル７によって行われ，また調節バルブ出力側５８は，出力調節ハンドル８によってコントロール制御されるようになっているのである．図示例，図１・図２・図６・図７・図８に，または図示例，図６＝７．図７＝７・８・図８＝８に示すように入力側コントロール，ハンドル７であり，また一方図示例．図１・図２・図７・図８に示すように出力側コントロール．ハンドル８が，示してあるのである．この水車形態は，該請求項１１・１２・１３項，特に１３項には，実施試作例題．（表１）［００２５］（※注−１）（表１）表として掲載してあるので参考願いたい．また図示例，図６・図８の各々と，（図１５）（図１９）と特図示例（図２０）（図２１）（図２２）（図２３）（図２４）（図２５）（図２６）（図２７）（図２８）図にに示すので本機関，別種に及んでも利用可能である事を示すものであるので参考願いたい．そして本水車軸芯シャフト．スプライン軸２６−２に，嵌合調着固定された傘歯車伝達ギヤー２６−２Ａを介して，小傘歯車１箇乃至複数箇，各方面別に適宜配置して，これらそれぞれに嵌合固定された，出力，仕事，回転エネルギイー，出力軸シャフト５４を回転して，外部，作業に各種各用の変則機能を配置して，これを通じて外部，各分野に多大の貢献をなすものである．以上をもって［請求項２４］の本重力機関，第４セクション（４）※出力源水車５０に関する各種＝図に対する説明と技術構造説明項である。【００１７】  本項は，総まとめの項として，本発明，本発見を基準とした本重力機関＝重力エネルギイー機関の全容の説明項１．２．３．４項と続いて次項には，万有引力＝重力Ｇの引極エネルギイーの活用方法と，その構造理論システムに関する方法論・実務論の説明項５・６・７・８・９項と展開し，次項において，本機関，各��セクションの第一セクション（１），※（１）本源力水車の説明項１０・１１・１２・１３項である．特に［請求項１３］項は，本重力機関に限るものでなく．各種各用の重力機関及びその他，被駆動機器従来技術と連結嵌合して，各種各様の永久機関化にも共通利用できるのであり，その利用分野に普遍する１ツのサンプルとして（表１）表に総まとめして，水車各種規格表として掲載し，これをもって［請求項１３］と定めたものである．そして，次項において本機関の第２セクション（２）※（２）倍力伝達駆動装置２５についてである．［請求項１４］において総合請求項である．［請求項１５］は，中枢部分として展開し，［請求項１６］においては本重力機関のみだけでなく，あらゆるクランク運動機械機器に普遍して共通使用できるものであり，本クランク倍力伝達装置もまた，その他の永久機関化に一役を呈するものである．その実施，製作，例題規格ユニット型として（表２）表を掲載して，［請求項１６］としている．続いて次項において．本機内蔵の第３セクション（３）※（３）液水上昇排斥循環装置４０についてである，本装置は前代未聞の装置として重力＝Ｇを１００％味方につける装置として地球上の引力を全て重力エネルギイーとして利用使用できる装置として活気的ローテク．シンプルな構造装置である．従ってその請求項の内容文も自然的に説明解答方法になる事は必然的な事である．従って，その［請求項１７］において，構造システムは比較的簡単なローテクシンプルな構造で可能である事，そして本項その他の項でふれている通の本装置はあらゆる形態容器，管器に普遍する１ツの定理であり，何故ならばその基本原則は，量＝質量に基本をおくものである．従って容積・体積に要点があり容積量・体積量には重力＝Ｇ＝Ｗが具足するからである．従って容積と体積に重要ポイントがあり形態に＝（スタイル．シルエット）に基本をおくものではないのである．本装置もまた，本重力機関を離れて１人歩きする装置として［請求項１８］を設け（表３）表をもって請求項としたのである．またその続きとして（表４）表もその項として，［請求項２３］にあげられるのである．「請求項２２］において本装置の逆止弁
2006016969.tif 000030
出力仕事，抽出エネルギイー本源力機能水車に対する［請求項２４］である．総まとめ項２５である各種＝構造に対する技術説明技術構造説明項である．
【エネルギイー源使用範囲】
【００１８】  本重力機関は，上段部第１タンク１の内部密封圧力タンク２に，液水及び流動性のある物質で環境汚染，公害に影響のない物質または，なるべく粘のないもの程
2006016969.tif 000031
し，水に限定するものではなくもっと良い物質を見つけ出す事は人類の２１世紀の課題であるとも言えるのである，エネルギイー源は，グラビティー＝重力＝Ｇであるから，その範囲の広さは無限であるとも言えるのである．
【エネルギイー源使用方法】
【００１９】  本重力機関上記に，上段部第１タンク１の内部密封圧力タンク２の内部に液水を満水に充填して更に下段部第２タンク５の内部，貯水タンク６にも適宜の量を満水にしてこの液水の重力比重を利用して上昇，降下のバランス格差の拡大を増幅，増強して密封圧力タンク６内部に，高比重液水を作り，上段部第１タンク２内部に需要に勝る大量の液水を圧入する，その拡大倍力倍数の最低基準は液水比重自然界比重の約３倍比重程度以上として，最大高圧比重は，１００倍程度までは可能である．また本機関は一度の液水の充填で，数ケ月に一度ぐらいの補充程度で，半年どころか永久に循環駆動されるものである．記述のように媒体物は液水であるが，液水その物の化学性のエネルギイーを利用するのでなく液水の重力比重を利用する重力機関である．従って本重力機関は万有引力＝比例定数平均値重力９．８Ｇが，動力源エネルギイーなのである．従って重力が対象であるという事であり．水が対象であるというよりも，たまたま水が一番手身近にあるという事である．また液水が，動力源エネルギイーであるならば，地球上の海，湖，河は全てエネルギイー源であり世界最大の大型船も無経費運航ができる，またその船内をオートメーション化した大工場にして，運航中に各種製品が同時に生産と運送を平行して一直線に行う事ができる当船の動力源全体においても，ランニング．コストが全く発生しない製造工場兼貨物運送船または貨客船が，海上を往航する不思議な現象が現実化するのである．
【発明の利用分野】
【００２０】  （ア）本重力機関は原動力機関という事であり，永久機関＝永久回転機関であるから（イ）エネルギイー源の注入し補充する必要のない，しかも（ウ）永続循環であり止まる事のない原動力機関である．また熱をともなわない（エ）無公害であり，環境汚染がない（オ）燃料の発注の必要がない．従って，無消費であり．ランニン．グコストが一切かからない（カ）従って隔離，人件費等も消滅できる．その分高収入高配当が可能となる．普及に制限はなく地球上全てが市場である．もし使用できないところがあるとしたら，万有引力の働かない無重力環境だけである．万有引力があれば地球上に限らない，月でも，火星でも，他の惑星や衛星群でも可能である．（ク）また地球上の表面だけでなく，深海１万ｍ以上の海底においても，地中深い極限値においても利用可能であり（ケ）当然灼熱の砂漠や，酷寒の北極や南極でもしかりである．
【背景技術】
【００２１】  従来原動力機関は，主に零だん燃爆使用化石燃料が使われているが，重力機関発明者としては，そもそも化石燃料はブラックエネルギイーであり，分子破壊や原子破壊など化学反応がおこる不可逆性の最たるものとしている．公害に付き纏われている地球のエネルギイーの許容量を減衰させ，地球の活性力を減退させ破壊につながる事は必然である．従って分子破壊は物質そのものを破壊する行為であるから，破壊エネルギイーの壊す物質そのものの盛んな生命力なるものを外圧力で強制破壊された一瞬に抽出できるエネルギイーの事であり，この行為は，この物質の元の分子原子には戻らなくなる．例えばガソリンを燃やすと，もう二度とガソリンには戻らないという事である．従って化石燃料使用は，環境破壊の行為であって建設的な仕事ではない．
【発明が解決しようとする課題】
【００２２】  本発明者は，〈１〉地球上の無公害な自然環境を目指す，〈２〉化石燃料破壊機関による激騷音の解消．〈３〉燃料の発注．運搬等の諸経費の消滅．〈４〉制御装置の完全化．〈５〉使用場所が限定されず，使用分野も制限されない．〈６〉本機関による全産業のオートーメーション化による計り知れない生産性と経済効果〈７〉物価の標準価格の大幅な低価格化〈８〉全人類に貢献し人類は救われる〈９〉地球の自然環境が保全され救われる．〈１０〉わが万物の霊長である人類が，実は「獅子身中の虫」として地球破壊の犯人である事実を．ここに払拭し，この小さな惑星に永住する人類としての責任で，地球に息づく自然を保護しながら活かす，正に２１世紀の地球の創造的な役割を果たす事である．
【課題を解決する手段】
【００２３】  本発明者は，上記のように，様々な難問を解決する為に永年考え続けた結果として，万有引力即ち地球上の引力比例定数平均値９．８Ｇ重力エネルギイーを利用できないものかと悩み続けた結果，重力Ｇは質量ｍとして現れ，質量ｍは容積と体積に現れる．また容積と体積の二積に共々自重，体重即ち，Ｗｅｉｇｈｔ＝Ｗという事である．この中の特に注目するところは，容積，体積の二積の働きの（比例．反比例）・（重力．反重力）を発見する事ができ，これを解決の手段に選んだ事である．この法則法理を多方面に応用利用できるのであるが，ここにおいては，重力逆転利用，反重力作用を利用した一面ではあるが，簡単に説明をしておきたい，搬送を目的として論じれば容積容器搬送は“運びたい物質”運ぶに当たってその入れる容器“包含容器”＝“包括容器”の重量即ち，風
2006016969.tif 000032
空機に至まで，風袋ともども引力をも運んでいる．この事は，申すまでもないが，一方反重力作用を利用した体積容器は“排斥容器”であり，この搬送方法は，排斥搬送方式であり，いかなる固体でも体積量のない物体はないのである．そこで体積容器搬送方式は，“運びたい物質”を運ぶに当たって自身の質量＝Ｍｏｓｓ＝ｍ．即ち“体積量”でその“量”を決め，搬送方法は“排斥量”で，この量を運ぶのである．しかも“運びたい物質”だけを運ぶのである．その移動搬送入力エネルギイーは，自身の自重であり，Ｗｅｉｇｈｔ＝Ｗ体重でこれを運んでいるのである．つまり自重万有引力＝重力Ｇで運ぶのである．従って自重，体積，排斥，搬送方法は，無経費，無入力エネルギイーでよいのである．何故ならば，入力エネルギイーは機能構造の中，体積内面に重力Ｇの入力エネルギイーを兼ね備えているのである．以上簡単な説明で解答は出ていると思うのであるが，本重力機関は，これを運ぶ基本として液水の重量を上昇高く無料，無入力で搬送し，もっとも，この高さが“１０ｍ高さ”“満水充填”した場合は，そのタンク最低盤の出力エネルギイーは幾らになるであろう．例えば，１０ｍ満水充填高さ上部に汲み込み補充量は（１０ｌ／１０ｋｇ重）としてもタンク最低盤１０ｍ深水部から抽出される，出力エネルギイーは（１００ｋｇ重／１００ｌ）の単位面積（１００ｃｍ２＝１００平方センチメートル）当たりとなるのである．以上のように本重力機関は，この基本原理に基づいて更に機能構造システムに考慮し，よりコンパクト化を計り機関内に各種の構造物を配備する事によって，これをクリアして本機関の誕生を見たのである．
【００２４】  次の頁より数頁にわたる各種表は，本重力機関の重要なる機械要素を数値するものであり，各種表内の数値その物が各種サイズらに普遍して共通するものであり，また各種重力機関の機能力を示すものである．または，本重力機関を離れて，単独機器としても他方面にわたって活用できるものである．
第（１）※（注−１）各種第１セクション（１）第４セクション（４）の（※−１）循環駆動機能力源水車１０と，（※（４）出力，仕事．抽出エネルギイー原動力源水５０は，重力機関の永久循環の本源力機能機器として，また各種規格ユニット方式とし各方面の利用，使用に応えるものとする，［請求項１３］に掲げ，各種規格表（表１）を実施，試作例題表［００２５］（※注−１）を設けて“課題を解決するための手段”その１とするものである．
第（２）※（注−２）（２）第２セクション（２）（※−２）倍力伝達駆動装置２５もまた上記の機械要素を含む数値表として（表２）を掲げ［請求項１６］として，各種規格ユニット方式とした実施試作規格例題各種範囲表−［００２６］（※注−２）として設けて“課題を解決するための手段”その２とするものである．
第（３）（※−３）第３セクション（３）※（３）液水上昇循環装置４０もまた上記の機械要素，即ち，液水搬送装置であり，内筒体積量排斥方式自重エネルギイー搬送，高所無経費搬送装置である．これもまた，上記機械要素を包括する数値表として（表３）を掲げ［請求項１８］とし，各種規格ユニット方式としたのである．各種汲み揚げ量，その他実施例題表［００２７］（※注−３）として設けて“課題を解決するための手段．その３とするものである．
第（４）第３セクション（３）※（３）液水上昇循環装置４０の上記の機械要素．即ち液水搬送装置でありながらも，これ事態そのものが材料規格であり，これもまた，上記機械要素を含む材料規格ユニット方式として各種サイズ．ミクロ．サイズ〜マイクロ．サイズに至る体積，容積量であり．他の傾域及びサイズに普遍して共通するものである．従って数値表として（表４）を掲げ［請求項２３］とし，各種規格ユニット方式とした各種汲み揚げ量，その他の材料規格ユニット，実施例題表［００２８］（※注−４）として設けて“課題を解決するための手段”その４とするものである．
第（５）※（注−５）３セクション（３）※（３）液水上昇循環装置４０も上記の要素の上から（表５）を掲げ［請求項１８］［請求項２３］とし，各種材料規格ユニット及び液水上昇排斥搬送装置＝液水上昇循環装置４０と同装置名．実施試作例題［００２９］（※注−５）として設け“課題を解決するための手段”その５とするものである．
第（６）※（注−６）３セクション（３）※（３）液水上昇循環装置４０に関する別表である．ヘッド．カット．ダウン表（表６）である．本（表６）は，比例数値体積排斥量数値表５０対，容積量５１とした．即ち（５０対５１＝５０対１）＝とおいた“汲み揚げ量”であり“零れ落ち量”である．ワンカット／４ｍ毎の“零れ落ち量”と“筒内残留水流量”であり，残留水量ｋｇ重はそのまま，内筒体積排斥フロート．ストローク棒４２の自重に置き替える事ができるのである．従って希望目的搬送高さと，その他各種設計資料として形状及びサイズに各種普遍して共通するものである．従って数値表として（表６）掲げて［請求項１９］とし，ヘッド．カットダウン表−［００３０］（※注−６）として設けて［課題を解決するための手段」その６するものである．
第（７）・（８）−※（注−７・注−８）第１タンク（１）内部密封圧力タンク（２）の圧力比重の比重変化と液水上昇循環装置４０の内筒体積排斥フロート・ストローク棒４２の頭部に働く，浮力復元の作用と，下段部，自然環境同等貯水タンク内部深水部．浮力と復元力の作用に対する数値表（表７）・（表８）を掲げ［請求項２０］とし，圧力比重表［００３１］（※注−７）また［００３２］（※注−８）として設けて，“課題を解決するための手段”その７，その８とするものである．
第（９）・（１０）※（注−９）・（注−１０）の数値表（表９）・（表１０）も上記と同意を以って［請求項２０］とし，圧力比重−［００３３］（※注−９）また［００３４］（※注−１０）として設けて“課題を解決するための手段”その９，その１０とするものである．
第（１１）※（注−１１）のデーター表は，本重力機関の“規模と出力抽出馬力”の“概算目安表”である本表（表１１）は本重力機関の出力概算表として，各種サイズに普遍して共通するものとして，［請求項２３］とし，出力概算表として，［００３５］（※注−１１）として設けて“課題を解決するための手段”その１１とするものである．  次の頁より数頁にわたる各種表は，本重力機関の重要なる機械要素を数値すると共に，その態形のスケールの大きさも決定づけるものであり，各種表内の数値その物が．各種サイズ，ミクロ．サイズからマクロ．サイズに普遍して共通するものである，また各種重力機関の機能を示すものである．または，本機関の各セクションの，第１入力機能力源水車・第２倍力伝達駆動ストローク装置・第３液水上昇循環装置筒・第４出力．仕事機能力源水車の４種の機器は，その構造上，永久機関的性質を秘め，兄弟的性質をも秘めた作用機器であり，従って，本重力機関を離れて，単独機器としても他方面にわたって活用でき，従来機器被駆動機器の中間媒体となって全ての機器を永久機関化にするものである．
【００２５】（※注−１）  水車各種ユニット規格表＝表１である．流動力水車ユニット規格，各種サイズの“１サイズ”実施．試作．仮定例題表として記載するものである従って，その範囲の本意は，ミクロ．サイズからマクロ．サイズ”に至る各種サイズ範囲においても普遍して共通するものである．そして当該表は，機械．機器形成の数式要素を備えるものとして［請求項１３］に掲げるものである．
【表１】
2006016969.tif 000033
【００２６】（※注−２）倍力伝達駆動装置ユニット規格表＝表２である．倍力伝達駆動装置ユニット規格各種サイズの“１サイズ”実施．試作．仮定例題表である．従って一つのサンプルであり，その範囲の本意は，ミクロ．サイズからマクロ．サイズに至まで各種サイズ範囲においても普遍して共通するものである．そして当該表は，機械，機器形成の数式要素を備えるものとして［請求項１５］に掲げるものである．
【表２】
2006016969.tif 000034
【００２７】（※注−３）液水上昇循環装置，汲み揚げ量実施例表＝表３である．当該表は１部分のサイズ．サンプルであり，その範囲の本意はミクロ．サイズからマクロ．サイズに至まで，各種サイズ範囲においても普遍して共通するものである．また当該表は，機械，機器．形成の数式要素を備えるものとして［請求項１８］に掲げるものである
【表３】
2006016969.tif 000035
【００２８】（※注−４）表４である．当該表の数式は，各種上昇搬送筒の容・体積規格及び材料規格例題仮定表である．従って範囲の普遍性をもって共通のし［請求項２３］に掲げるのである．
【表４】
2006016969.tif 000036
【００２９】（※注−５）表５である．当該表内の数式は，各種上昇搬送筒の容・体積規格及び材料規格例題仮定表である．従って［請求項１８］に掲げるものである
【表５】
2006016969.tif 000037
【００３０】（※注−６）表６である．当該表はヘット．カットダウン表として外筒対内筒の比例数値＝（５０／５１）の目的搬送高さ別搬送汲み揚げ量の目安表である従って機械．機器．形成数式要素を備えるものとして．［請求項１９］に掲げるものである．
【表６】
2006016969.tif 000038
【００３１】（※注−７）表７である．当該表は，貯水タンク．密封圧力タンク内の各々上昇搬送筒，内筒体積排斥棒の頭部，飛び出し部分，体積表面積に働く浮力＝復元力のＣｍ３／ｇ圧力重のデーター目安表である．従って機械．機器．要素の上から［請求請２０］に掲げるものである．
【表７】
2006016969.tif 000039
【００３２】（※注−８）表８である．当該表は，上記に同じ趣意によって［請求項２０］に掲げるものだある．
【表８】
2006016969.tif 000040
【００３３】（※注−９）表９である．当該表は，貯水タンク・密封圧力タンク内の上昇搬送筒，内筒体積排斥棒の頭部，飛び出し部分，体積表面積に働く浮力＝復元力のＣｍ３／ｇ圧力重のデーター目安表である．従って機械．機器要素の上から［請求請２０］に掲げるものである．
【表９】
2006016969.tif 000041
【００３４】（※注−１０）表１０である．当該表は，上記に同じ趣意によって［請求項２０］に掲げるものだある．
【表１０】
2006016969.tif 000042
【００３５】（※注−１１）表１１当該表は，重力機関＝永久機関り重要資料である．表内数式は各種作用・機能の出力概算表である．従って機械・機器・製造・要素の上から［請求項２３］に掲げるものである．
【表１１】
2006016969.tif 000043
【発明を実施するための最良の形態】
【００３６】  本発明の実態の形態は、第１図・第２図に示すように本重力機関の総合本体図である。上段部には第１、タンク１、を設け、此の該タンクの内部は密封圧力タンク、２、となっている。そして下段部には、第２、タンク、５、を設け該、タンクの内部は、自然界同環境の貯水タンク、６、を配備してまず本機関の“エネルギー源”液水を満水にし充填した密封圧力タンク、２、と、下段部、貯水タンク、６、も適宜満水にすれば後は、永続循環であるから液水の減少は、蒸発水程度である。まず第１、セクション（１）の入力機能力水車１０を、回転させるに当って、入力調節ハンドル、７、を開孔すれば入力機能力源水車、１０、の水車羽根、１３、を押し進め回転を始め該、水車、１０、の軸芯シャフト、スプライン軸２６は、同時に回転し、此の軸芯シャフト、２６−１、に嵌合調着された傘歯車２６−１Ａも共に回転する。図示例、図６に示すように、傘歯車２６−１Ａを嵌合する小傘歯車、２６−１Ｂ、を回転させ２６−１Ｂ、は、シャフト軸と固定され２６−１Ｃとしてシャフト回転し、此の軸シャフト２６−１Ｃに嵌合固定された小傘歯車２６−１Ｄを回転させ、此の２６−１Ｄに嵌合噛み合うかさ歯車２６−１Ｅを回転させ、２６−１Ｅに固定された。伝達軸シャフト２６−１Ｆを回転させ、此の伝達軸シャフト上部先端２６−１Ｆに固定された、伝達ピニオン出力ギヤー２８、を回転させる。此の伝達ピニオン出力ギヤー、２８、は、水車羽根平面積に働く力作用は、１ツの仮定例題に基づいて進める事にすると、水車羽根、１３、の平面積に働く圧力水流自然落下比重を１Ｘエネルギー＝Ｅ＝“１ＸＥ”としておくと、出力ピニオンギヤー、２８、に働く出力は、約３．５倍程度となる（※注・構造システム比例数値に依って色々である）。そして出力ピニオンギヤー、２８、は倍力伝達駆動装置、２５、の大歯車インサイド、スライド、
2006016969.tif 000044
出力ピニオンギヤー２８歯車回転の６対１程度の減速回転で大歯車インサイド、スライド、カム、３１、は１回転する。そうすれば内径半径内変形ハート中空部に嵌合遊入された、セパ、ピン、ローラー、３２−Ａ・３２−Ｂの作用に依ってスライド、バー、３３、が往、復ストロークを開始し此のスライド、バー、３３、の背中に調着されたラック歯車、３４、も共に左、右、往、復を始め此のラック歯車、３４、に嵌合、噛み合った、ピニオンギヤー、３５、も往路正回転、復路反回転で往復１回転して、また、復路において往路正転１回転・復路反転１回転で往復ストローク駆動を行なうようになっている。従って大歯車インサイド、カム３１の１回転は往路ピニオンギャー３５は１回転正転とするならば、復路においても、反転回転の１回転で元にもどるように調着されている。此のピニオンギヤー、３５、に接続固定された軸シャフト両方向対角直線に延びた軸シャフト、３８、を介して正、反回転シーソー歯車、３７、も往路１回転、復路１回転と正、反回転すれば、此れに嵌合する液水上昇循環装置、４０、の頭部、フロート式、ストローク体積棒、４２、の頭部、６４、に垂直一直線に延びた、ラック、シャフト、ギヤー、６３、が調着固定されており、此のラック、シャフト、ギヤー、６３と正、反回転シーソー、ストローク、歯車、３７、が嵌合噛み合い、フロート式、ストローク体積棒、４２、をストロークするのである。さすれば、本機関は液水上昇循環装置、４０、単筒８器８体を装備しており、軸シャフト、３８、には、ラック、ピニオン、ギヤー、３５、を中芯、支点として両方向等距離に配置された正、反回転シーソ、ストローク歯車両端１箇ずつを配置双方２個の歯車、３７、が嵌合固定されている此の双方シーソー、ストローク歯車、３７、の各々には歯車軸芯対角対象的に垂直に並行してフロート式、ストローク体積棒、４２、を配置２本並行垂直配置として両サイド両先端に各々４本並行垂直設置とするのである。そして、本機関は軸シャフト、３８、を２本を用意して十文字状に配置しているのである１本は、倍力装置、２５、の上面盤上に設置しもう一方は倍力装置、２５、の下面盤に設置しその方向性は、クロス形、または、十文字状に配備するのである。図示例、１図・図２・図３・図４・図５・図６・図９・図１０・図１１。特図示例図１２・図１３・図１５・に示す。また、フロート式・ストローク体積棒、４２、については、図１・図２・図３・図４・図４３・図４４・図４５・図４６・図４７・図４８に示す通りである。図のように各々嵌合配置すれば、左上昇ならば右下降、右上昇ならば左下降というふうにストローク運動を行なうのである。そうすれば液水上昇循環装置、４０、は、本機においては、８体を配備するので此れを十文字状に配置すれば、１シーソー軸シャフト、３８、は、左、右両端の４体を同時駆動し、もう一方の軸シャフトでも左、右両端の４体を同時駆動を行なう、そうすればインサイド、スライド、カム、３１、の１回転は、４分の１回転毎に、即ち、９０度角度毎に頂点が、訪れる。即ち、４分の１の１＝クオウターで２体が頂点に達し、４分の２回転、即ち、２＝クオウターで次の２体が頂点に達し、４分の３の３＝クオウター、で２体が頂点に達し、最後の４分の４の４＝クオウターで２体の頂点が達するのである。即ち、２×４＝８体の汲み揚げ、４、サイクル、行程として組み合わせているのである。従って、インサイド、スライド、カム、３１、１回転、３６０度は８体の汲み揚げ量であるという事である。
上記、ストローク機能を１順１回転インサイド、スライド、カム、３１、または、大歯車、内径半径内変形ハート型中空円盤、３０、の１回転でもあるのである。そこで、上記、機能の１順を実務作業におきかえて説明する事にする。その前にその基準をはっきりする為に仮定例題として基本数値を設置して説明するものである。従って上記、汲み揚げ量を１器・１筒・１体の１、ストローク、搬送量は仮に（２ｌ＝２０００ｃｍ３＝２０００ｇ＝２ｋｇ）とおいて算出する事にすると、１箇体２ｌと仮定すると、１回転１６ｌの汲み揚げ量である。一方消費量側は水車直径芯々ピッチは２２．３ｃｍφとおくと、２２．３ｃｍ×３．１４１５９＝７０．０ｃｍ円周長さである。従って、水車１回転の消費量は、２０ｃｍ２×７０ｃｍＬ＝１４００ｃｍ３＝１４００ｇ＝１．４ｋｇである。従って本水車は４．５回対１回であるから１４００ｃｍ３×４．５＝６３００ｃｍ３＝６３００ｇ＝６．３ｋｇである消費量である。従って、（１６ｌ＝１６０００ｃｍ３）÷６３００ｃｍ３＝２．５４倍，２．５４分の１、９７００ｃｍ３対６３００ｃｍ３である。此れは、消費量である。即ち、供給量９７００ｃｍ３需要量６３００ｃｍ３という事である。また、一方出力量におくと、水車羽根車面積２０ｃｍ２と仮定して深水、深さ、１．５ｍとすると自然界比重は、（１ｃｍ２／１５０ｃｍ３＝１５０ｇ）である。従って、（１５０ｃｍ３＝１５０ｇ）×２０ｃｍ２＝３０００ｃｍ３＝３０００ｇ＝３ｋｇ重の水車羽根全平面積圧力となる。そして、水車羽根芯々ピッチ２２．３ｃｍと、おくと、出力歯車ピッチ６．３７２ｃｍとおくと、２２．３ｃｍ÷６３．７２ｃｍ＝３．５対１の径数となる。従って、水車羽根平面圧力３ｋｇ×３．５＝１０．５ｋｇ＝１回転圧力である。１０．５ｋｇ×４．５回転＝４７．２５ｋｇ重の総入力＝水車出力という事である。一方、大歯車インサイド、スライド、カム、３１、の直径ピッチは、６３．７１×４．５＝２８．６７１ｃｍφである。従って大歯車インサイド、スライド、カム、３１直径ピッチは２８．６７１ｃｍφであり、水車出力歯車２８、ピニオンギヤーは、６．３７１ｃｍφ直径ピッチであるという事である。従って水車出力、合計入力２８は４７．２５ｋｇであるから、大歯車インサイド、スライド、カム、３１、の外径入力は４７．２５ｋｇであるという事である。そして、インサイド、スライド、カムの“外遠内”スライドＲのセパ、ピン、ローラー位置の最弱少出力で１．３倍が働く。従って、４７．２５×１．３＝６１．４２５ｋｇ重のスライド・バー３３、に作用する。内心円最大強出力位置最内芯においては約１１倍であるから４７．２５ｋｇ×１１＝５１９．７５ｋｇの出力となるのである。従って最低弱小出力＝４７．２５×１．３＝６１．４２５ｋｇ重対、４７．２５×１１＝５１９．７５ｋｇ重は６１．４２５＋５１９．７５＝５８１．１７５÷２＝２９０．５９ｋｇ重平均値出力でスライド、バー、３３、の背面のラック歯車をスライド駆動するのである。従って、入力側自然比重水車羽根平面積２０ｃｍ２／３ｋｇ重と比較すると２９０ｋｇ÷３ｋｇ＝９６．６６６倍の倍力効果を産み出しているのである。従って余饒水量においては、１回転１６ｌ総汲み揚げで���るから、本源力水車消費最４．５回転で６．３ｌであるから余饒水量は１６ｌ−６．３ｌ＝９．７ｌである。従って出力側も同型同等の水車とすると９．７ｌ÷６．３ｌ＝１．５４倍の加速度となる。一方入力側出力は９６．６６倍であるが、各種の抵抗摩擦等を考慮に入れても約９０倍の出力を保持している。即ち、平均値９０倍である。そして一方加速度及び速度調整は調節バルブをしぼれば余饒水量との対比は１．５４倍から、２倍・３倍・４倍・５倍・と加速度は増速されるのである。従って速度の安定と希望速度は、調節バルブコントロール、ハンドル入力側、７、と出力側、８、のコントロール、ハンドルの調節で決めるのである。
次に、出力、仕事、注出エネルギー本源力水車側の実施形態であるが該、上段部、第１、タンク１、の内部密封圧力タンク、２、に大変な圧力エネルギー、即ち、入力作用及び余饒水量約９．７ｌ程度の水量の両圧力は水量の余饒量は流速度と変化し、入力作用の加圧力の余饒力エネルギーは依り加速度の抵抗に対する反作用に充当する馬力に継がるのである。液水上昇循環装置、４０、の内筒用フロート式、ストローク体積棒、４２、の単体８筒８体を同時駆動するといえども、その搬送量１６ｌ＝１６ｋｇといえども互いの自重に依って、打ち消し合い、その搬送エネルギーに充当するエネルギーは極少であるが、ストローク加速度に対する、抵抗エネルギーの方が大であると、考える可きである。だが、是れを大と見たとしても１６ｌ＝１６ｋｇ重の５０％程度であるとしても９０倍の入力エネルギーから見れば、抵抗及び搬送重量等、抵抗勢力の内には入らないのである以上、重力機関総合統一機能各種セクション実施例題技術構造説明項である。
【将来に対する宣言】
【００３７】  地球上、人類史上全人類は（紀元前２８７年〜２１２年＝７５才没）アルキメデスの原理を始めその他、を発見、発明をしたのであるが、その中でも重力と浮力の均衡を利用して物質の質量を計測した。また、その裏原理は、物質の質量、体積を利用して、その自重、体重を計測したのである。此の原理原則、自諦は、地球の万有引力自諦を相殺してゼロＧにした事になるのであるが、その後、久しく誰人もそれ以上の反重力、負のＧには、立ち入る人はなく、その案件を出した人は皆無である。その後、２０００年近く後年になってシャー、アイザーク、ニュートンの出現に依って万有引力の比例定数及び“微分、積分法”に依って更に後態の“引極理論”の徹底した、証明において、また、此の“証明”“微分、積分法”は、同時期、新数学の発見を見た。ライプニッツも、また、同発見に到達した１人である。此の両名の大学者の長期、論争は優先権論争であったが、本発明者の意見として言わせてもらえば事のいかんのある、なし、は小さな事で二人の博学者が、同時に同じ原理、理論で優先権論争をした事は相方が相方を双方、共に証明する姿であり、共にあっぱれと賛嘆するものである。此の両名証明理論に依って人類の歴中に大変な革命期をもたらした歴史上の“１ツのターミナル・ポイント”、であったと思うのである。それまでの人類は物質に夫々の重さがあるという事は、おぼろげながら解っていても、その大きさの定規は、持っていなかったと言える。時代に重力という“抵抗壁”の“大きさ”を計る、スケール（Ｍｅａｓｕｒｅ  Ｄｉｍｅｎｓｉｏｎｓ  Ｐｏｉｎｔｓメジャーディメンションズポインツ）を、人類に与え教えた事は、“重力の壁”が、ただばくぜんとしたバカデカイ物と思っていただろう世界に“重力壁”のそれぞれを数字的にとらえる事ができる事に依って、多くの人々が、“重力壁”に挑戦してそれを乗り越える術を知る事になった。その後５０年〜７０年〜１００年後において、ワットの蒸気機関の前進を捉え機械化産業、大産業革命が、到来したのである。そして、現代２５０年の歴史の経過を経て２００３年を終了しようとする現代も“重力壁”という抵抗勢力に打ち勝つために化石燃料を零段に使用する事に依って、地球の生命力許容量エネルギーを、地下から“掘削、吸い尽し”その“分子”または“原子”を、破壊し尽し枯渇を迎えようとしているのである。本発明者が、思うには、今、地球上、全域に渡って動植物の減少化は、いちじるしく植物林、森林は、はげ山化し砂漠化が進み、動物、鳥、虫、類においても地球全次元で減少している。また、世界的次元で人類もまた、少子化の１都をたどっているのである。是れは、発明者の洞察力に依るものなのであるが、地球の精力性分化石資源は、地球の血液とも言える栄養資源、活力資源である。是れらを、際限なく地球肉体から“掘り尽し”“吸い取り尽し”“空”にしてしまっては、地球青年も貧血性になるのは、あたりまえの事である。従って、地球の治癒力も減退する。それだけではなく、此の“吸い取り尽した”化石資源を、更に、破壊行為として、“分子破壊”“原子破壊”の“外圧、強制破壊”を、行なうは、エントロピイーの上からも“不可逆性”であり“元の分子”“元の原子”には、二度ともどらない行為なのである。従って“個の生命体”の“外圧、強制破壊”は、二度と元には、もどらない復元力のない減少１都の地球及び人類滅亡の労作業でしかないのである。例えば、ガソリンを燃やしてその後に元のガソリンにもどるでしょうか。誠に復元力のない減少１都の地球及び人類滅亡の破壊的労作業でしかないのである。以上、上記を総まとめして難問を解決する手段として本動機関、万有引力＝重力＝Ｇエネルギー利用のエントロピイーの可逆の原理、元にもどる復元力のエネルギーを利用して、ただ、復元力を利用すると言ってもただの復元力ではなく、１回充填してしまえば永続循環して使用できるのである。従って、引極作用に対応して“重力壁”または抵抗勢力のエネルギー百％を利用転換して、仕事エネルギー源として無限のエネルギーを享受する事ができる。従って、地球上の“重力壁”を取り払い、抵抗勢力の“重力壁”を味方にする事が、できたのである。その１切の解決手段のほんのサンプル的構造機関が、本重力機関・永久機関なのである。
【図面の簡単な説明】
【００３８】（１）重力機関総合関連図【図１】（１）総合本体の立体破体図である．（２）上部図平面断面図．水車室である．（３）その外部リングは本体ケーシング．タンク外鈑である．（４）内部８方・８筒の小円筒は（※−３）液水上昇循環装置の断面図である．（５）中央中心２重丸は，入力，出力源水車または，第１．第２水車の装着室の平面断面図である．（６）その下部は，圧力タンク内部ション．倍力装置設定図である．（８）その下部は，同じく圧力タンク内部，液水循環装置８筒．８体が，本重力機関の最下部，貯水タンク底盤より上昇延長して，上記倍力装置を管抜いて内部に林立している．（９）その下部は，本重力機関第１セクション（※−１）入力機能力源水車設定図である．（１０）その下部室は，本機関第４セクション（※−４）出力仕事源水車設定図である．上記，上底盤入力機能力源水車設定を第１水車といい，その下部底盤，出力仕事源水車設定を第２水車と設定している，そして（１１）この下部底盤，入力機能力源水車設定底盤を境界として，上段部．第１タンクの内部密封水密圧力タンクと，下段部第２タンクの内部，自然界と同環境の貯水タンクとの２種のタンクの境界基盤をなしている．（１２）従って，この下部底盤，第４セクション，第２水車，該出力源水車の嵌合調着貫通部においても完全水密固定定着施工となっているのである．（１３）その下部は，下段第２タンクの内部であり，貯水タンクである．従ってその内部は自然界と環境と同様であり，一般にいうところの池や・プール・湖・海・井戸などと同環境にあるものと認識して下さい．（１４）従って，上段部第１タンク内部は密封圧力タンクであり，常に満水の液水が充填されているのである．（１５）また一方の下段タンクの第２貯水タンクは，上段圧力タンクから重力＝Ｇの水液比重による自然落下，または圧力強制落下によって落ちる落下水流を受け入れる貯水タンクとなっているのである．（１６）従って，１種の仲介池であり，中径タンクの使命を果たすものである．（１７）この貯水タンクの水液量は“落下流水量”と“上界汲み揚げ量”は常に平衡比例量であり大量落下水量の場合は，大量上昇汲み揚げ量と比例するものであり，常に等量循環サイクルである．即ち（１８）強出力高速回転ならば，それに見合うだけの汲み揚げ供給量となり，汲み揚げ供給量は同時に同量の落下需要水流量となって下段部貯水タンクの供給分減水量を即座に補充落下水流量で補充増水し，常時平衡高さ水面維持充填を保つのである．（１９）従って永久循環サイクルである．そこで本重力機関の出力仕事エネルギイーは，どこで抽出する事が出来るのかと言えば，それは，（２０）上記，該（※−３）液水上昇筒の最上部先端より零れ落ちる瞬間があるのである．（２１）つまり高所上昇搬送は，該液水上昇筒の構造システムによって重力＝Ｇのエネルギイー自重・体重によって瞬間搬送し，（２２）その瞬間落下水流もまた万有  引力＝地球引力平均値９．８Ｇによって重力比重エネルギイーとなって抽出する事が出来るのである．（２３）例えば，真水の重力比重で概算すると，１ｃｍ３（１センチ立方メートル）＝１ｇ重．１０００ｃｍ３＝１ｌ＝１ｋｇ重．１０００ｌ＝１ｔ重である．これを１０ｍ高���まで満水充填して最底盤低部より取り出せば，（２４）１センチ平方メートルの面積当たり１ｋｇ′重のエネルギイー出力となって取り出せるのである．（２５）また１ｌ／１００センチ平方メートルの面積当たり１００ｃｍ３／１００ｌ＝１００ｋｇ重の重力比重エネルギイー出力となって抽出する事が出来る．（２６）また１平方メートルの面積当たり１０ｍ高さ満水ならば，１ｍ２／１００００ｌ＝１００００ｋｇ＝１０ｔ重の出力エネルギイーとなって抽出する事ができる．（２７）上記計算はあくまでも静的比重の概算である．（２８）しかし．本重力機関の内部循環は動的流水，落下流水加速度はエネルギイー比例数値出力エネルギイーも加算されるのである．（２９）これら双方合計出力エネルギイーの８０％以上が出ョン別配置例題図である．
【図２】（３１）立体外躰図である．（３１）上部図は補助タンクであり内部は空気圧力密封タンクであり，（３３）空気の弾性伸縮の柔軟性を利用する為のものである．（３４）本来液水にはその積．体積量には，わずかばかりの柔軟性もなく密封容器に充満充填した場合は空気が仲介しない限りにおいては，その体積の柔軟性は固体物と同様であり弾性力はほとんどないのである．（３５）これに柔軟性を与え反動力弾性力を与える為の空気タンクを補助タンクとして設置し，（３６）重力比重プラスして空気圧力をもって緩和を計り平均・平衡等圧力に近づける為の補助装置として設置するのである．（３７）その下部底盤蓋の外部上面部には，水液充填時においての給水用，その他の注入バルブが設置されている．（３８）またその対角線上．対象位置にエアー抜き空気バルブを設置している．（３９）またこの空気バルブの設置は空気タンクの上部に設置するのが効果的である．（４０）その下部は第１タンクの頭部であり内部は，該上昇搬送筒ストローク室である．（４１）そしてその環境は液水充填圧入重比重水環境にあるのである．（４２）（※−２）倍力ストローク伝達駆動装置室である．（４３）その下部は，第１タンクの下部であり，（４４）該上昇搬送筒の８筒・８躰の林立が内部外円に調着し，（４５）また，その他内部中心部には，上段部底盤には第１水車室．（４６）下段部底盤には，第２水車が配備固定される水車室になっている．（４７）※（注）配備においては適宜，第１水車・第２水車の位置は上段・下段逆でもよい，（４８）第１水車室下部本躰左図ハントルは，入力循環機能力源水車，調節バルブ制御（コントロール）用調節ハンドルである．（４９）その下部胴体中央に位置小円図は，第２水車出力回転軸（シャフト）取り出し図である．（５０）その下部図は，第２水車出力仕事源水車室である．（５１）その下部本躰左外図ハンドルは該出力源水車の調節バルブを制御（コントロール）用ハンドル図である．（５２）その直下は貯水タンク内部であるが，ここには第１水車の排出放水口があり，（５３）これを取り巻くように８筒・８躰の液水上昇搬送循環筒装置が林立配備されている．（５４）そして林立配備の該上昇搬送筒の最下部先端には，各々容積筒用の逆止弁が１個づつ調着固定されている．（５５）そして，その下部は貯水タンク最低盤があり漏水のない水加工が施されている．（５６）そして，その直下，胴躰外躰中央に配水用バルブが図示されている．（５７）これは点検時，清掃時に
【図３】（５９）斜視破躰略躰図である．（６０）上部破躰図内部は，該搬送筒のストローク駆動略体図である．（６１）上部，左・右大輪歯車は正・反・回転シーソー駆動伝達の倍力嵌合伝達駆動歯車である．（６２）直下の底盤は各種装置固定盤図であり，各種上．下流通孔が設けられている．（６３）この底盤固定盤より，それぞれの高さで頭部出し図が示めされているのであるが，これは，該上昇搬送筒の頭部．内筒用体積排斥搬送筒フロート式体積棒の頭部である．（６４）本重力機関実例題は８筒・８躰であるが，本図示例は略躰図，その中心部は題１水車ケーシング図である．（６６）その直下底盤図は各種装置固定盤図であり，上．下流通孔が各種設けてある．（６７）その直下底盤は漏水・水密加工された上段部第１タンクの最底部であり，この底円盤底鈑を境界として上部は密封圧力タンクであり，下部は貯水タンクとなっている．（６８）またこの底円盤の中心は，第２水車水密固定場所であり．（６９）その周囲には，該上昇搬送筒図が林立一貫通水密固定されている．（７０）その直下は貯水タンクであり適宜・適度の水面高さで液水を充填するのである．
【図４】（７１）液水上昇循環装置の断面図である．（７２）外筒用容積筒．（７３）またの名称を希望目的高さ搬送筒図である．（７４）これに嵌合挿入，入挿する内筒用．体積量排斥搬送棒．（７５）またの名称を内筒用フロート式ストローク排斥搬送体積棒図の嵌合図示例である．（７６）図示左図一直線棒はラック歯車軸（ラックギャーシャフト）図示例である．（７７）これはフロート式ストローク排斥搬送体積棒をストロークする為ののものである．（７８）このラックギャーシャフトの取り付け位置は，色々な様式が考えられる．例えば，胴体内埋め込みラックギヤーまたは，割り込みラックギャー方式・その他の方式でも利用する事ができる．
【図５】（７９）上記の部分拡大断面図示例である．（８０）右端図は，容積筒最下部先端逆止弁図である．（８１）左隣図は，逆止弁平面図である．（８２）次の隣図は内筒用該フロート式排斥棒の下部先端の体積容器棒用の逆止弁図である．（８３）この逆止弁の平面図示例である．（８４）その左隣図は，内筒用，該フロート式排斥棒のストローク用ラックギャーシャフトの接続嵌合固定図示例図である．
【図６】（８５）上段部分第１タンク側立体破躰図示例である．（８６）内部圧力タンクの各セクション機能装置の配置図である．（８７）本図は，入力源機能第１水車，側断面図である．（８８）液水の重力比重を受けて回転し各種伝達機能を駆動して，上段部出力ピニオンギャーに伝達している．（８９）そして，倍力装置，大歯車に入力してインサイド．カム４枚を，２枚は左回転，２枚は右回転と正．反回転，２枚１対を２段重ねとした倍力装置である．（９０）関連図示例は後に図示する．
【図７】（９１）各部，制御装置の躰外部と室内構造部と平面破断図である．
【図８】（９２）下段部第２タンク側断面図である．（９３）出力源水車機能構造図示例である．
【図９】（９４）倍力装置室部分破躰図である．（９５）その構造図示例は，後図に示す．
【図１０】（９６）倍力装置室全体平面図である．
【図１１】（９７）シーソー正・反ストローク嵌合歯車ラックギャー嵌合である．
【図１２】（９８）倍力装置．特図示例．平面断面図である，外円入力駆動方式である．
【図１３】（９９）倍力装置．平齒大歯車・右・正反回転式．２段重ね４サイクル方式．側立断面である．
【図１４】（１００）倍力装置．特図示例．上記ユニット規格．分解図．図示例である．
【図１５】（１０１）入力源水車，垂直出力，嵌合側立．断面図示例である
【図１６】（１０２）倍力装置．特図示例．平面断面図である
【図１７】（１０３）倍力装置．傘齒，大歯車．左・右・正・反回転式．２段重ねサイクル方式，側立断面図である．
【図１８】（１０４）倍力装置．上記ユニット規格．分解図．図示例である．
【図１９】（１０５）水平入力源水車，破躰立体図，傘齒入力ビニオン図と倍力装置，上記図である．
【図２０】（１０６）入・出力源水車２段重ね配置図である，（１０７）ユニット規格．特図示例である
【図２１】（１０８）１段水車ユニット規格図である．
【図２２】（１０９）３段水車ユニット規格図である．
【図２３】（１１０）３段水車水平嵌合入力，傘齒車型式．ユニット規格型式，図示例である．
【図２４】（１１１）３段水車垂直嵌合入力，傘齒車型式，ユニット規格型式図示例である
【図２５】（１１２）４段重ね，外筒ケーシング図，ユニット規格型式図示例である．
【図２６】（１１３）４段重ね，外筒・内筒側断面図である．
【図２７】（１１４）ユニット規格水車，各部分解図，図示例である．（１１５）各種水車にも普遍するもりである．
【図２８】（１１６）躰内設置．平面図である．（１１７）入力・出力源水車にも共通する図示例である．
【図２９】（１１８）倍力装置．特図示例．斜視立躰図である．（１１９）中央入力４方等分．外円入力駆動である．
【図３０】（１２０）倍力装置．側面・左・右正側面図，断面図だある．（１２１）中央入力６方等分．外円入力駆動である．
【図３１】（１２２）倍力装置．側面・左・右正側面図，断面図である．
【図３２】（１２４）倍力装置．側面・左・右正側面図，多クランク用図である．（１２５）左・右入力軸芯駆動である．正側面．特図示例である．
【図３３】（１２６）倍力装置．側面図・左・右正側面，特図示例である．（１２７）中心入力外円駆動伝達嵌合図である．
【図３４】（１２８）倍力装置．側立面・左・右正側面断面図である．（１２９）外円入力インサイド．スライド．カム図である．
【図３５】（１３０）倍力装置．側立・正側面断面図である．（１３１）直入外円駆動図示例である．
【図３６】（１３２）倍力装置．正側面図示例である．（１３３）ダブル倍力外円直入駆動図である．
【図３７】（１３４）倍力装置．特図示例．側立面・正側立断面図である．（１３５）直入外円入力駆動である．
【図３８】（１３６）倍力装置．正側立断面図である．（１３７）ダブル倍力外円入力直入駆動である．
【図３９】（１３８）重力機関．各セクション側断面図である．（１３９）横一直線駆動上昇搬送筒図である．
【図４０】（１４０）重力機関．各セクション平面断面図である．（１４１）横一直線駆動上昇搬送筒図である．
【図４１】（１４２）重力機関．各セクション特図示例平断面図である．（１４３）縦列配置駆動上昇搬送筒図である．
【図４２】（１４４）重力機関．本躰内部セクション別側立断面図である．（１４５）中段部円筒図は平断面図である．
【図４３】（１４６）（※−３）第３セクション液水上昇排斥循環搬送装置図の各種図示例である．特図示例．
【図４４】（１４７）該．上昇搬送筒．内・外筒図・円筒図である．（１４８）その他の型態管器にも共通するものである．
【図４５】（１４９）該．上昇搬送筒．内・外筒嵌合挿入・入遊図断面図である．
【図４６】（１５０）該．上昇搬送筒．外筒内部内ストローク頭部逆止弁付き断面図である．
【図４７】（１５１）該．上昇搬送筒  内筒フロート式ストローク棒胴体埋め込みラックシャフトギャー図である．
【図４８】（１５２）該．上昇搬送筒  各部拡大平面・側断面図である．
【図４９】（１５３）重力機関第１タンク・第２タンク内部圧力比重フロート体積面積に与える浮力＝復元力の目安図表である．
【図５０】（１５４）各種重力機関の形態平面・側断面図である．（１５５）テーブル型平面水車配置・１６器筒十文字配置上昇搬送筒  クロス型入・出力水車配置特図示例である．
【図５１】（１５６）重力機関の形態図平面・側断面図である．（１５７）テーブル型平面クロス水車配置・１６器筒十文字配置上昇搬送筒露出型特図示例である．
【図５２】（１５８）重力機関の形態図平面・側断面図である．（１５９）テーブル型平面十文字水車配置・４器筒クロス配置上昇搬送筒躯内型特図示例である．
【図５３】（１６０）重力機関の形態図平面・側断面図である．（１６１）テーブル型平面クロス入・出力水車配置・１６器筒角型容器筒十文字配置上昇搬送筒露出型特図示例である．
【図５４】（１６２）重力機関の形態図平面・側断面図である．（１６３）テーブル型平面十文字入・出力水車配置４器筒角型容器筒上昇搬送筒配置露出型特図示例である．
【図５５】（１６４）重力機関の横一直線配置自動車背側立面断面図である．特図示例
【図５６】（１６５）重力機関運転座席及び重力機関平面断面図である．特図示例
【図５７】（１６６）重力機関右側立面本体  特図示例
【図５８】（１６７）重力機関正立面右側断面図  特図示例
【図５９】（１６８）重力機関正立面左側断面図  特図示例
【図６０】（１６９）重力機関左側立面本体外躰図  特図示例
【図６１】（１７０）重力機関右側立面本体外躰図  特図示例
【図６２】（１７１）重力機関縦列型量サイド中空部前正面側立面断面  特図示例
【図６３】（１７２）重力機関右側斜視図中空型重力機関  特図示例
【図６４】（１７３）重力機関左側斜視図中空型重力機関  特図示例
【図６５】（１７４）重力機関平面断面図運転席及び重力機関  特図示例
【図６６】（１７５）重力機関正側立面外躰図運転席及び重力機関  特図示例
【図６７】（１７６）重力機関左舷側立配置図船舶用重力機関  特図示例
【図６８】（１７７）左側立断面図  特図示例
【図６９】（１７８）重力機関縦列配置一直線型式両サイド並列重力機関  特図示例
【図７０】（１７９）重力機関後正面側立断面図  中空部利用各種キャビン  特図示例
【図７１】（１８０）重力機関前・後正面立面図  前正面図・後正面図  特図示例
【符号の説明】
【００３９】  １．第１タンク                                ２．密封圧力タンク
３．圧力調整補助タンク                        ４．清掃用．その他．排．注入バルブ装置．
５．第２タンク                                ６．自然環境同環貯水タンク
７．入力源水車・調整ハンドルＡ                ８．出力源水車調節ハンドル  ８
９．循環機能力水車設置室                    １０．環境駆動機能力水車  （※−１）
１１．水車流水・取入流入口                    １２．圧力タンク・排水口
１３．水車羽根・Ａ・Ｂ・Ｃ・Ｄ                １４．水車胴体．フロート式
１５．水車胴体円周順応流水道                  １６．水車後方出口排水口
１７．排水道                                  １８．案内レール・ガイドレール
１９．落下流水・放出口Ａ・Ｂ・Ｃ・Ｄ          ２０．水車循環源入力調節バルブ
２１．圧力タンク内上部底盤                    ２２．圧力タンク内．下部底盤
２３．水車フロート胴体．軸孔                  ２４．水車胴体軸孔インボリュート
２５．倍力フロート伝達駆動装置（※−２）      ２６．水車軸（シャフト）スプライン伝達２６−１・２６
２７．水車フロート胴体ハウジング．ケーシング  ２８．水車軸出力シャフト．ピニオン．ギヤー
２９．倍力装置．ケーシング                    ３０．半径部．変形ハート型中空盤
３１．インサイド．スライド．カム              ３２．ストローク．バー．セパピンローラー・Ａ・Ｂ
３３．スライド．バー  Ａ・Ｂ・Ｃ・Ｄ          ３４．倍力出力ストローク．スライド．ラックギヤー・Ａ〜Ｅ
３５．ラック歯車．ピニオン．ギヤー．Ａ・Ｂ    ３６．倍力ケーシング．ガードレール．バースラスト
３７．正・反回転．シーソー．ギヤー．Ａ・Ｂ・Ｃ・Ｄ  ３８．シーソー用伝達駆動軸（シャフト）
３９．圧力比重計測器  （※−  ）              ４０．液水上昇排斥循環搬送装置  （※−３）
４１．液水上昇筒・外筒内部室                  ４２．液水上昇筒．内筒用フロート式．ストローク体積棒
４３．液水上昇筒・体積量．排斥搬送容器棒      ４４．液水上昇筒．外筒容積量．容器筒
４５．容積容器筒用逆止弁                      ４６．体積容器筒用．逆止弁
４７．逆止井・弁板・Ａ・Ｂ                    ４８．水流道・上昇道
４９．流水流速度計則器  （※−  ）            ５０．出力．仕事原動力源水車  （※−４）
５１．水車羽根．第２水車用  Ａ・Ｂ・Ｃ・Ｄ    ５２．第２水車．出力仕事原水車取り入れ口
５３．出力回転計則器                          ５４．出力仕事．回転軸（シャフト）
５５．第２水車円周順応流水道                  ５６．後方出口・排水口
５７．排斥道                                  ５８．出力源水車．出力調節バルブ
５９．排出放出口                              ６０．第２水車軸（スプライン．シャフト）
６１．変速装置                                ６２．出力．機能力水車設置室
６３．ラックシャフト棒．駆動ストローク伝達棒  ６４．出力．駆動連結装置
６５．入水水液充填バルブ                      ６６．第１水車．入力循環機能力水車室
６７．第２水車出力．仕事機能力水車室          ６８．倍力伝達駆動装置室
６９．エアー抜きバルブ                        ７０．補助タンク．内部空気圧力タンク
７１．容積容器筒上部逆止弁  〔図４６〕        ７２．体積排斥搬送棒．胴体埋め込み方式  〔図４７〕
【手続補正５】
【補正対象書類名】図面
【補正対象項目名】全図
【補正方法】変更
【補正の内容】
【図１】
2006016969.tif 000045
【図２】
2006016969.tif 000046
【図３】
2006016969.tif 000047
【図４】
2006016969.tif 000048
【図５】
2006016969.tif 000049
【図６】
2006016969.tif 000050
【図７】
2006016969.tif 000051
【図８】
2006016969.tif 000052
【図９】
2006016969.tif 000053
【図１０】
2006016969.tif 000054
【図１１】
2006016969.tif 000055
【図１２】
2006016969.tif 000056
【図１３】
2006016969.tif 000057
【図１４】
2006016969.tif 000058
【図１５】
2006016969.tif 000059
【図１６】
2006016969.tif 000060
【図１７】
2006016969.tif 000061
【図１８】
2006016969.tif 000062
【図１９】
2006016969.tif 000063
【図２０】
2006016969.tif 000064
【図２１】
2006016969.tif 000065
【図２２】
2006016969.tif 000066
【図２３】
2006016969.tif 000067
【図２４】
2006016969.tif 000068
【図２５】
2006016969.tif 000069
【図２６】
2006016969.tif 000070
【図２７】
2006016969.tif 000071
【図２８】
2006016969.tif 000072
【図２９】
2006016969.tif 000073
【図３０】
2006016969.tif 000074
【図３１】
2006016969.tif 000075
【図３２】
2006016969.tif 000076
【図３３】
2006016969.tif 000077
【図３４】
2006016969.tif 000078
【図３５】
2006016969.tif 000079
【図３６】
2006016969.tif 000080
【図３７】
2006016969.tif 000081
【図３８】
2006016969.tif 000082
【図３９】
2006016969.tif 000083
【図４０】
2006016969.tif 000084
【図４１】
2006016969.tif 000085
【図４２】
2006016969.tif 000086
【図４３】
2006016969.tif 000087
【図４４】
2006016969.tif 000088
【図４５】
2006016969.tif 000089
【図４６】
2006016969.tif 000090
【図４７】
2006016969.tif 000091
【図４８】
2006016969.tif 000092
【図４９】
2006016969.tif 000093
【図５０】
2006016969.tif 000094
【図５１】
2006016969.tif 000095
【図５２】
2006016969.tif 000096
【図５３】
2006016969.tif 000097
【図５４】
2006016969.tif 000098
【図５５】
2006016969.tif 000099
【図５６】
2006016969.tif 000100
【図５７】
2006016969.tif 000101
【図５８】
2006016969.tif 000102
【図６１】
2006016969.tif 000103
【図６２】
2006016969.tif 000104
【図６３】
2006016969.tif 000105
【図６４】
2006016969.tif 000106
【図６５】
2006016969.tif 000107
【図６６】
2006016969.tif 000108
【図６７】
2006016969.tif 000109
【図６８】
2006016969.tif 000110
【図６９】
2006016969.tif 000111
【図７０】
2006016969.tif 000112
【図７１】
2006016969.tif 000113
【手続補正書】
【提出日】平成17年2月22日(2005.2.22)
【手続補正１】
【補正対象書類名】明細書
【補正対象項目名】００３８
【補正方法】変更
【補正の内容】
【００３８】（１）重力機関総合関連図【図１】（１）総合本体の立体破体図である．（２）上部図平面断面図．水車室である．（３）その外部リングは本体ケーシング．タンク外鈑である．（４）内部８方・８筒の小円筒は（※−３）液水上昇循環装置の断面図である．（５）中央中心２重丸は，入力，出力源水車または，第１．第２水車の装着室の平面断面図である．（６）その下部は，圧力タンク内部液水循環装置のス  トローク駆動室になっている．（７）その下部は，（※−２）第２セクション．倍力装置設定図である．（８）その下部は，同じく圧力タンク内部，液水循環装置８筒．８体が，本重力機関の最下部，貯水タンク底盤より上昇延長して，上記倍力装置を管抜いて内部に林立している．（９）その下部は，本重力機関第１セクション（※−１）入力機能力源水車設定図である．（１０）その下部室は，本機関第４セクション（※−４）出力仕事源水車設定図である．上記，上底盤入力機能力源水車設定を第１水車といい，その下部底盤，出力仕事源水車設定を第２水車と設定している，そして（１１）この下部底盤，入力機能力源水車設定底盤を境界として，上段部．第１タンクの内部密封水密圧力タンクと，下段部第２タンクの内部，自然界と同環境の貯水タンクとの２種のタンクの境界基盤をなしている．（１２）従って，この下部底盤，第４セクション，第２水車，該出力源水車の嵌合調着貫通部においても完全水密固定定着施工となっているのである．（１３）その下部は，下段第２タンクの内部であり，貯水タンクである．従ってその内部は自然界と環境と同様であり，一般にいうところの池や・プール・湖・海・井戸などと同環境にあるものと認識して下さい．（１４）従って，上段部第１タンク内部は密封圧力タンクであり，常に満水の液水が充填されているのである．（１５）また一方の下段タンクの第２貯水タンクは，上段圧力タンクから重力＝Ｇの水液比重による自然落下，または圧力強制落下によって落ちる落下水流を受け入れる貯水タンクとなっているのである．（１６）従って，１種の仲介池であり，中径タンクの使命を果たすものである．（１７）この貯水タンクの水液量は“落下流水量”と“上界汲み揚げ量”は常に平衡比例量であり大量落下水量の場合は，大量上昇汲み揚げ量と比例するものであり，常に等量循環サイクルである．即ち（１８）強出力高速回転ならば，それに見合うだけの汲み揚げ供給量となり，汲み揚げ供給量は同時に同量の落下需要水流量となって下段部貯水タンクの供給分減水量を即座に補充落下水流量で補充増水し，常時平衡高さ水面維持充填を保つのである．（１９）従って永久循環サイクルである．そこで本重力機関の出力仕事エネルギイーは，どこで抽出する事が出来るのかと言えば，それは，（２０）上記，該（※−３）液水上昇筒の最上部先端より零れ落ちる瞬間において，ここを転換点と  して，“消費エネルギイー”と“仕事エネルギイー”の転換があるのである．（２１）つまり高所上昇搬送は，該液水上昇筒の構造システムによって重力＝Ｇのエネルギイー自重・体重によって瞬間搬送し，（２２）その瞬間落下水流もまた万有  引力＝地球引力平均値９．８Ｇによって重力比重エネルギイーとなって抽出する事が出来るのである．（２３）例えば，真水の重力比重で概算すると，１ｃｍ３（１センチ立方メートル）＝１ｇ重．１０００ｃｍ３＝１ｌ＝１ｋｇ重．１０００ｌ＝１ｔ重である．これを１０ｍ高さまで満水充填して最底盤低部より取り出せば，（２４）１センチ平方メートルの面積当たり１ｋｇ′重のエネルギイー出力となって取り出せるのである．（２５）また１ｌ／１００センチ平方メートルの面積当たり１００ｃｍ２／１００ｌ＝１００ｋｇ重の重力比重エネルギイー出力となって抽出する事が出来る．（２６）また１平方メートルの面積当たり１０ｍ高さ満水ならば，１ｍ２／１００００ｌ＝１００００ｋｇ＝１０ｔ重の出力エネルギイーとなって抽出する事ができる．（２７）上記計算はあくまでも静的比重の概算である．（２８）しかし，本重力機関の内部循環は動的流水，落下流水加速度はエネルギイー比例数値出力エネルギイーも加算されるのである．（２９）これら双方合計出力エネルギイーの８０％以上が出力仕事エネルギイーと加算されるのである．（３０）以上が，本重力機関の機能セ  クション別配置例題図である。
【図２】（３１）立体外躰図である．（３１）上部図は補助タンクであり内部は空気圧力密封タンクであり，（３３）空気の弾性伸縮の柔軟性を利用する為のものである．（３４）本来液水にはその積．体積量には，わずかばかりの柔軟性もなく密封容器に充満充填した場合は空気が仲介しない限りにおいては，その体積の柔軟性は固体物と同様であり弾性力はほとんどないのである．（３５）これに柔軟性を与え反動力弾性力を与える為の空気タンクを補助タンクとして設置し，（３６）重力比重プラスして空気圧力をもって緩和を計り平均・平衡等圧力に近づける為の補助装置として設置するのである．（３７）その下部底盤蓋の外部上面部には，水液充填時においての給水用，その他の注入バルブが設置されている．（３８）またその対角線上．対象位置にエアー抜き空気バルブを設置している．（３９）またこの空気バルブの設置は空気タンクの上部に設置するのが効果的である．（４０）その下部は第１タンクの頭部であり内部は，該上昇搬送筒ストローク室である．（４１）そしてその環境は液水充填圧入重比重水環境にあるのである．（４２）（※−２）倍力ストローク伝達駆動装置室である．（４３）その下部は，第１タンクの下部であり，（４４）該上昇搬送筒の８筒・８躰の林立が内部外円に調着し，（４５）また，その他内部中心部には，上段部底盤には第１水車室．（４６）下段部底盤には，第２水車が配備固定される水車室になっている．（４７）※（注）配備においては適宜，第１水車・第２水車の位置は上段・下段逆でもよい，（４８）第１水車室下部本躰左図ハントルは，入力循環機能力源水車，調節バルブ制御（コントロール）用調節ハンドルである．（４９）その下部胴体中央に位置小円図は，第２水車出力回転軸（シャフト）取り出し図である．（５０）その下部図は，第２水車出力仕事源水車室である．（５１）その下部本躰左外図ハンドルは該出力源水車の調節バルブを制御（コントロール）用ハンドル図である．（５２）その直下は貯水タンク内部であるが，ここには第１水車の排出放水口があり，（５３）これを取り巻くように８筒・８躰の液水上昇搬送循環筒装置が林立配備されている．（５４）そして林立配備の該上昇搬送筒の最下部先端には，各々容積筒用の逆止弁が１個づつ調着固定されている．（５５）そして，その下部は貯水タンク最低盤があり漏水のない水加工が施されている．（５６）そして，その直下，胴躰外躰中央に配水用バルブが図示されている．（５７）これは点検時，清掃時に
2006016969.tif 000114
【図３】（５９）斜視破躰略躰図である．（６０）上部破躰図内部は，該搬送筒のストローク駆動略体図である．（６１）上部，左・右大輪歯車は正・反・回転シーソー駆動伝達の倍力嵌合伝達駆動歯車である．（６２）直下の底盤は各種装置固定盤図であり，各種上．下流通孔が設けられている．（６３）この底盤固定盤より，それぞれの高さで頭部出し図が示めされているのであるが，これは，該上昇搬送筒の頭部．内筒用体積排斥搬送筒フロート式体積棒の頭部である．（６４）本重力機関実例題は８筒・８躰であるが，本図示例は略躰図
2006016969.tif 000115
，その中心部は題１水車ケーシング図である．（６６）その直下底盤図は各種装置固定盤図であり，上．下流通孔が各種設けてある．（６７）その直下底盤は漏水・水密加工された上段部第１タンクの最底部であり，この底円盤底鈑を境界として上部は密封圧力タンクであり，下部は貯水タンクとなっている．（６８）またこの底円盤の中心は，第２水車水密固定場所であり．（６９）その周囲には，該上昇搬送筒図が林立一貫通水密固定されている．（７０）その直下は貯水タンクであり適宜・適度の水面高さで液水を充填するのである．【図４】（７１）液水上昇循環装置の断面図である．（７２）外筒用容積筒．（７３）またの名称を希望目的高さ搬送筒図である．（７４）これに嵌合挿入，入挿する内筒用．体積量排斥搬送棒．（７５）またの名称を内筒用フロート式ストローク排斥搬送体積棒図の嵌合図示例である．（７６）図示左図一直線棒はラック歯車軸（ラックギャーシャフト）図示例である．（７７）これはフロート式ストローク排斥搬送体積棒をストロークする為ののものである．（７８）このラックギャーシャフトの取り付け位置は，色々な様式が考えられる．例えば，胴体内埋め込みラックギヤーまたは，割り込みラックギャー方式・その他の方式でも利用する事ができる．
【図５】（７９）上記の部分拡大断面図示例である．（８０）右端図は，容積筒最下部先端逆止弁図である．（８１）左隣図は，逆止弁平面図である．（８２）次の隣図は内筒用該フロート式排斥棒の下部先端の体積容器棒用の逆止弁図である．（８３）この逆止弁の平面図示例である．（８４）その左隣図は，内筒用，該フロート式排斥棒のストローク用ラックギャーシャフトの接続嵌合固定図示例図である．
【図６】（８５）上段部分第１タンク側立体破躰図示例である．（８６）内部圧力タンクの各セクション機能装置の配置図である．（８７）本図は，入力源機能第１水車，側断面図である．（８８）液水の重力比重を受けて回転し各種伝達機能を駆動して，上段部出力ビニオンギャーに伝達している．（８９）そして，倍力装置，大歯車に入力してインサイド．カム４枚を，２枚は左回転，２枚は右回転と正．反回転，２枚１対を２段重ねとした倍力装置である．（９０）関連図示例は後に図示する．
【図７】（９１）各部，制御装置の躰外部と室内構造部と平面破断図である．
【図８】（９２）下段部第２タンク側断面図である．（９３）出力源水車機能構造図示例である．
【図９】（９４）倍力装置室部分破躰図である．（９５）その構造図示例は，後図に示す．
【図１０】（９６）倍力装置室全体平面図である．
【図１１】（９７）シーソー正・反ストローク嵌合歯車ラックギャー嵌合である．
【図１２】（９８）倍力装置．特図示例．平面断面図である，外円入力駆動方式である．
【図１３】（９９）倍力装置．平齒大歯車・右・正反回転式．２段重ね４サイクル方式．側立断面である．
【図１４】（１００）倍力装置．特図示例．上記ユニット規格．分解図．図示例である［Ａ］〜［Ｉ］
【図１５】（１０１）入力源水車，垂直出力，嵌合側立．断面図示例である
【図１６】（１０２）倍力装置．特図示例．平面断面図である
【図１７】（１０３）倍力装置．傘齒，大歯車．左・右・正・反回転式．２段重ねサイクル方式，側立断面図である．
【図１８】（１０４）倍力装置．上記ユニット規格．分解図．図示例である．［Ａ］〜［Ｉ］
【図１９】（１０５）水平入力源水車，破躰立体図，傘齒入力ビニオン図と倍力装置，上記図である．
【図２０】（１０６）入・出力源水車２段重ね配置図である，（１０７）ユニット規格．特図示例である
【図２１】（１０８）１段水車ユニット規格図である．
【図２２】（１０９）３段水車ユニット規格図である．
【図２３】（１１０）３段水車水平嵌合入力，傘齒車型式．ユニット規格型式，図示例である．
2006016969.tif 000116
【図２５】（１１２）４段重ね，外筒ケーシング図，ユニット規格型式図示例である．
【図２６】（１１３）４段重ね，外筒・内筒側断面図である．
【図２７】（１１４）ユニット規格水車，各部分解図，図示例である．［Ａ］〜［Ｌ］（１１５）各種水車にも普遍するものである．
【図２８】（１１６）躰内設置．平面図である．三方斜噴出型・四方斜噴出推進型水車（１１７）入力・出力源水車にも共通する図示例である．左回転型・右回転型
【図２９】（１１８）倍力装置．特図示例．斜視立躰図である．（１１９）中央入力４方等分．外円入力駆動である．
【図３０】（１２０）倍力装置．側面・左・右正側面図，断面図だある．［Ａ］〜［Ｃ］（１２１）中央入力６方等分．外円入力駆動である．
【図３１】（１２２）倍力装置．側面・左・右正側面図，断面図である．［Ａ］〜［Ｃ］
【図３２】（１２４）倍力装置．側面・左・右正側面図，多クランク用図である．（１２５）左・右入力軸芯駆動である．正側面．特図示例である．
【図３３】（１２６）倍力装置．側面図・左・右正側面，特図示例である．［Ａ］〜［Ｃ］（１２７）中心入力外円駆動伝達嵌合図である．
【図３４】（１２８）倍力装置．側立面・左・右正側面断面図である．（１２９）外円入力インサイド．スライド．カム図である．
【図３５】（１３０）倍力装置．側立・正側面断面図である．（１３１）直入外円駆動図示例である．
【図３６】（１３２）倍力装置．正側面図示例である．（１３３）ダブル倍力外円直入駆動図である．
【図３７】（１３４）倍力装置．特図示例．側立面・正側立断面図である．（１３５）直入外円入力駆動である．
【図３８】（１３６）倍力装置．正側立断面図である．（１３７）ダブル倍力外円入力直入駆動である．
【図３９】（１３８）重力機関．各セクション側断面図である．［Ａ］〜［Ｅ］（１３９）横一直線駆動上昇搬送筒図である．
【図４０】（１４０）重力機関．各セクション平面断面図である．水車入力下・上部２水車出力用（１４１）横一直線駆動上昇搬送筒図である．中央デスクは倍力ストローク装置．
【図４１】（１４２）重力機関．各セクション特図示例平断面図である．倍力２機装置．（１４３）縦列配置駆動上昇搬送筒図である．
【図４２】（１４４）重力機関．本躰内部セクション別側立断面図である．［Ａ］〜［Ｆ］（１４５）中段部円筒図は平断面図である．
【図４３】（１４６）（※−３）第３セクション液水上昇排斥循環搬送装置図の各種図示例である．特図示例．上昇筒上部オープン型［Ａ］〜［Ｂ］・上部包含型［Ａ］〜［Ｃ］
2006016969.tif 000117
【図４５】（１４９）該．上昇搬送筒．内・外筒嵌合挿入・入遊図断面図である．［Ａ］〜［Ｂ］
【図４６】（１５０）該．上昇搬送筒．外筒内部内ストローク頭部逆止弁付き断面図である．
【図４７】（１５１）該．上昇搬送筒  内筒フロート式ストローク棒胴体埋め込みラックシャフトギャー図である．
【図４８】（１５２）該．上昇搬送筒  各部拡大平面・側断面図である．
【図４９】（１５３）重力機関第１タンク・第２タンク内部圧力比重フロート体積面積に与える浮力＝復元力の目安図表である．［Ａ］は圧力タンク［Ｂ］は貯水タンク
【図５０】（１５４）各種重力機関の形態平面・側断面図である．横書図である（１５５）テーブル型平面水車配置・１６器筒十文字配置上昇搬送筒  クロス型入・出力水車配置特図示例である．
【図５１】（１５６）重力機関の形態図平面・側断面図である．（１５７）テーブル型平面クロス水車配置・１６器筒十文字配置上昇搬送筒露出型特図示例である．
【図５２】（１５８）重力機関の形態図平面・側断面図である．（１５９）テーブル型平面十文字水車配置・４器筒クロス配置上昇搬送筒躯内型特図示例である．
【図５３】（１６０）重力機関の形態図平面・側断面図である．（１６１）テーブル型平面クロス入・出力水車配置・１６器筒角型容器筒十文字配置上昇搬送筒露出型特図示例である．
【図５４】（１６２）重力機関の形態図平面・側断面図である．（１６３）テーブル型平面十文字入・出力水車配置４器筒角型容器筒上昇搬送筒配置露出型特図示例である．
【図５５】（１６４）重力機関の横一直線配置自動車背側立面断面図である．特図示例
【図５６】（１６５）重力機関連転座席及び重力機関平面断面図である．    特図示例
【図５７】（１６６）重力機関右側立面本体                              特図示例
【図５８】（１６７）重力機関正立面立側断面図                          特図示例
【図５９】（１６８）重力機関正立面左側断面図                          特図示例
【図６０】（１６９）重力機関左側立面本体外躰図                        特図示例
【図６１】（１７０）重力機関右側立面本体外躰図‥‥車体図‥‥          特図示例
【図６２】（１７１）重力機関縦列型量サイド中空部前正面側立面断面      特図示例
【図６３】（１７２）重力機関右側斜視図中空型重力機関                  特図示例
【図６４】（１７３）重力機関左側斜視図中空型重力機関                  特図示例
【図６５】（１７４）重力機関平面断面図運転席及び重力機関              特図示例
【図６６】（１７５）重力機関正側立面外躰図運転席及び重力機関          特図示例
【図６７】（１７６）重力機関左舷側立配置図船舶用重力機関              特図示例
【図６８】（１７７）左側立断面図                                      特図示例
【図６９】（１７８）重力機関縦列配置一直線型式両サイド並列重力機関    特図示例
【図７０】（１７９）重力機関後正面側立断面図  中空部利用各種キャビン  特図示例
【図７１】（１８０）重力機関前・後正面立面図  前正面図・後正面図      特図示例
【手続補正２】
【補正対象書類名】明細書
【補正対象項目名】００３９
【補正方法】変更
【補正の内容】
【００３９】１．第１タンク                                ２．密封圧力タンク３．圧力調整補助タンク                        ４．清掃用．その他．排．注入バルブ装置．５．第２タンク                                ６．自然環境同環貯水タンク７．入力源水車・調整ハンドルＡ                ８．出力源水車調節ハンドル  ８９．循環機能力水車設置室                      １０．環境駆動機能力水車  （※−１）１１．水車流水・取入流入口                    １２．圧力タンク・排水口１３．水車羽根・Ａ・Ｂ・Ｃ・Ｄ                １４．水車胴体．フロート式１５．水車胴体円周順応流水道                  １６．水車後方出口排水口１７．排水道                                  １８．案内レール・ガイドレール１９．落下流水・放出口Ａ・Ｂ・Ｃ・Ｄ          ２０．水車循環源入力調節バルブ２１．圧力タンク内上部底盤                    ２２．圧力タンク内．下部底盤２３．水車フロート胴体．軸孔                  ２４．水車胴体軸孔インボリュート２５．倍力フロート伝達駆動装置（※−２）      ２６．水車軸（シャフト）スプライン伝達２６−１・２６２７．水車フロート胴体ハウジング．ケーシング  ２８．水車軸出力シャフト．ビニオン．ギヤー２９．倍力装置．ケーシング                    ３０．半径部．変形ハート型中空盤３１．インサイド．スライド．カム              ３２．ストローク．バー．セバビンローラー・Ａ・Ｂ３３．スライド．バー  Ａ・Ｂ・Ｃ・Ｄ          ３４．倍力出力ストローク．スライド．ラックギヤー・Ａ〜Ｅ３５．ラック歯車．ビニオン．ギヤー．Ａ・Ｂ    ３６．倍力ケーシング．ガードレール．バースラスト３７．正・反回転．シーソー．ギヤー．Ａ・Ｂ・Ｃ・Ｄ・  ３８．シーソー用伝達駆動軸（シャフト）３９．圧力比重計測器  （※−  ）              ４０．液水上昇排斥循環搬送装置  （※−３）４１．液水上昇筒・外筒内部室                  ４２．液水上昇筒．内筒用フロート式．ストローク体積棒４３．液水上昇筒・体積量．排斥搬送容器棒      ４４．液水上昇筒．外筒容積量．容器筒４５．容積容器筒用逆止弁                      ４６．体積容器筒用．逆止弁４７．逆止弁・弁板・Ａ・Ｂ                    ４８．水流道・上昇道４９．流水流速度計則器  （※−  ）            ５０．出力．仕事原動力源水車  （※−４）５１．水車羽根．第２水車用  Ａ・Ｂ・Ｃ・Ｄ    ５２．第２水車．出力仕事原水車取り入れ口５３．出力回転計則器                          ５４．出力仕事．回転軸（シャフト）５５．第２水車円周順応流水道                  ５６．後方出口・排水口５７．排斥道                                  ５８．出力源水車．出力調節バルブ５９．排出放出口                              ６０．第２水車軸（スプライン．シャフト）６１．変速装置                                ６２．出力．機能力水車設置室６３．ラックシャフト棒．駆動ストローク伝達棒  ６４．出力．駆動連結装置６５．入水水液充填バルブ                      ６６．第１水車．入力循環機能力水車室６７．第２水車出力．仕事機能力水車室          ６８．倍力伝達駆動装置室６９．エアー抜きバルブ                        ７０．補助タンク．内部空気圧力タンク７１．容積容器筒上部逆止弁  〔図４６〕        ７２．体積排斥搬送棒．胴体埋め込み方式  〔図４７〕
【手続補正書】
【提出日】平成17年8月2日(2005.8.2)
【手続補正１】
【補正対象書類名】手続補正書
【補正対象項目名】手続補正５
【補正方法】変更
【補正の内容】
【手続補正５】
【補正対象書類名】図面
【補正対象項目名】全図
【補正方法】変更
【補正の内容】
【図１】
2006016969.tif 000118
【図２】
2006016969.tif 000119
【図３】
2006016969.tif 000120
【図４】
2006016969.tif 000121
【図５】
2006016969.tif 000122
【図６】
2006016969.tif 000123
【図７】
2006016969.tif 000124
【図８】
2006016969.tif 000125
【図９】
2006016969.tif 000126
【図１０】
2006016969.tif 000127
【図１１】
2006016969.tif 000128
【図１２】
2006016969.tif 000129
【図１３】
2006016969.tif 000130
【図１４】
2006016969.tif 000131
【図１５】
2006016969.tif 000132
【図１６】
2006016969.tif 000133
【図１７】
2006016969.tif 000134
【図１８】
2006016969.tif 000135
【図１９】
2006016969.tif 000136
【図２０】
2006016969.tif 000137
【図２１】
2006016969.tif 000138
【図２２】
2006016969.tif 000139
【図２３】
2006016969.tif 000140
【図２４】
2006016969.tif 000141
【図２５】
2006016969.tif 000142
【図２６】
2006016969.tif 000143
【図２７】
2006016969.tif 000144
【図２８】
2006016969.tif 000145
【図２９】
2006016969.tif 000146
【図３０】
2006016969.tif 000147
【図３１】
2006016969.tif 000148
【図３２】
2006016969.tif 000149
【図３３】
2006016969.tif 000150
【図３４】
2006016969.tif 000151
【図３５】
2006016969.tif 000152
【図３６】
2006016969.tif 000153
【図３７】
2006016969.tif 000154
【図３８】
2006016969.tif 000155
【図３９】
2006016969.tif 000156
【図４０】
2006016969.tif 000157
【図４１】
2006016969.tif 000158
【図４２】
2006016969.tif 000159
【図４３】
2006016969.tif 000160
【図４４】
2006016969.tif 000161
【図４５】
2006016969.tif 000162
【図４６】
2006016969.tif 000163
【図４７】
2006016969.tif 000164
【図４８】
2006016969.tif 000165
【図４９】
2006016969.tif 000166
【図５０】
2006016969.tif 000167
【図５１】
2006016969.tif 000168
【図５２】
2006016969.tif 000169
【図５３】
2006016969.tif 000170
【図５４】
2006016969.tif 000171
【図５５】
2006016969.tif 000172
【図５６】
2006016969.tif 000173
【図５７】
2006016969.tif 000174
【図５８】
2006016969.tif 000175
【図５９】
2006016969.tif 000176
【図６０】
2006016969.tif 000177
【図６１】
2006016969.tif 000178
【図６２】
2006016969.tif 000179
【図６３】
2006016969.tif 000180
【図６４】
2006016969.tif 000181
【図６５】
2006016969.tif 000182
【図６６】
2006016969.tif 000183
【図６７】
2006016969.tif 000184
【図６８】
2006016969.tif 000185
【図６９】
2006016969.tif 000186
【図７０】
2006016969.tif 000187
【図７１】
2006016969.tif 000188